(57)【特許請求の範囲】
【請求項１】
タッチスクリーンディスプレイと、
１つ以上の加速度計と、
１つ以上のプロセッサと、
メモリと、
１つ以上のプログラムとを備える多機能デバイスであって、
前記１つ以上のプログラムは、前記メモリの中に記憶され、前記１つ以上のプロセッサによって実行されるように構成されており、
前記１つ以上のプログラムは、
前記タッチスクリーンディスプレイ上に第１のアプリケーションのそれぞれのビューを縦方向の向きに表示し、
前記それぞれのビューの中で第１のタッチジェスチャを検出し、
前記第１のタッチジェスチャを検出するのに応じて、前記第１のアプリケーションの前記それぞれのビューを部分的に覆う前記第１のアプリケーションのポップアップビューを表示し、
前記ポップアップビューの中で１つ以上の第２のタッチジェスチャを検出し、
前記ポップアップビューの中で前記１つ以上の第２のタッチジェスチャを検出するのに応じて、前記第１のアプリケーションにおいて前記第１のアプリケーションの状態を更新する動作を行い、
前記ポップアップビューを表示している間に、縦方向の向きから横方向の向きへの前記多機能デバイスの回転を前記１つ以上の加速度計を用いて検出し、
前記回転を検出するのに応じて、前記それぞれのビューを前記横方向の向きに変換し、前記ポップアップビューを前記横方向の向きにおける前記それぞれのビューに沿ったサイドバーに変換する
命令を含むことを特徴とするデバイス。
【請求項２】
前記それぞれのビューに沿った前記サイドバーの表示を維持しながら、前記サイドバーにおけるタッチジェスチャを検出し及び該タッチジェスチャに応答する命令をさらに含むことを特徴とする、請求項１に記載のデバイス。
【請求項３】
横方向の向きから縦方向の向きへの前記多機能デバイスの回転を前記１つ以上の加速度計を用いて検出し、
前記横方向の向きから前記縦方向の向きへの前記多機能デバイスの前記回転を検出するのに応じて、前記サイドバーを表示するのを中止し、及び前記それぞれのビューを前記縦方向の向きに変換する
命令をさらに含むことを特徴とする、請求項１に記載のデバイス。
【請求項４】
前記サイドバーの表示を中止した後に、前記それぞれのビューの中で第３のタッチジェスチャを検出し、
前記第３のタッチジェスチャを検出するのに応じて、前記それぞれのビューを部分的に覆う前記ポップアップビューを表示する
命令をさらに含むことを特徴とする、請求項１に記載のデバイス。
【請求項５】
横方向の向きから縦方向の向きへの前記多機能デバイスの回転を前記１つ以上の加速度計を用いて検出し、
前記横方向の向きから前記縦方向の向きへの前記多機能デバイスの前記回転を検出するのに応じて、前記それぞれのビューを前記縦方向の向きに変換し、及び前記サイドバーを前記縦方向の向きにおける前記それぞれのビューの中のポップアップビューに変換する
命令をさらに含むことを特徴とする、請求項１に記載のデバイス。
【請求項６】
命令を含む１つ以上のプログラムを格納する、コンピュータ読み取り可能な記憶媒体であって、
前記命令は、タッチスクリーンディスプレイと１つ以上の加速度計とを備える多機能デバイスによって実行された際に、前記デバイスに、
前記タッチスクリーンディスプレイ上に第１のアプリケーションのそれぞれのビューを縦方向の向きに表示させ、
前記それぞれのビューの中で第１のタッチジェスチャを検出させ、
前記第１のタッチジェスチャを検出するのに応じて、前記第１のアプリケーションの前記それぞれのビューを部分的に覆う前記第１のアプリケーションのポップアップビューを表示させ、
前記ポップアップビューの中で１つ以上の第２のタッチジェスチャを検出させ、
前記ポップアップビューの中で前記１つ以上の第２のタッチジェスチャを検出するのに応じて、前記第１のアプリケーションにおいて前記第１のアプリケーションの状態を更新する動作を行わせ、
前記ポップアップビューを表示している間に、縦方向の向きから横方向の向きへの前記多機能デバイスの回転を前記１つ以上の加速度計を用いて検出させ、
前記回転を検出するのに応じて、前記それぞれのビューを前記横方向の向きに変換させ、前記ポップアップビューを前記横方向の向きにおける前記それぞれのビューに沿ったサイドバーに変換させる
ことを特徴とするコンピュータ読み取り可能な記憶媒体。
【請求項７】
前記デバイスに、前記それぞれのビューに沿った前記サイドバーの表示を維持しながら、前記サイドバーにおけるタッチジェスチャを検出させ及び該タッチジェスチャに応答させる命令をさらに含むことを特徴とする、請求項６に記載のコンピュータ読み取り可能な記憶媒体。
【請求項８】
前記デバイスに、
横方向の向きから縦方向の向きへの前記多機能デバイスの回転を前記１つ以上の加速度計を用いて検出させ、
前記横方向の向きから前記縦方向の向きへの前記多機能デバイスの前記回転を検出するのに応じて、前記サイドバーを表示するのを中止させ、及び前記それぞれのビューを前記縦方向の向きに変換させる
命令をさらに含むことを特徴とする、請求項６に記載のコンピュータ読み取り可能な記憶媒体。
【請求項９】
前記デバイスに、
前記サイドバーの表示を中止した後に、前記それぞれのビューの中で第３のタッチジェスチャを検出させ、
前記第３のタッチジェスチャを検出するのに応じて、前記それぞれのビューを部分的に覆う前記ポップアップビューを表示させる
命令をさらに含むことを特徴とする、請求項６に記載のコンピュータ読み取り可能な記憶媒体。
【請求項１０】
前記デバイスに、
横方向の向きから縦方向の向きへの前記多機能デバイスの回転を前記１つ以上の加速度計を用いて検出させ、
前記横方向の向きから前記縦方向の向きへの前記多機能デバイスの前記回転を検出するのに応じて、前記それぞれのビューを前記縦方向の向きに変換させ、及び前記サイドバーを前記縦方向の向きにおける前記それぞれのビューの中のポップアップビューに変換させる
命令をさらに含むことを特徴とする、請求項６に記載のコンピュータ読み取り可能な記憶媒体。
【請求項１１】
タッチスクリーンディスプレイと１つ以上の加速度計とを備える多機能デバイスにおける方法であって、
前記タッチスクリーンディスプレイ上に第１のアプリケーションのそれぞれのビューを縦方向の向きに表示する工程と、
前記それぞれのビューの中で第１のタッチジェスチャを検出する工程と、
前記第１のタッチジェスチャを検出するのに応じて、前記第１のアプリケーションの前記それぞれのビューを部分的に覆う前記第１のアプリケーションのポップアップビューを表示する工程と、
前記ポップアップビューの中で１つ以上の第２のタッチジェスチャを検出する工程と、
前記ポップアップビューの中で前記１つ以上の第２のタッチジェスチャを検出するのに応じて、前記第１のアプリケーションにおいて前記第１のアプリケーションの状態を更新する動作を行う工程と、
前記ポップアップビューを表示している間に、縦方向の向きから横方向の向きへの前記多機能デバイスの回転を前記１つ以上の加速度計を用いて検出する工程と、
前記回転を検出するのに応じて、前記それぞれのビューを前記横方向の向きに変換し、前記ポップアップビューを前記横方向の向きにおける前記それぞれのビューに沿ったサイドバービューに変換する工程と、
を含むことを特徴とする方法。
【請求項１２】
前記それぞれのビューに沿った前記サイドバーの表示を維持しながら、前記サイドバーにおけるタッチジェスチャを検出し及び該タッチジェスチャに応答する工程をさらに含むことを特徴とする、請求項１１に記載の方法。
【請求項１３】
横方向の向きから縦方向の向きへの前記多機能デバイスの回転を前記１つ以上の加速度計を用いて検出する工程と、
前記横方向の向きから前記縦方向の向きへの前記多機能デバイスの前記回転を検出するのに応じて、前記サイドバーを表示するのを中止し、及び前記それぞれのビューを前記縦方向の向きに変換する工程と、
をさらに含むことを特徴とする、請求項１１に記載の方法。
【請求項１４】
前記サイドバーの表示を中止した後に、前記それぞれのビューの中で第３のタッチジェスチャを検出する工程と、
前記第３のタッチジェスチャを検出するのに応じて、前記それぞれのビューを部分的に覆う前記ポップアップビューを表示する工程と、
をさらに含むことを特徴とする、請求項１１に記載の方法。
【請求項１５】
横方向の向きから縦方向の向きへの前記多機能デバイスの回転を前記１つ以上の加速度計を用いて検出する工程と、
前記横方向の向きから前記縦方向の向きへの前記多機能デバイスの前記回転を検出するのに応じて、前記それぞれのビューを前記縦方向の向きに変換し、及び前記サイドバーを前記縦方向の向きにおける前記それぞれのビューの中のポップアップビューに変換する工程と、
をさらに含むことを特徴とする、請求項１１に記載の方法。
【請求項１６】
第１の多機能デバイスであって、
タッチスクリーンディスプレイと、
１つ以上のプロセッサと、
メモリと、
１つ以上のプログラムとを備え、
前記１つ以上のプログラムは、前記メモリの中に記憶され、前記１つ以上のプロセッサによって実行されるように構成されており、
前記１つ以上のプログラムは、
前記タッチスクリーンディスプレイ上に第１のアプリケーションのそれぞれのビューを表示し、
前記それぞれのビューの中で第１のタッチジェスチャを検出し、
前記第１のタッチジェスチャを検出するのに応じて、前記第１のアプリケーションの前記それぞれのビューを部分的に覆う前記第１のアプリケーションのポップアップビューを表示し、
前記ポップアップビューの中で１つ以上の第２のタッチジェスチャを検出し、
前記ポップアップビューの中で前記１つ以上の第２のタッチジェスチャを検出するのに応じて、前記第１のアプリケーションにおいて前記第１のアプリケーションの状態を更新する動作を行い、
前記ポップアップビューの表示を中止する
命令を含み、
前記ポップアップビューは、前記第１の多機能デバイスの前記タッチスクリーンディスプレイより解像度が低いタッチスクリーンディスプレイを有する第２の多機能デバイス上の対応する第１のアプリケーションにおける全画面幅ビューに対応する
ことを特徴とするデバイス。
【請求項１７】
前記ポップアップビューを表示している間に、縦方向の向きから横方向の向きへの前記第１の多機能デバイスの回転を検出し、
前記回転を検出するのに応じて、前記ポップアップビューを前記それぞれのビューに沿ったサイドバービューに変換する
命令をさらに含むことを特徴とする、請求項１６に記載のデバイス。
【請求項１８】
命令を含む１つ以上のプログラムを格納する、コンピュータ読み取り可能な記憶媒体であって、
前記命令は、タッチスクリーンディスプレイを備える第１の多機能デバイスによって実行された際に、前記デバイスに、
前記タッチスクリーンディスプレイ上に第１のアプリケーションのそれぞれのビューを表示させ、
前記それぞれのビューの中で第１のタッチジェスチャを検出させ、
前記第１のタッチジェスチャを検出するのに応じて、前記第１のアプリケーションの前記それぞれのビューを部分的に覆う前記第１のアプリケーションのポップアップビューを表示させ、
前記ポップアップビューの中で１つ以上の第２のタッチジェスチャを検出させ、
前記ポップアップビューの中で前記１つ以上の第２のタッチジェスチャを検出するのに応じて、前記第１のアプリケーションにおいて前記第１のアプリケーションの状態を更新する動作を行わせ、
前記ポップアップビューの表示を中止させる
命令を含み、
前記ポップアップビューは、前記第１の多機能デバイスの前記タッチスクリーンディスプレイより解像度が低いタッチスクリーンディスプレイを有する第２の多機能デバイス上の対応する第１のアプリケーションにおける全画面幅ビューに対応する
ことを特徴とするコンピュータ読み取り可能な記憶媒体。
【請求項１９】
前記デバイスに、
前記ポップアップビューを表示している間に、縦方向の向きから横方向の向きへの前記第１の多機能デバイスの回転を検出させ、
前記回転を検出するのに応じて、前記ポップアップビューを前記それぞれのビューに沿ったサイドバービューに変換させる
命令をさらに含むことを特徴とする、請求項１８に記載のコンピュータ読み取り可能な記憶媒体。
【請求項２０】
タッチスクリーンディスプレイを備える第１の多機能デバイスにおける方法であって、
前記タッチスクリーンディスプレイ上に第１のアプリケーションのそれぞれのビューを表示する工程と、
前記それぞれのビューの中で第１のタッチジェスチャを検出する工程と、
前記第１のタッチジェスチャを検出するのに応じて、前記第１のアプリケーションの前記それぞれのビューを部分的に覆う前記第１のアプリケーションのポップアップビューを表示する工程と、
前記ポップアップビューの中で１つ以上の第２のタッチジェスチャを検出する工程と、
前記ポップアップビューの中で前記１つ以上の第２のタッチジェスチャを検出するのに応じて、前記第１のアプリケーションにおいて前記第１のアプリケーションの状態を更新する動作を行う工程と、
前記ポップアップビューの表示を中止する工程と、
を含み、
前記ポップアップビューは、前記第１の多機能デバイスの前記タッチスクリーンディスプレイより解像度が低いタッチスクリーンディスプレイを有する第２の多機能デバイス上の対応する第１のアプリケーションにおける全画面幅ビューに対応する
ことを特徴とする方法。
【発明の詳細な説明】
【技術分野】
【０００１】
本発明は一般に、タッチセンシティブ表面を備えた電子デバイスに関するものであり、対話型ポップアップビューを用いるタッチセンシティブ表面を備えたデバイスを含むけれども、それらに限定されない。
【背景技術】
【０００２】
近年、タッチセンシティブ表面をコンピュータおよびその他の電子コンピューティングデバイス用の入力デバイスとして用いることが大幅に増えている。典型的なタッチセンシティブ表面には、タッチパッドやタッチスクリーンディスプレイなどがある。そのような表面は、ユーザインタフェースをナビゲートしてそれらと対話するのに広く用いられている。ユーザインタフェースと対話する１つのやり方は、ポップアップビュー（例えばウィンドウ）を介することである。
【０００３】
しかし、ポップアップビューを用いる既存の方法は、面倒であり、効率が悪い。例えば、ポップアップビューでは、所望の操作を行うのに必要以上の入力が求められる。そのようなポップアップビューを用いるのは退屈である。加えて、既存の方法は、必要以上に時間がかかり、それによってエネルギーを浪費する。この後者の動機は、電池で動作するデバイスでは特に重要である。
【発明の概要】
【０００４】
従って、ポップアップビューを用いるためのより迅速かつ効率的な方法およびインタフェースを備えたコンピューティングデバイスの必要性がある。そのような方法およびインタフェースは、ポップアップビューを用いるための従来の方法を補完または置換しうる。そのような方法およびインタフェースは、ユーザにかかる認知上の負担を軽減し、より効率的なヒューマン・マシン・インタフェースを実現する。電池で動作するコンピューティングデバイスにとっては、そのような方法およびインタフェースは、電力を節約し、次回の電池充電までの時間を増加させる。
【０００５】
タッチセンシティブ表面を備えたコンピューティングデバイス用のユーザインタフェースに関連する前述の欠如およびその他の問題が、開示されるデバイスによって軽減または解消される。各種の実施形態では、デバイスはデスクトップコンピュータであるが、他の実施形態では、デバイスは携帯用である（例えば、ノートパソコン、タブレットコンピュータ、またはハンドヘルドデバイス）。任意で、デバイスはタッチパッドを有する。あるいは、またはそれに加えて、デバイスはタッチセンシティブディスプレイ（「タッチスクリーン」または「タッチスクリーンディスプレイ」としても知られる）を有してもよい。デバイスは、グラフィカルユーザインタフェース（ＧＵＩ）と、１つ以上のプロセッサと、メモリと、１つ以上のモジュールと、プログラムと、または複数の機能を実行するためにメモリの中に記憶された命令の集合とを有する。機能には、画像編集と、描画と、プレゼンテーションと、文章処理と、ウェブサイト作成と、ディスクオーサリングと、表計算シート作成と、ゲームをすることと、電話を使うことと、テレビ会議をすることと、電子メールをすることと、インスタントメッセージングと、エクササイズのサポートと、デジタル写真撮影と、デジタルビデオ撮影と、インターネット閲覧と、デジタル音楽演奏と、および／またはデジタルビデオ視聴とが含まれうる。これらの機能を行うための実行可能な命令が、コンピュータ可読記憶媒体、または、１つ以上のプロセッサによる実行のために構成された、その他のコンピュータプログラム製品に含まれうる。ユーザは、主にタッチセンシティブ表面上の指の接触とジェスチャとを通して、ＧＵＩと対話する。
【０００６】
一部の実施形態によると、タッチスクリーンディスプレイを備えた多機能デバイスにおいて、或る方法が行われる。方法は、タッチスクリーンディスプレイ上に第１のアプリケーションのそれぞれのビューを表示することと、それぞれのビューの中で第１のタッチジェスチャを検出することとを含んでいる。第１のタッチジェスチャを検出するのに応じて、デバイスは、第１のアプリケーションのそれぞれのビューを部分的に覆う第１のアプリケーションのポップアップビューを表示する。ポップアップビューは、第１の多機能デバイスのタッチスクリーンディスプレイより解像度が低いタッチスクリーンディスプレイを有する第２の多機能デバイス上の対応する第１のアプリケーションにおける全画面幅ビューに対応する。また、方法は、ポップアップビューの中で１つ以上の第２のタッチジェスチャを検出することと、ポップアップビューの中で１つ以上の第２のタッチジェスチャを検出するのに応じて、第１のアプリケーションの状態を更新する第１のアプリケーションにおける動作を実行することとを含んでいる。方法はさらに、ポップアップビューの表示を中止することを含んでいる。
【０００７】
一部の実施形態によると、タッチスクリーンディスプレイと１つ以上の加速度計とを備えた多機能デバイスで行われる方法は、縦方向の向き（ポートレートの向き）においてタッチスクリーンディスプレイ上に第１のアプリケーションのそれぞれのビューを表示することと、それぞれのビューの中で第１のタッチジェスチャを検出することと、第１のタッチジェスチャを検出するのに応じて、第１のアプリケーションのそれぞれのビューを部分的に覆う第１のアプリケーションのポップアップビューを表示することとを含んでいる。また、方法は、ポップアップビューの中で１つ以上の第２のタッチジェスチャを検出することと、ポップアップビューの中で１つ以上の第２のタッチジェスチャを検出するのに応じて、第１のアプリケーションにおいて第１のアプリケーションの状態を更新する動作を行うこととを含んでいる。方法は、さらに、ポップアップビューを表示している間に、縦方向の向きから横方向の向き（風景の向き）への多機能デバイスの回転を１つ以上の加速度計を用いて検出することと、回転を検出するのに応じて、それぞれのビューを横方向の向きに変換することと、ポップアップビューを横方向の向きにおけるそれぞれのビューに沿ったサイドバーに変換することとを含んでいる。
【０００８】
一部の実施形態によると、多機能デバイスは、タッチスクリーンディスプレイと、１つ以上のプロセッサと、メモリと、１つ以上のプログラムとを含んでおり、１つ以上のプログラムは、メモリの中に記憶されていて、１つ以上のプロセッサによって実行されるように構成されており、そして、１つ以上のプログラムは、上記のいずれかの方法の操作を行うための命令を含んでいる。一部の実施形態によると、タッチスクリーンディスプレイとメモリとメモリの中に記憶された１つ以上のプログラムを実行するための１つ以上のプロセッサとを備えた多機能デバイス上のグラフィカルユーザインタフェースは、上記のいずれかの方法の中で表示される１つ以上の要素を含んでおり、それらの要素は、上記のいずれかの方法の中で記述したように、入力に応じて更新される。一部の実施形態によると、コンピュータ可読記憶媒体が、タッチスクリーンディスプレイを備えた多機能デバイスによって実行された場合に、デバイスに上記の方法のいずれかの操作を行わせる命令を記憶している。一部の実施形態によると、多機能デバイスが、タッチスクリーンディスプレイと、上記のいずれかの方法の操作を行うための手段とを含んでいる。一部の実施形態によると、タッチスクリーンディスプレイを備えた多機能デバイスで用いる情報処理装置が、上記のいずれかの方法の操作を行うための手段を含んでいる。
【０００９】
一部の実施形態によると、第１の多機能デバイスが、第１のアプリケーションのそれぞれのビューを表示するタッチスクリーンディスプレイユニットを含んでいる。タッチスクリーンディスプレイユニットには、処理ユニットが接続されている。処理ユニットは、タッチスクリーンディスプレイユニット上のそれぞれのビューの中で第１のタッチジェスチャを検出し、第１のタッチジェスチャの検出に応じて、第１のアプリケーションのそれぞれのビューを部分的に覆う第１のアプリケーションのポップアップビューのタッチスクリーンディスプレイユニット上の表示を可能にするように構成されており、ここで、ポップアップビューは、第１の多機能デバイスのタッチスクリーンディスプレイユニットより解像度の低いタッチスクリーンディスプレイを有する第２の多機能デバイス上の対応する第１のアプリケーションにおける全画面幅ビューに対応し、かつ、処理ユニットは、タッチスクリーンディスプレイユニット上のポップアップビューの中で１つ以上の第２のタッチジェスチャを検出し、ポップアップビューの中で１つ以上の第２のタッチジェスチャを検出するのに応じて第１のアプリケーションの状態を更新する第１のアプリケーションにおける動作を実行し、そして、タッチスクリーンディスプレイユニット上のポップアップビューの表示を中止するように構成されている。
【００１０】
一部の実施形態によると、多機能デバイスが、縦方向の向きにおいて第１のアプリケーションのそれぞれのビューを表示するタッチスクリーンディスプレイユニットと、向きの判定のためのデータを提供するように構成された１つ以上の加速度計と、タッチスクリーンディスプレイユニットおよび１つ以上の加速度計に接続された処理ユニットとを含んでいる。処理ユニットは、タッチスクリーンディスプレイユニット上のそれぞれのビューの中で第１のタッチジェスチャを検出し、第１のタッチジェスチャの検出に応じて、タッチスクリーンディスプレイユニット上の第１のアプリケーションのそれぞれのビューを部分的に覆う第１のアプリケーションのポップアップビューの表示を可能にし、タッチスクリーンディスプレイユニット上のポップアップビューの中で１つ以上の第２のタッチジェスチャを検出し、ポップアップビューの中で１つ以上の第２のタッチジェスチャを検出するのに応じて、第１のアプリケーションの状態を更新する第１のアプリケーションにおける動作を実行し、タッチスクリーンディスプレイユニット上にポップアップビューを表示している間に、縦方向の向きから横方向の向きへの多機能デバイスの回転を１つ以上の加速度計を用いて検出し、そして、回転を検出するのに応じて、タッチスクリーンディスプレイユニット上でそれぞれのビューを横方向の向きに変換し、タッチスクリーンディスプレイユニット上でポップアップビューをそれぞれのビューに沿ったサイドバービューに変換するように構成される。
【００１１】
それゆえ、タッチスクリーンディスプレイを備えた多機能デバイスが、対話型ポップアップビューを用いるためのより迅速で効率の良い方法およびインタフェースを備え、それによって、有効性と効率と、そのようなデバイスに対するユーザの満足とを高める。そのような方法およびインタフェースは、ポップアップビューを用いるための従来の方法を補完または置換しうる。
【図面の簡単な説明】
【００１２】
本発明の前述の諸実施形態およびさらなる諸実施形態をよりよく理解するため、下記の図面と併せて下記の「発明を実施するための形態」を参照するべきであり、図中、類似の参照番号は図面全体を通して対応する部分を指す。
【００１３】
【図１Ａ】一部の実施形態によるタッチセンシティブディスプレイを備えた携帯用多機能デバイスを示すブロック図である。
【図１Ｂ】一部の実施形態によるタッチセンシティブディスプレイを備えた携帯用多機能デバイスを示すブロック図である。
【図１Ｃ】一部の実施形態によるイベント処理のための例示的な構成要素を示すブロック図である。
【図２】一部の実施形態によるタッチスクリーンを有する携帯用多機能デバイスを示す図である。
【図３】一部の実施形態によるディスプレイとタッチセンシティブ表面とを備えた例示的な多機能デバイスのブロック図である。
【図４Ａ】一部の実施形態による携帯用多機能デバイス上のアプリケーションのメニューについての例示的なユーザインタフェースを示す図である。
【図４Ｂ】一部の実施形態による携帯用多機能デバイス上のアプリケーションのメニューについての例示的なユーザインタフェースを示す図である。
【図４Ｃ】一部の実施形態による、ディスプレイとは別のタッチセンシティブ表面を備えた多機能デバイスのための例示的なユーザインタフェースを示す図である。
【図５Ａ】一部の実施形態による、対話型ポップアップビューを用いるための例示的なユーザインタフェースを示す図である。
【図５Ｂ】一部の実施形態による、対話型ポップアップビューを用いるための例示的なユーザインタフェースを示す図である。
【図５Ｃ】一部の実施形態による、対話型ポップアップビューを用いるための例示的なユーザインタフェースを示す図である。
【図５Ｄ】一部の実施形態による、対話型ポップアップビューを用いるための例示的なユーザインタフェースを示す図である。
【図５Ｅ】一部の実施形態による、対話型ポップアップビューを用いるための例示的なユーザインタフェースを示す図である。
【図５Ｆ】一部の実施形態による、対話型ポップアップビューを用いるための例示的なユーザインタフェースを示す図である。
【図５Ｇ】一部の実施形態による、対話型ポップアップビューを用いるための例示的なユーザインタフェースを示す図である。
【図５Ｈ】一部の実施形態による、対話型ポップアップビューを用いるための例示的なユーザインタフェースを示す図である。
【図５Ｉ】一部の実施形態による、対話型ポップアップビューを用いるための例示的なユーザインタフェースを示す図である。
【図５Ｊ】一部の実施形態による、対話型ポップアップビューを用いるための例示的なユーザインタフェースを示す図である。
【図５Ｋ】一部の実施形態による、対話型ポップアップビューを用いるための例示的なユーザインタフェースを示す図である。
【図５Ｌ】一部の実施形態による、対話型ポップアップビューを用いるための例示的なユーザインタフェースを示す図である。
【図５Ｍ】一部の実施形態による、対話型ポップアップビューを用いるための例示的なユーザインタフェースを示す図である。
【図５Ｎ】一部の実施形態による、対話型ポップアップビューを用いるための例示的なユーザインタフェースを示す図である。
【図５Ｏ】一部の実施形態による、対話型ポップアップビューを用いるための例示的なユーザインタフェースを示す図である。
【図５Ｐ】一部の実施形態による、対話型ポップアップビューを用いるための例示的なユーザインタフェースを示す図である。
【図５Ｑ】一部の実施形態による、対話型ポップアップビューを用いるための例示的なユーザインタフェースを示す図である。
【図５Ｒ】一部の実施形態による、対話型ポップアップビューを用いるための例示的なユーザインタフェースを示す図である。
【図５Ｓ】一部の実施形態による、対話型ポップアップビューを用いるための例示的なユーザインタフェースを示す図である。
【図５Ｔ】一部の実施形態による、対話型ポップアップビューを用いるための例示的なユーザインタフェースを示す図である。
【図５Ｕ】一部の実施形態による、対話型ポップアップビューを用いるための例示的なユーザインタフェースを示す図である。
【図５Ｖ】一部の実施形態による、対話型ポップアップビューを用いるための例示的なユーザインタフェースを示す図である。
【図５Ｗ】一部の実施形態による、対話型ポップアップビューを用いるための例示的なユーザインタフェースを示す図である。
【図５Ｘ】一部の実施形態による、対話型ポップアップビューを用いるための例示的なユーザインタフェースを示す図である。
【図５Ｙ】一部の実施形態による、対話型ポップアップビューを用いるための例示的なユーザインタフェースを示す図である。
【図５Ｚ】一部の実施形態による、対話型ポップアップビューを用いるための例示的なユーザインタフェースを示す図である。
【図５ＡＡ】一部の実施形態による、対話型ポップアップビューを用いるための例示的なユーザインタフェースを示す図である。
【図５ＢＢ】一部の実施形態による、対話型ポップアップビューを用いるための例示的なユーザインタフェースを示す図である。
【図５ＣＣ】一部の実施形態による、対話型ポップアップビューを用いるための例示的なユーザインタフェースを示す図である。
【図５ＤＤ】一部の実施形態による、対話型ポップアップビューを用いるための例示的なユーザインタフェースを示す図である。
【図５ＥＥ】一部の実施形態による、対話型ポップアップビューを用いるための例示的なユーザインタフェースを示す図である。
【図５ＦＦ】一部の実施形態による、対話型ポップアップビューを用いるための例示的なユーザインタフェースを示す図である。
【図５ＧＧ】一部の実施形態による、対話型ポップアップビューを用いるための例示的なユーザインタフェースを示す図である。
【図５ＨＨ】一部の実施形態による、対話型ポップアップビューを用いるための例示的なユーザインタフェースを示す図である。
【図５ＩＩ】一部の実施形態による、対話型ポップアップビューを用いるための例示的なユーザインタフェースを示す図である。
【図５ＪＪ】一部の実施形態による、対話型ポップアップビューを用いるための例示的なユーザインタフェースを示す図である。
【図５ＫＫ】一部の実施形態による、対話型ポップアップビューを用いるための例示的なユーザインタフェースを示す図である。
【図５ＬＬ】一部の実施形態による、対話型ポップアップビューを用いるための例示的なユーザインタフェースを示す図である。
【図５ＭＭ】一部の実施形態による、対話型ポップアップビューを用いるための例示的なユーザインタフェースを示す図である。
【図５ＮＮ】一部の実施形態による、対話型ポップアップビューを用いるための例示的なユーザインタフェースを示す図である。
【図５ＯＯ】一部の実施形態による、対話型ポップアップビューを用いるための例示的なユーザインタフェースを示す図である。
【図５ＰＰ】一部の実施形態による、対話型ポップアップビューを用いるための例示的なユーザインタフェースを示す図である。
【図５ＱＱ】一部の実施形態による、対話型ポップアップビューを用いるための例示的なユーザインタフェースを示す図である。
【図５ＲＲ】一部の実施形態による、対話型ポップアップビューを用いるための例示的なユーザインタフェースを示す図である。
【図５ＳＳ】一部の実施形態による、対話型ポップアップビューを用いるための例示的なユーザインタフェースを示す図である。
【図５ＴＴ】一部の実施形態による、対話型ポップアップビューを用いるための例示的なユーザインタフェースを示す図である。
【図５ＵＵ】一部の実施形態による、対話型ポップアップビューを用いるための例示的なユーザインタフェースを示す図である。
【図５ＶＶ】一部の実施形態による、対話型ポップアップビューを用いるための例示的なユーザインタフェースを示す図である。
【図５ＷＷ】一部の実施形態による、対話型ポップアップビューを用いるための例示的なユーザインタフェースを示す図である。
【図５ＸＸ】一部の実施形態による、対話型ポップアップビューを用いるための例示的なユーザインタフェースを示す図である。
【図５ＹＹ】一部の実施形態による、対話型ポップアップビューを用いるための例示的なユーザインタフェースを示す図である。
【図５ＺＺ】一部の実施形態による、対話型ポップアップビューを用いるための例示的なユーザインタフェースを示す図である。
【図５ＡＡＡ】一部の実施形態による、対話型ポップアップビューを用いるための例示的なユーザインタフェースを示す図である。
【図５ＢＢＢ】一部の実施形態による、対話型ポップアップビューを用いるための例示的なユーザインタフェースを示す図である。
【図５ＣＣＣ】一部の実施形態による、対話型ポップアップビューを用いるための例示的なユーザインタフェースを示す図である。
【図５ＤＤＤ】一部の実施形態による、対話型ポップアップビューを用いるための例示的なユーザインタフェースを示す図である。
【図５ＥＥＥ】一部の実施形態による、対話型ポップアップビューを用いるための例示的なユーザインタフェースを示す図である。
【図５ＦＦＦ】一部の実施形態による、対話型ポップアップビューを用いるための例示的なユーザインタフェースを示す図である。
【図５ＧＧＧ】一部の実施形態による、対話型ポップアップビューを用いるための例示的なユーザインタフェースを示す図である。
【図５ＨＨＨ】一部の実施形態による、対話型ポップアップビューを用いるための例示的なユーザインタフェースを示す図である。
【図５ＩＩＩ】一部の実施形態による、対話型ポップアップビューを用いるための例示的なユーザインタフェースを示す図である。
【図５ＪＪＪ】一部の実施形態による、対話型ポップアップビューを用いるための例示的なユーザインタフェースを示す図である。
【図５ＫＫＫ】一部の実施形態による、対話型ポップアップビューを用いるための例示的なユーザインタフェースを示す図である。
【図５ＬＬＬ】一部の実施形態による、対話型ポップアップビューを用いるための例示的なユーザインタフェースを示す図である。
【図６Ａ】一部の実施形態による対話型ポップアップビューを用いる方法を示すフロー図である。
【図６Ｂ】一部の実施形態による対話型ポップアップビューを用いる方法を示すフロー図である。
【図７Ａ】一部の実施形態によるポップアップビューをサイドバーに変換する方法を示すフロー図である。
【図７Ｂ】一部の実施形態によるポップアップビューをサイドバーに変換する方法を示すフロー図である。
【図８】一部の実施形態による電子デバイスの機能ブロック図である。
【図９】一部の実施形態による電子デバイスの機能ブロック図である。
【発明を実施するための形態】
【００１４】
次に、実施形態について詳細に説明し、それらの例を添付の図面に示す。以下の詳細記述では、本発明の十分な理解を提供するために、多くの特定の詳細が記述されている。しかし、当業者には明らかであろうが、本発明は、これらの特定の詳細がなくても実施されうる。その他の事例では、周知の方法、手順、構成要素、回路およびネットワークは、実施形態の態様を不要にあいまいにしないように、詳細には記述していない。
【００１５】
また理解されるであろうが、第１、第２などの用語は、本明細書では、各種の要素（エレメント）を記述するために使用されうるけれども、これらの要素はこれらの用語によって限定されるべきでない。これらの用語は、要素と要素とを区別するためだけに用いられている。例えば、本発明の範囲から逸脱することなく、第１の接触は第２の接触と呼ばれてもよいだろうし、同様に、第２の接触が第１の接触と呼ばれてもよいだろう。第１の接触と第２の接触とは、どちらも接触であるが、同じ接触ではない。
【００１６】
本明細書で本発明の記述の中で用いられる用語は、特定の実施形態を記述することを目的としており、本発明を限定することを意図していない。本発明の記述および添付の請求項で用いられる場合、単数形「ａ」、「ａｎ」、「ｔｈｅ」は、文脈が別に明示しない限り、複数形も同様に含むことを意図する。さらに理解されるであろうが、「および／または(and/or)」という用語は、本明細書で用いられる場合、関連するリストされた項目のうちの１つ以上のいずれかの、または、すべての起こりうる組み合わせを言及し、それを包含する。さらに理解されるであろうが、「含む(include)」、「含んでいる(including)」、「備える(comprise)」および／または「備えている(comprising)」という用語は、本明細書で用いられる場合、述べられた特徴、整数、ステップ、動作、要素および／または構成要素の存在を明記するが、１つ以上の他の特徴、整数、ステップ、動作、要素、構成要素、および／またはそれらのグループの存在もしくは追加を排除しない。
【００１７】
本明細書では、「もしも(if)」は、文脈に依存して、「する時(when)」または「した時点で(upon)」または「判定したことに応じて(in response to determining)」または「検出したことに応じて(in response to detecting)」を意味すると解釈されてもよい。同様に、「と判定された場合(if it is determined)」または「［述べられた条件またはイベント］が検出された場合(if [a stated condition or event] is detected)」は、文脈に依存して、「判定した時点で(upon determining)」または「判定したことに応じて(in response to determining)」または「［述べられた条件またはイベント］を検出した時点で(upon detecting [the stated condition or event])」または「［述べられた条件またはイベント］を検出したことに応じて(in response to detecting [the stated condition or event])」を意味すると解釈されてもよい。
【００１８】
本明細書では、ディスプレイの「解像度(resolution)」という用語は、ディスプレイの個々の軸に沿った、または個々の次元における、ピクセルの数（「ピクセルカウント(pixel count)」または「ピクセル解像度(pixel resolution)」とも呼ばれる）のことを言う。例えば、ディスプレイが、３２０×４８０ピクセルの解像度を持っていてもよい。さらに、本明細書では、多機能デバイスの「解像度(resolution)」は、多機能デバイスの中のディスプレイの解像度を言う。「解像度(resolution)」という用語は、個々のピクセルのサイズまたはピクセルの間隔に関する何らかの制限を意味しない。例えば、１０２４×７６８ピクセルの解像度を持つ第１のディスプレイと比べて、３２０×４８０ピクセルの解像度を持つ第２のディスプレイは、解像度が低い。しかし、留意されるべきだが、ディスプレイの物理的大きさは、ピクセル解像度だけに依存するのではなく、ピクセルのサイズおよびピクセルの間隔を含めた多くの他の因子にも依存する。従って、第１のディスプレイは、第２のディスプレイと比べて、大きさが同じ、小さい、または大きいことがある。
【００１９】
本明細書では、ディスプレイの「ビデオ解像度(video resolution)」という用語は、ディスプレイの個々の軸に沿った、または個々の次元における、ピクセルの密度のことを言う。ビデオ解像度は、ＤＰＩ（ｄｏｔｓ−ｐｅｒ−ｉｎｃｈ）の単位で測られることが多く、これは、ディスプレイのそれぞれの次元に沿った１インチの範囲の中に一列に入れることのできるピクセルの数を数えるものである。
【００２０】
コンピューティングデバイス、そのようなデバイスのためのユーザインタフェース、およびそのようなデバイスを使用するための関連プロセスの実施形態について記述する。一部の実施形態では、コンピューティングデバイスは、携帯用通信デバイス、例えば移動電話であり、その他の機能、例えばＰＤＡおよび／または音楽プレーヤ機能も有している。携帯用多機能デバイスの例示的な実施形態には、限定することなく、カリフォルニア州ＣｕｐｅｒｔｉｎｏのＡｐｐｌｅ  Ｉｎｃ．のｉＰｈｏｎｅ（登録商標）およびｉＰｏｄ  Ｔｏｕｃｈ（登録商標）デバイスが含まれる。また、その他の携帯用デバイス、例えばタッチセンシティブ表面（例えばタッチスクリーンディスプレイおよび／またはタッチパッド）を持つラップトップコンピュータまたはタブレットコンピュータが用いられてもよい。また、理解されるべきだが、一部の実施形態では、デバイスは、携帯用通信デバイスではなく、タッチセンシティブ表面（例えばタッチスクリーンディスプレイおよび／またはタッチパッド）を持つデスクトップコンピュータである。
【００２１】
下記の議論では、ディスプレイおよびタッチセンシティブ表面を含むコンピューティングデバイスについて記述する。しかし、理解されるべきだが、コンピューティングデバイスは、１つ以上の他の物理的ユーザインタフェースデバイス、例えば物理的キーボード、マウス、および／またはジョイスティックを含んでいてもよい。
【００２２】
デバイスは多様なアプリケーション、例えば、描画アプリケーション、プレゼンテーションアプリケーション、文章処理アプリケーション、ウェブサイト作成アプリケーション、ディスクオーサリングアプリケーション、表計算アプリケーション、ゲームアプリケーション、電話アプリケーション、テレビ会議アプリケーション、電子メールアプリケーション、インスタントメッセージングアプリケーション、エクササイズ(workout)サポートアプリケーション、写真管理アプリケーション、デジタルカメラアプリケーション、デジタルビデオカメラアプリケーション、インターネット閲覧アプリケーション、デジタル音楽プレーヤアプリケーション、および／またはデジタルビデオプレーヤアプリケーションのうちの１つ以上をサポートする。
【００２３】
デバイス上で実行されうる各種のアプリケーションは、少なくとも１つの共通の物理的ユーザインタフェースデバイス、例えばタッチセンシティブ表面を使用してもよい。タッチセンシティブ表面の１つ以上の機能、およびデバイス上に表示される対応する情報は、アプリケーション毎に、および／または、それぞれのアプリケーションの中で、調整されたり、および／または、変更されたりしてもよい。このようにして、デバイスの共通の物理的アーキテクチャ（例えばタッチセンシティブ表面）は、ユーザにとって直感的かつ透過的なユーザインタフェースを使って多様なアプリケーションをサポートしうる。
【００２４】
ユーザインタフェースは、１つ以上のソフトキーボードの実施形態を含んでいてもよい。ソフトキーボードの実施形態は、表示されたキーボードのアイコン上に標準の（ＱＷＥＲＴＹ）および／または標準でない構成のシンボルを含んでいてもよく、それらは例えば、２００６年７月２４日に出願された米国特許出願第１１／４５９，６０６号「Ｋｅｙｂｏａｒｄｓ  ｆｏｒ  Ｐｏｒｔａｂｌｅ  Ｅｌｅｃｔｒｏｎｉｃ  Ｄｅｖｉｃｅｓ」および２００６年７月２４日に出願された米国特許出願第１１／４５９，６１５号「Ｔｏｕｃｈ  Ｓｃｒｅｅｎ  Ｋｅｙｂｏａｒｄｓ  Ｆｏｒ  Ｐｏｒｔａｂｌｅ  Ｅｌｅｃｔｒｏｎｉｃ  Ｄｅｖｉｃｅｓ」に記述されており、その内容を全部、参照により本願に援用する。キーボードの実施形態の中には、既存の物理的キーボード、例えばタイプライタのキーボードにあるキーの数と比べてアイコン（またはソフトキー）の数が少ない実施形態があってもよい。これによって、ユーザは、キーボードの中の１つ以上のアイコン、それゆえ、１つ以上の対応するシンボルを選択するのがより容易になる。キーボードの実施形態は、適応的であってよい。例えば、表示されたアイコンが、例えば１つ以上のアイコンおよび／または１つ以上の対応するシンボルを選択するようなユーザの動作に従って修正されてもよい。デバイス上の１つ以上のアプリケーションが、共通の、および／または異なるキーボード実施形態を利用してもよい。それゆえ、使用されるキーボードの実施形態は、少なくとも一部のアプリケーションに合わせてカスタマイズされてもよい。一部の実施形態では、１つ以上のキーボードの実施形態が、それぞれのユーザに合わせてカスタマイズされてもよい。例えば、１つ以上のキーボードの実施形態が、それぞれのユーザの言葉の利用履歴（辞書編集法、スラング、個別の用途）に基づいてそれぞれのユーザに合わせてカスタマイズされてもよい。一部のキーボードの実施形態は、ソフトキーボードの実施形態を用いる時に、１つ以上のアイコンを、それゆえ１つ以上のシンボルを、選択する場合にユーザエラーの確率を減らすように調整されてもよい。
【００２５】
次に、タッチセンシティブディスプレイを備えた携帯用デバイスの実施形態に注意を向けよう。図１Ａおよび図１Ｂは、一部の実施形態による、タッチセンシティブディスプレイ１１２を持つ携帯用多機能デバイス１００を示すブロック図である。タッチセンシティブディスプレイ１１２は、便宜上「タッチスクリーン」と呼ばれることもあり、また、タッチセンシティブディスプレイシステムとして知られ、またはそう呼ばれることもある。デバイス１００は、メモリ１０２（１つ以上のコンピュータ可読記憶媒体を含みうる）と、メモリコントローラ１２２と、１つ以上の処理ユニット（ＣＰＵ）１２０と、周辺装置インタフェース１１８と、ＲＦ回路部１０８と、音声回路部１１０と、スピーカ１１１と、マイク１１３と、入力／出力（Ｉ／Ｏ）サブシステム１０６と、他の入力または制御デバイス１１６と、外部ポート１２４とを含んでいてもよい。デバイス１００は、１つ以上の光センサ１６４を含んでいてもよい。これらの構成要素は、１つ以上のコミュニケーションバスまたは信号線１０３を経て通信してもよい。
【００２６】
理解されるべきだが、デバイス１００は、携帯用多機能デバイスの一例にすぎず、デバイス１００は、図示するより構成要素が多いことも少ないこともあり、２つ以上の構成要素を組み合わせることもあり、あるいは、構成要素の別の構成または配置を有することもある。図１Ａおよび図１Ｂに示す各種の構成要素は、ハードウェア、ソフトウェア、またはハードウェアとソフトウェアの両方の組み合わせとして、１つ以上の信号処理回路および／または特定用途向け集積回路を含めて実装されてもよい。
【００２７】
メモリ１０２は、高速ランダムアクセスメモリを含んでいてもよく、また、不揮発性メモリ、例えば１つ以上の磁気ディスクストレージデバイス、フラッシュメモリデバイス、またはその他の不揮発性ソリッドステートメモリデバイスを含んでいてもよい。メモリ１０２へのデバイス１００の他のコンポーネント、例えばＣＰＵ１２０および周辺インタフェース１１８によるアクセスは、メモリコントローラ１２２によって制御されてもよい。
【００２８】
周辺装置インタフェース１１８を用いて、デバイスの入出力周辺装置をＣＰＵ１２０およびメモリ１０２に接続することができる。１つ以上のプロセッサ１２０は、各種のソフトウェアプログラムおよび／またはメモリ１０２の中に記憶された命令の集合を動作させるかまたは実行して、デバイス１００についての各種の機能を行い、データを処理する。
【００２９】
一部の実施形態では、周辺装置インタフェース１１８と、ＣＰＵ１２０と、メモリコントローラ１２２とは、例えばチップ１０４のような単一のチップ上に実装されてもよい。一部の実施形態では、それらは別個のチップ上に実装されてもよい。
【００３０】
ＲＦ（ｒａｄｉｏ  ｆｒｅｑｕｅｎｃｙ）回路部１０８は、電磁信号とも呼ばれるＲＦ信号を送受信する。ＲＦ回路部１０８は、電気信号を電磁信号に、電磁信号を電気信号に変換し、電磁信号を介して通信ネットワークおよびその他の通信デバイスと通信する。ＲＦ回路部１０８は、アンテナシステムと、ＲＦトランシーバと、１つ以上の増幅器と、チューナと、１つ以上のオシレータと、デジタル信号プロセッサと、ＣＯＤＥＣチップセットと、ＳＩＭ（ｓｕｂｓｃｒｉｂｅｒ  ｉｄｅｎｔｉｔｙ  ｍｏｄｕｌｅ）カードと、メモリと、等々を含めて、これらの機能を行うための周知の回路部を含んでいてもよいが、それらに限定されない。ＲＦ回路部１０８は、ＷＷＷ（Ｗｏｒｌｄ  Ｗｉｄｅ  Ｗｅｂ）とも呼ばれるインターネット、イントラネット、および／または、セルラー電話ネットワーク、ワイヤレスローカルエリアネットワーク（ＬＡＮ）、および／またはメトロポリタンエリアネットワーク（ＭＡＮ）のようなワイヤレスネットワーク、のようなネットワークとワイヤレス通信によって通信してもよいし、その他のデバイスとワイヤレス通信によって通信してもよい。ワイヤレス通信は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＥＤＧＥ（Ｅｎｈａｎｃｅｄ  Ｄａｔａ  ＧＳＭ（登録商標）  Ｅｎｖｉｒｏｎｍｅｎｔ）、ＨＳＤＰＡ（ｈｉｇｈ−ｓｐｅｅｄ  ｄｏｗｎｌｉｎｋ  ｐａｃｋｅｔ  ａｃｃｅｓｓ）、Ｗ−ＣＤＭＡ（ｗｉｄｅｂａｎｄ  ｃｏｄｅ  ｄｉｖｉｓｉｏｎ  ｍｕｌｔｉｐｌｅ  ａｃｃｅｓｓ）、ＣＤＭＡ（ｃｏｄｅ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（例えばＩＥＥＥ８０２．１１ａ、ＩＥＥＥ８０２．１１ｂ、ＩＥＥＥ８０２．１１ｇおよび／またはＩＥＥＥ８０２．１１ｎ）、ＶｏＩＰ（ｖｏｉｃｅ  ｏｖｅｒ  Ｉｎｔｅｒｎｅｔ  Ｐｒｏｔｏｃｏｌ）、Ｗｉ−ＭＡＸ、電子メール用のプロトコル（例えばＩＭＡＰ（Ｉｎｔｅｒｎｅｔ  ｍｅｓｓａｇｅ  ａｃｃｅｓｓ  ｐｒｏｔｏｃｏｌ）および／またはＰＯＰ（ｐｏｓｔ  ｏｆｆｉｃｅ  ｐｒｏｔｏｃｏｌ））、インスタントメッセージング（例えばＸＭＰＰ（ｅｘｔｅｎｓｉｂｌｅ  ｍｅｓｓａｇｉｎｇ  ａｎｄ  ｐｒｅｓｅｎｃｅ  ｐｒｏｔｏｃｏｌ）、ＳＩＭＰＬＥ（Ｓｅｓｓｉｏｎ  Ｉｎｉｔｉａｔｉｏｎ  Ｐｒｏｔｏｃｏｌ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ）、ＩＭＰＳ（Ｉｎｓｔａｎｔ  Ｍｅｓｓａｇｉｎｇ  ａｎｄ  Ｐｒｅｓｅｎｃｅ  Ｓｅｒｖｉｃｅ））、および／または、ＳＭＳ（Ｓｈｏｒｔ  Ｍｅｓｓａｇｅ  Ｓｅｒｖｉｃｅ）、あるいはいずれかの他の適切な通信プロトコル（本明細書の提出日の時点ではまだ開発されていない通信プロトコルを含む）を含めるがそれらに限定されない、複数の通信標準、プロトコル、および技術のいずれを使用してもよい。
【００３１】
音声回路部１１０と、スピーカ１１１と、マイク１１３とは、ユーザとデバイス１００との間の音声インタフェースを提供する。音声回路部１１０は、周辺装置インタフェース１１８から音声データを受信し、音声データを電気信号に変換し、電気信号をスピーカ１１１に送信する。スピーカ１１は、電気信号を人間に聞こえる音波に変換する。また、音声回路部１１０は、音波からマイク１１３によって変換された電気信号を受信する。音声回路部１１０は、電気信号を音声データに変換し、音声データを処理するために周辺装置インタフェース１１８へ送信する。音声データは、周辺装置インタフェース１１８によって、メモリ１０２および／またはＲＦ回路部１０８から取得されるか、および／または、メモリ１０２および／またはＲＦ回路部１０８へ送信されてもよい。また、一部の実施形態では、音声回路部１１０は、ヘッドフォンジャック（例えば図２の２１２）を含んでいる。ヘッドフォンジャックは、音声回路部１１０と、例えば出力のみのヘッドフォンや出力（例えば片耳または両耳用のヘッドフォン）と入力（例えばマイク）とを備えたヘッドフォンのような、着脱式音声入力／出力周辺装置との間のインタフェースを提供する。
【００３２】
Ｉ／Ｏサブシステム１０６は、デバイス１００の入力／出力周辺装置、例えばタッチスクリーン１１２およびその他の入力制御デバイス１１６を、周辺装置インタフェース１１８に接続する。Ｉ／Ｏサブシステム１０６は、ディスプレイコントローラ１５６と、その他の入力または制御デバイス用の１つ以上の入力コントローラ１６０とを含んでいてもよい。１つ以上の入力コントローラ１６０は、その他の入力または制御デバイス１１６との間で電気信号の送受信を行う。その他の入力または制御デバイス１１６には、物理的ボタン（例えばプッシュボタン、ロッカーボタン等）、ダイヤル、スライド式スイッチ、ジョイスティック、クリックホイール等が含まれてもよい。一部の代替的実施形態では、入力コントローラ１６０は、キーボード、赤外線ポート、ＵＳＢポート、および例えばマウスのようなポインタデバイスのうちのいずれかに接続されても（あるいは、まったくされなくても）よい。１つ以上のボタン（例えば図２の２０８）は、スピーカ１１１および／またはマイク１１３の音量調節のための上／下ボタンを含んでいてもよい。１つ以上のボタンは、プッシュボタン（例えば図２の２０６）を含んでいてもよい。すばやくプッシュボタンを押すことにより、タッチスクリーン１１２のロックをはずすかまたは、デバイスのロックを解除するためにタッチスクリーン上でジェスチャを用いるプロセスを開始してもよく、それについては、２００５年１２月２３日に出願した米国特許出願第１１／３２２，５４９号「Ｕｎｌｏｃｋｉｎｇ  ａ  Ｄｅｖｉｃｅ  ｂｙ  Ｐｅｒｆｏｒｍｉｎｇ  Ｇｅｓｔｕｒｅｓ  ｏｎ  ａｎ  Ｕｎｌｏｃｋ  Ｉｍａｇｅ」に記述されており、それをそのまま全部、参照により本願に援用する。プッシュボタン（例えば２０６）を長めに押すことにより、デバイス１００の電源をオンまたはオフにしてもよい。ユーザが、１つ以上のボタンの機能性をカスタマイズすることができてもよい。バーチャルボタンもしくはソフトボタンおよび１つ以上のソフトキーボードを実装するのに、タッチスクリーン１１２が用いられる。
【００３３】
タッチセンシティブディスプレイ１１２は、デバイスとユーザとの間の入力インタフェースおよび出力インタフェースを提供する。ディスプレイコントローラ１５６は、タッチスクリーン１１２との間で電気信号を送受信する。タッチスクリーン１１２は、視覚的出力をユーザに表示する。視覚的出力は、グラフィックスと、テキストと、アイコンと、ビデオと、それらのいずれかの組み合わせと（集合的に「グラフィックス」と称する）を含んでいてもよい。一部の実施形態では、視覚的出力の一部または全部が、ユーザインタフェースのオブジェクトに対応していてもよい。
【００３４】
タッチスクリーン１１２は、タッチセンシティブ表面と、触覚および／または触感による接触に基づいてユーザからの入力を受け入れるセンサまたはセンサの集合とを有する。タッチスクリーン１１２およびディスプレイコントローラ１５６は（メモリ１０２の中のいずれかの関連のモジュールおよび／または命令の集合と共に）、タッチスクリーン１１２上の接触（および接触の移動または中断）を検出し、検出した接触を、タッチスクリーン１１２上に表示されるユーザインタフェースオブジェクト（例えば１つ以上のソフトキー、アイコン、ウェブページ、または画像）との対話に変換する。例示的な一実施形態では、タッチスクリーン１１２とユーザとの間の接点は、ユーザの指に対応する。
【００３５】
タッチスクリーン１１２は、ＬＣＤ（ｌｉｑｕｉｄ  ｃｒｙｓｔａｌ  ｄｉｓｐｌａｙ）技術、ＬＰＤ（ｌｉｇｈｔ  ｅｍｉｔｔｉｎｇ  ｐｏｌｙｍｅｒ  ｄｉｓｐｌａｙ）技術、またはＬＥＤ（ｌｉｇｈｔ  ｅｍｉｔｔｉｎｇ  ｄｉｏｄｅ）技術を用いてもよいが、他の実施形態では他のディスプレイ技術が用いられてもよい。タッチスクリーン１１２およびディスプレイコントローラ１５６は、接触またはいずれかの動作またはその中断を、静電容量、抵抗、赤外線、表面音波だけでなく、タッチスクリーン１１２との１つ以上の接点を判定するための他の近接センサアレーまたは他の要素も含むけれどもそれらに限定されることなく、現在既知であるか今後開発される複数のタッチセンシング技術のいずれを用いて検出してもよい。例示的な一実施形態では、カリフォルニア州ＣｕｐｅｒｔｉｎｏのＡｐｐｌｅ  Ｉｎｃ．製のｉＰｈｏｎｅ（登録商標）およびｉＰｏｄ  Ｔｏｕｃｈ（登録商標）にみられるような、投影型相互静電容量センシング技術が用いられている。
【００３６】
タッチスクリーン１１２の一部の実施形態におけるタッチセンシティブディスプレイは、米国特許第６，３２３，８４６号（Ｗｅｓｔｅｒｍａｎ他）、第６，５７０，５５７号（Ｗｅｓｔｅｒｍａｎ他）、および／または第６，６７７，９３２号（Ｗｅｓｔｅｒｍａｎ）、および／または米国特許公開第２００２／００１５０２４Ａ１のなかに記述されたマルチタッチ・センシティブ・タッチパッドに類似していてもよく、その各々をそのまま全部、参照により本願に援用する。しかし、タッチスクリーン１１２は、携帯用デバイス１００からの視覚的な出力を表示するが、タッチセンシティブタッチパッドは、視覚的な出力を提供しない。
【００３７】
タッチスクリーン１１２の一部の実施形態におけるタッチセンシティブディスプレイが、以下の出願の中に記述されたようであってよい。すなわち、（１）２００６年５月２日に出願された米国特許出願第１１／３８１，３１３号「Ｍｕｌｔｉｐｏｉｎｔ  Ｔｏｕｃｈ  Ｓｕｒｆａｃｅ  Ｃｏｎｔｒｏｌｌｅｒ」、（２）２００４年５月６日に出願された米国特許出願第１０／８４０，８６２号「Ｍｕｌｔｉｐｏｉｎｔ  Ｔｏｕｃｈｓｃｒｅｅｎ」、（３）２００４年７月３０日に出願された米国特許出願第１０／９０３，９６４号「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（４）２００５年１月３１日に出願された米国特許出願第１１／０４８，２６４号「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（５）２００５年１月１８日に出願された米国特許出願第１１／０３８，５９０号「Ｍｏｄｅ−Ｂａｓｅｄ  Ｇｒａｐｈｉｃａｌ  Ｕｓｅｒ  Ｉｎｔｅｒｆａｃｅｓ  Ｆｏｒ  Ｔｏｕｃｈ  Ｓｅｎｓｉｔｉｖｅ  Ｉｎｐｕｔ  Ｄｅｖｉｃｅｓ」、（６）２００５年９月１６日に出願された米国特許出願第１１／２２８，７５８号「Ｖｉｒｔｕａｌ  Ｉｎｐｕｔ  Ｄｅｖｉｃｅ  Ｐｌａｃｅｍｅｎｔ  Ｏｎ  Ａ  Ｔｏｕｃｈ  Ｓｃｒｅｅｎ  Ｕｓｅｒ  Ｉｎｔｅｒｆａｃｅ」、（７）２００５年９月１６日に出願された米国特許出願第１１／２２８，７００号「Ｏｐｅｒａｔｉｏｎ  Ｏｆ  Ａ  Ｃｏｍｐｕｔｅｒ  Ｗｉｔｈ  Ａ  Ｔｏｕｃｈ  Ｓｃｒｅｅｎ  Ｉｎｔｅｒｆａｃｅ」、（８）２００５年９月１６日に出願された米国特許出願第１１／２２８，７３７号「Ａｃｔｉｖａｔｉｎｇ  Ｖｉｒｔｕａｌ  Ｋｅｙｓ  Ｏｆ  Ａ  Ｔｏｕｃｈ−Ｓｃｒｅｅｎ  Ｖｉｒｔｕａｌ  Ｋｅｙｂｏａｒｄ」、および、（９）２００６年３月３日に出願された米国特許出願第１１／３６７，７４９号「Ｍｕｌｔｉ−Ｆｕｎｃｔｉｏｎａｌ  Ｈａｎｄ−Ｈｅｌｄ  Ｄｅｖｉｃｅ」である。これらの出願のすべてを、そのまま全部、参照により本願に援用する。
【００３８】
タッチスクリーン１１２は、１００ｄｐｉを超えるビデオ解像度を有してもよい。一部の実施形態では、タッチスクリーンは、およそ１６０ｄｐｉのビデオ解像度を有する。ユーザは、いずれかの適切なオブジェクトまたは付属物、例えばスタイラス、指等を用いて、タッチスクリーン１１２に接触してもよい。一部の実施形態では、ユーザインタフェースは、主に指に基づく接触およびジェスチャにより機能するように設計されるが、その場合、指がタッチスクリーン上で接触する面積が広いため、スタイラスに基づく入力ほど正確でないことがありうる。一部の実施形態では、デバイスは、指に基づくおおまかな入力を、正確なポインタ／カーソル位置またはユーザが望んだ動作を行うためのコマンドへと変換する。
【００３９】
一部の実施形態では、タッチスクリーンに加えて、デバイス１００は、個別の機能を起動または停止させるための（図示しない）タッチパッドを含んでいてもよい。一部の実施形態では、タッチパッドは、タッチスクリーンとは異なり、視覚的出力を表示しない、デバイスのタッチセンシティブエリアである。タッチパッドは、タッチスクリーン１１２とは別のタッチセンシティブ表面であるかまたは、タッチスクリーンによって形成されるタッチセンシティブ表面の延長であってもよい。
【００４０】
一部の実施形態では、デバイス１００は、物理的またはバーチャルなホイール（例えばクリックホイール）を入力制御デバイス１１６として含んでいてもよい。ユーザは、クリックホイールを回転させることによってかまたはクリックホイールを使って接点を移動させることによって（例えば、接点の移動量が、クリックホイールの中心点に対するその角変位によって測定される）、タッチスクリーン１１２の中に表示される１つ以上のグラフィカルオブジェクト（例えばアイコン）の間をナビゲートし、およびそれらと対話してもよい。また、クリックホイールは、１つ以上の表示されたアイコンを選択するのに用いられてもよい。例えば、ユーザがクリックホイールの少なくとも一部分または関連のボタンを押し下げてもよい。クリックホイールを介してユーザによって提供されたユーザコマンドおよびナビゲーションコマンドが、入力コントローラ１６０だけでなく、メモリ１０２の中の１つ以上のモジュールおよび／または命令の集合によって処理されてもよい。バーチャルなクリックホイールの場合、クリックホイールとクリックホイールコントローラとはそれぞれ、タッチスクリーン１１２およびディスプレイコントローラ１５６の一部であってもよい。バーチャルなクリックホイールの場合、クリックホイールは、デバイスとユーザとの対話に応じてタッチスクリーンディスプレイに現れたり消えたりする不透明または半透明のオブジェクトであってもよい。一部の実施形態では、バーチャルなクリックホイールは、携帯用多機能デバイスのタッチスクリーン上に表示され、ユーザがタッチスクリーンに接触することによって操作される。
【００４１】
また、デバイス１００は、各種の構成要素に電力を供給するための電力系統１６２を含んでいる。電力系統１６２は、電力管理システムと、１つ以上の電源（例えばバッテリ、交流電流（ＡＣ））と、再充電システムと、電源障害検出回路と、電力コンバータまたは電力インバータと、電力ステータスインジケータ（例えばＬＥＤ（ｌｉｇｈｔ−ｅｍｉｔｔｉｎｇ  ｄｉｏｄｅ））と、携帯用デバイスの中の電力の生成、管理、分配に関連するその他のいずれかの構成要素とを含んでいてもよい。
【００４２】
また、デバイス１００は、１つ以上の光センサ１６４を含んでいてもよい。図１Ａおよび図１Ｂは、Ｉ／Ｏサブシステム１０６の中の光センサコントローラ１５８に接続された光センサを示す。光センサ１６４は、ＣＣＤ（ｃｈａｒｇｅ−ｃｏｕｐｌｅｄ  ｄｅｖｉｃｅ）またはＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）フォトトランジスタを含んでいてもよい。光センサ１６４は、１つ以上のレンズを通して投影された、環境からの光を受信して、その光を、画像を表すデータに変換する。イメージングモジュール（カメラモジュールとも呼ばれる）１４３と連動して、光センサ１６４は、静止画像またはビデオをキャプチャしてもよい。一部の実施形態では、タッチスクリーンディスプレイが静止画像またはビデオ画像を取得するためのビューファインダとして用いられうるように、光センサが、デバイスの前面にあるタッチスクリーンディスプレイ１１２の反対側の、デバイス１００の背面に位置している。一部の実施形態では、ユーザがテレビ会議の他の参加者をタッチスクリーンディスプレイ上で見ながらユーザの画像がテレビ会議用に取得されうるように、光センサが、デバイスの前面に位置している。一部の実施形態では、単一の光センサ１６４が、テレビ会議だけでなく静止画像および／またはビデオ画像の取得のためにもタッチスクリーンディスプレイと共に用いられうるように、光センサ１６４の位置は、ユーザによって（例えば、デバイスのハウジングの中でレンズとセンサとを回転させることによって）変更されうる。
【００４３】
また、デバイス１００は、１つ以上の近接センサ１６６を含んでいてもよい。図１Ａおよび図１Ｂは、周辺装置インタフェース１１８に接続された近接センサ１６６を示す。または、近接センサ１６６は、Ｉ／Ｏサブシステム１０６の中の入力コントローラ１６０に接続されてもよい。近接センサ１６６は、米国特許出願第１１／２４１，８３９号「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／２４０，７８８号「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／６２０，７０２号「Ｕｓｉｎｇ  Ａｍｂｉｅｎｔ  Ｌｉｇｈｔ  Ｓｅｎｓｏｒ  Ｔｏ  Ａｕｇｍｅｎｔ  Ｐｒｏｘｉｍｉｔｙ  Ｓｅｎｓｏｒ  Ｏｕｔｐｕｔ」、第１１／５８６，８６２号「Ａｕｔｏｍａｔｅｄ  Ｒｅｓｐｏｎｓｅ  Ｔｏ  Ａｎｄ  Ｓｅｎｓｉｎｇ  Ｏｆ  Ｕｓｅｒ  Ａｃｔｉｖｉｔｙ  Ｉｎ  Ｐｏｒｔａｂｌｅ  Ｄｅｖｉｃｅｓ」、および、第１１／６３８，２５１号「Ｍｅｔｈｏｄｓ  Ａｎｄ  Ｓｙｓｔｅｍｓ  Ｆｏｒ  Ａｕｔｏｍａｔｉｃ  Ｃｏｎｆｉｇｕｒａｔｉｏｎ  Ｏｆ  Ｐｅｒｉｐｈｅｒａｌｓ」に記述したように動作してもよく、それらをそのまま全部、参照により本願に援用する。一部の実施形態では、近接センサは、多機能デバイスがユーザの耳の近くに置かれた場合に（例えばユーザが電話をかけようとする場合）タッチスクリーン１１２をオフにして使用不能にする。
【００４４】
また、デバイス１００は、１つ以上の加速度計１６８を含んでいてもよい。図１Ａおよび図１Ｂは、周辺装置インタフェース１１８に接続された加速度計１６８を示す。または、加速度計１６８は、Ｉ／Ｏサブシステム１０６の中の入力コントローラ１６０に接続されてもよい。加速度計１６８は、米国特許公開第２００５０１９００５９号「Ａｃｃｅｌｅｒａｔｉｏｎ−ｂａｓｅｄ  Ｔｈｅｆｔ  Ｄｅｔｅｃｔｉｏｎ  Ｓｙｓｔｅｍ  ｆｏｒ  Ｐｏｒｔａｂｌｅ  Ｅｌｅｃｔｒｏｎｉｃ  Ｄｅｖｉｃｅｓ」および第２００６００１７６９２号「Ｍｅｔｈｏｄｓ  Ａｎｄ  Ａｐｐａｒａｔｕｓｅｓ  Ｆｏｒ  Ｏｐｅｒａｔｉｎｇ  Ａ  Ｐｏｒｔａｂｌｅ  Ｄｅｖｉｃｅ  Ｂａｓｅｄ  Ｏｎ  Ａｎ  Ａｃｃｅｌｅｒｏｍｅｔｅｒ」の中に記述されたように動作してもよく、それらを両方共そのまま全部、参照により本願に援用する。一部の実施形態では、情報は、１つ以上の加速度計から受信されたデータの分析に基づいてポートレートビューまたはランドスケープビューとしてタッチスクリーンディスプレイ上に表示される。デバイス１００は、任意で、加速度計１６８に加えて、デバイス１００の位置および向き（例えばポートレートまたはランドスケープ）に関する情報を取得するための磁気計（図示せず）とＧＰＳ（またはＧＬＯＮＡＳＳまたはその他の全地球的航法システム）受信器（図示せず）とを含んでいる。
【００４５】
一部の実施形態では、メモリ１０２の中に記憶されるソフトウェアコンポーネントには、オペレーティングシステム１２６と、通信モジュール（または命令の集合）１２８と、接触／動きモジュール（または命令の集合）１３０と、グラフィックスモジュール（または命令の集合）１３２と、テキスト入力モジュール（または命令の集合）１３４と、ＧＰＳ（Ｇｌｏｂａｌ  Ｐｏｓｉｔｉｏｎｉｎｇ  Ｓｙｓｔｅｍ）モジュール（または命令の集合）１３５と、アプリケーション１３６（または命令の集合）とが含まれる。さらに、一部の実施形態では、メモリ１０２は、図１Ａ、図１Ｂ、および図３に示すように、デバイス／グローバル内部状態１５７を記憶する。デバイス／グローバル内部状態１５７は、もしあれば、どのアプリケーションが現在アクティブであるのかを示す、アクティブアプリケーション状態と、どのアプリケーション、ビュー、またはその他の情報が、タッチスクリーンディスプレイ１１２の各種の領域を占有しているのかを示す表示状態と、デバイスの各種のセンサおよび入力制御デバイス１１６から取得された情報を含む、センサ状態と、デバイスの位置および／または姿勢に関する位置情報とのうち、１つ以上を含んでいる。
【００４６】
オペレーティングシステム１２６（例えば、Ｄａｒｗｉｎ、ＲＴＸＣ、ＬＩＮＵＸ（登録商標）、ＵＮＩＸ（登録商標）、ＯＳ  Ｘ、ＷＩＮＤＯＷＳ（登録商標）、または例えばＶｘ  Ｗｏｒｋｓのように内蔵されたオペレーティングシステム）は、一般的なシステムタスクを制御および管理（例えばメモリ管理、ストレージデバイス制御、電力管理等）するための各種のソフトウェアコンポーネントおよび／またはドライバを含んでおり、各種のハードウェアおよびソフトウェアコンポーネント間の通信を円滑化する。
【００４７】
通信モジュール１２８は、１つ以上の外部ポート１２４を経た他のデバイスとの通信を円滑化し、また、ＲＦ回路部１０８および／または外部ポート１２４によって受信されたデータを処理するための各種のソフトウェアコンポーネントを含んでいる。外部ポート１２４（例えばＵＳＢ（Ｕｎｉｖｅｒｓａｌ  Ｓｅｒｉａｌ  Ｂｕｓ）、ＦＩＲＥＷＩＲＥ等）は、直接またはネットワーク経由（例えばインターネット、ワイヤレスＬＡＮ等）で間接的に、他のデバイスに接続するように構成される。一部の実施形態では、外部ポートは、ｉＰｏｄ（Ａｐｐｌｅ  Ｉｎｃ．の登録商標）で用いられている３０ピンコネクタと同じ、または類似した、および／または互換性のある、マルチピン（例えば３０ピン）コネクタである。
【００４８】
接触／動きモジュール１３０は、（ディスプレイコントローラ１５６と連動して）タッチスクリーン１１２とその他のタッチセンシティブデバイス（例えばタッチパッドまたは物理的クリックホイール）との接触を検出してもよい。接触／動きモジュール１３０は、例えば接触が行われたかどうかを（例えば指が下がるイベントを検出して）判定することと、接触の移動があるかどうかを（例えば１つ以上の指がドラッグするイベントを検出して）判定してその移動をタッチスクリーン表面全体にわたって追跡することと、接触が中止されたかどうかを（例えば指が上がるイベントまたは接触の中断を検出して）判定することとのような、接触の検出に関連する各種の操作を行うための各種のソフトウェアコンポーネントを含んでいる。接触／動きモジュール１３０は、タッチセンシティブ表面から接触データを受信する。接点の移動を判定することは、一連の接触データによって表されるのだが、接点の速さ（大小）と、速度（大小および向き）と、および／または加速度（大小および／または向きの変化）とを判定することを含んでもよい。これらの操作は、単一の接触（例えば１本の指の接触）または複数の同時接触（例えば「マルチタッチ」／複数の指の接触）に適用されうる。一部の実施形態では、接触／動きモジュール１３０およびディスプレイコントローラ１５６は、タッチパッド上の接触を検出する。一部の実施形態では、接触／動きモジュール１３０およびコントローラ１６０は、クリックホイール上の接触を検出する。
【００４９】
接触／動きモジュール１３０は、ユーザによるジェスチャ入力を検出してもよい。タッチセンシティブ表面上の多様なジェスチャは、多様な接触パタンを有する。それゆえ、ジェスチャは、個別の接触パタンを検出することによって検出されうる。例えば、指をタップするジェスチャを検出することは、指が下がるイベントを検出し、その後、指が上がる（リフトオフ）イベントを指が下がるイベントと同じ位置（アイコンの位置）で（または実質的に同じ位置で）検出することを含んでいる。別の例として、タッチセンシティブ表面を指でスワイプするジェスチャを検出することは、指が下がるイベントを検出した後に１つ以上の指をドラッグするイベントを検出し、その後、指が上がる（リフトオフ）イベントを検出することを含んでいる。
【００５０】
グラフィックスモジュール１３２は、表示されるグラフィックスの輝度を変更するためのコンポーネントを含めて、タッチスクリーン１１２またはその他のディスプレイ上にグラフィックスをレンダリングして表示するための各種の既知のソフトウェアコンポーネントを含んでいる。本明細書では、「グラフィックス」という用語は、テキストと、ウェブページと、（例えば、ソフトキーを含むユーザインタフェースオブジェクトのような）アイコンと、デジタル画像と、ビデオと、アニメーションとそれに類似したものとを限定することなく含めて、ユーザに表示されうるいかなるオブジェクトをも含んでいる。
【００５１】
一部の実施形態では、グラフィックスモジュール１３２は、用いられることになるグラフィックスを表すデータを記憶している。個々の図形は、対応するコードを割り当てられてもよい。グラフィックスモジュール１３２は、アプリケーション等から、必要に応じて、コーディネートされたデータおよびその他のグラフィックプロパティデータと共に表示されることになるグラフィックスを指定する１つ以上のコードを受信し、次いで、ディスプレイコントローラ１５６に出力するためのスクリーン画像データを生成する。
【００５２】
テキスト入力モジュール１３４は、グラフィックスモジュール１３２の構成要素であってもよいが、各種のアプリケーション（例えば、連絡先１３７、電子メール１４０、ＩＭ１４１、ブラウザ１４７、そしてテキスト入力を必要とするいずれかの他のアプリケーション）にテキストを入力するためのソフトキーボードを提供する。
【００５３】
ＧＰＳモジュール１３５は、デバイスの位置を判定し、この情報を各種のアプリケーションで使用するために（例えば位置特定に基づくダイヤル操作で使用するために電話１３８に、ピクチャ／ビデオメタデータとしてカメラ１４３に、例えば天気ウィジェット、ローカル・イエローページ・ウィジェット、地図／航法用ウィジェットのような、位置特定に基づくサービスを提供するアプリケーションに）提供する。
【００５４】
アプリケーション１３６は、以下のモジュール（または命令の集合）またはそれらの下位集合または上位集合を含んでいてもよい。
・連絡先モジュール１３７（アドレス帳またはコンタクトリストと呼ばれることもある）、
・電話モジュール１３８、
・テレビ会議モジュール１３９、
・電子メールクライアントモジュール１４０、
・インスタントメッセージング（ＩＭ）モジュール１４１、
・エクササイズサポートモジュール１４２、
・静止画像および／またはビデオ画像用のカメラモジュール１４３
・画像管理モジュール１４４、
・ビデオプレーヤモジュール１４５、
・音楽プレーヤモジュール１４６、
・ブラウザモジュール１４７、
・カレンダモジュール１４８、
・天気ウィジェット１４９−１、株式ウィジェット１４９−２、電卓ウィジェット１４９−３、アラームクロックウィジェット１４９−４、辞書ウィジェット１４９−５、およびユーザによって取得されるその他のウィジェットならびにユーザが作成したウィジェット１４９−６のうち１つ以上を含みうるウィジェットモジュール１４９、
・ユーザが作成したウィジェット１４９−６を作成するためのウィジェットクリエータモジュール１５０、
・検索モジュール１５１、
・ビデオプレーヤモジュール１４５と音楽プレーヤモジュール１４６とを結合するビデオおよび音楽プレーヤモジュール１５２、
・メモモジュール１５３、
・地図モジュール１５４、および／または、
・オンラインビデオモジュール１５５。
【００５５】
メモリ１０２の中に記憶されうるその他のアプリケーション１３６の例には、他の文章作成アプリケーション、他の画像編集アプリケーション、描画アプリケーション、プレゼンテーションアプリケーション、ＪＡＶＡ（登録商標）対応アプリケーション、暗号化、デジタル権利管理、音声認識、および音声複製等が含まれる。
【００５６】
タッチスクリーン１１２、ディスプレイコントローラ１５６、コンタクトモジュール１２０、グラフィックスモジュール１３２およびテキスト入力モジュール１３４と連動して、連絡先モジュール１３７は、名前をアドレス帳に追加することと、名前をアドレス帳から削除することと、名前に電話番号、電子メールアドレス、物理的アドレスまたはその他の情報を関連付けることと、名前に画像を関連付けることと、名前をカテゴリ化したりソートしたりすることと、電話１３８、テレビ会議１３９、電子メール１４０、またはＩＭ１４１等によって通信を開始および／または円滑化するため、電話番号または電子メールアドレスを提供すること等を含めて、（例えば、メモリ１０２またはメモリ３７０の中の連絡先モジュール１３７のアプリケーション内部状態１９２の中に記憶された）アドレス帳またはコンタクトリストを管理するのに用いられてもよい。
【００５７】
ＲＦ回路部１０８、音声回路部１１０、スピーカ１１１、マイク１１３、タッチスクリーン１１２、ディスプレイコントローラ１５６、接触モジュール１３０、グラフィックスモジュール１３２およびテキスト入力モジュール１３４と連動して、電話番号に対応する文字のシーケンスを入力し、アドレス帳１３７の中の１つ以上の電話番号にアクセスし、入力された電話番号を修正し、それぞれの電話番号をダイヤルし、会話を行い、そして、会話が完了した時に接続を切るかまたは電話を切るのに電話モジュール１３８を用いてもよい。上記のように、ワイヤレス通信が、複数の通信標準、プロトコルおよび技術のいずれを用いてもよい。
【００５８】
ＲＦ回路部１０８、音声回路部１１０、スピーカ１１１、マイク１１３、タッチスクリーン１１２、ディスプレイコントローラ１５６、光センサ１６４、光センサコントローラ１５８、接触モジュール１３０、グラフィックスモジュール１３２、テキスト入力モジュール１３４、連絡先リスト１３７および電話モジュール１３８と連動して、テレビ会議モジュール１３９は、ユーザと１人以上の他の参加者との間でユーザの命令に従ってテレビ会議を開始し、実行し、終了するための実行可能な命令を含んでいる。
【００５９】
ＲＦ回路部１０８、タッチスクリーン１１２、ディスプレイコントローラ１５６、接触モジュール１３０、グラフィックスモジュール１３２およびテキスト入力モジュール１３４と連動して、電子メールクライアントモジュール１４０は、ユーザの命令に応じて電子メールを作成し、送信し、受信し、管理するための実行可能な命令を含んでいる。画像管理モジュール１４４と連動して、電子メールクライアントモジュール１４０は、カメラモジュール１４３で撮影された静止画像またはビデオ画像を添えて電子メールを作成して送信することを非常に容易にする。
【００６０】
ＲＦ回路部１０８、タッチスクリーン１１２、ディスプレイコントローラ１５６、接触モジュール１３０、グラフィックスモジュール１３２およびテキスト入力モジュール１３４と連動して、インスタントメッセージングモジュール１４１は、インスタントメッセージに対応する文字のシーケンスを入力し、以前に入力した文字を修正し、それぞれのインスタントメッセージを（例えば、電話に基づくインスタントメッセージについてのＳＭＳ（Ｓｈｏｒｔ  Ｍｅｓｓａｇｅ  ＳｅｒｖｉｃｅまたはＭＭＳ（Ｍｕｌｔｉｍｅｄｉａ  Ｍｅｓｓａｇｅ  Ｓｅｒｖｉｃｅ）プロトコルを用いてかまたは、インターネットに基づくインスタントメッセージについてのＸＭＰＰ、ＳＩＭＰＬＥ、ＩＭＰＳを用いて）送信し、インスタントメッセージを受信し、そして受信されたインスタントメッセージを見るための実行可能な命令を含んでいる。一部の実施形態では、送信された、および／または、受信されたインスタントメッセージには、ＭＭＳおよび／またはＥＭＳ（Ｅｎｈａｎｃｅｄ  Ｍｅｓｓａｇｉｎｇ  Ｓｅｒｖｉｃｅ）でサポートされるように、グラフィックス、写真、音声ファイル、ビデオファイル、および／または、その他の添付物が含まれてもよい。本明細書では、「インスタントメッセージング」とは、電話に基づくメッセージ（例えばＳＭＳまたはＭＭＳを用いて送信されるメッセージ）とインターネットに基づくメッセージ（例えばＸＭＰＰ、ＳＩＭＰＬＥ，またはＩＭＰＳを用いて送信されるメッセージ）との両方のことを言う。
【００６１】
ＲＦ回路部１０８、タッチスクリーン１１２、ディスプレイコントローラ１５６、接触モジュール１３０、グラフィックスモジュール１３２、テキスト入力モジュール１３４、ＧＰＳモジュール１３５、地図モジュール１５４および音楽プレーヤモジュールと連動して、エクササイズサポートモジュール１４２は、エクササイズを（例えば、時間、距離、および／またはカロリー燃焼目標を添えて）作成し、エクササイズセンサ（スポーツデバイス）と通信し、エクササイズセンサデータを受信し、エクササイズを監視するのに用いられるセンサを較正し、エクササイズ用の音楽を選択して演奏し、そして、エクササイズデータを表示・記憶・送信するための実行可能な命令を含んでいる。
【００６２】
タッチスクリーン１１２、ディスプレイコントローラ１５６、光センサ１６４、光センサコントローラ１５８、接触モジュール１３０、グラフィックスモジュール１３２および画像管理モジュール１４４と連動して、カメラモジュール１４３は、静止画像またはビデオ（ビデオストリームを含めて）をキャプチャしてそれらをメモリ１０２の中に記憶し、静止画像またはビデオの特性を修正し、あるいは、静止画像またはビデオをメモリ１０２から削除するための実行可能な命令を含んでいる。
【００６３】
タッチスクリーン１１２、ディスプレイコントローラ１５６、接触モジュール１３０、グラフィックスモジュール１３２、テキスト入力モジュール１３４およびカメラモジュール１４３と連動して、画像管理モジュール１４４は、静止画像および／またはビデオ画像を校正し、修正（例えば編集）し、または他の要領で操作し、ラベルを付け、削除し、（例えばデジタルスライドショーまたはアルバムとして）提示し、そして、記憶するための実行可能な命令を含んでいる。
【００６４】
タッチスクリーン１１２、ディスプレイコントローラ１５６、接触モジュール１３０、グラフィックスモジュール１３２、音声回路部１１０およびスピーカ１１１と連動して、ビデオプレーヤモジュール１４５は、ビデオを表示し、提示し、またはその他の要領で（例えばタッチスクリーン１１２上に、または外部ポート１２４を介して外部の接続されたディスプレイ上に）再生するための実行可能な命令を含んでいる。
【００６５】
タッチスクリーン１１２、ディスプレイシステムコントローラ１５６、接触モジュール１３０、グラフィックスモジュール１３２、音声回路部１１０、スピーカ１１１、ＲＦ回路部１０８、およびブラウザモジュール１４７と連動して、音楽プレーヤモジュール１４６は、例えばＭＰ３またはＡＡＣファイルのような１つ以上のファイル形式で記憶された、録音された音楽およびその他の音声ファイルをユーザがダウンロードして再生することを可能にする実行可能な命令を含んでいる。一部の実施形態では、デバイス１００は、例えばｉＰｏｄ（Ａｐｐｌｅ  Ｉｎｃ．の登録商標）のようなＭＰ３プレーヤの機能性を含んでいてもよい。
【００６６】
ＲＦ回路部１０８、タッチスクリーン１１２、ディスプレイシステムコントローラ１５６、接触モジュール１３０、グラフィックスモジュール１３２およびテキスト入力モジュール１３４と連動して、ブラウザモジュール１４７は、ウェブページまたはその部分だけでなくウェブページにリンクされた添付ファイルおよびその他のファイルをも、検索し、それにリンクし、受信し、そして表示することを含めて、ユーザ命令に従ってインターネットを閲覧するための実行可能な命令を含んでいる。
【００６７】
ＲＦ回路部１０８、タッチスクリーン１１２、ディスプレイシステムコントローラ１５６、接触モジュール１３０、グラフィックスモジュール１３２、テキスト入力モジュール１３４、電子メールクライアントモジュール１４０およびブラウザモジュール１４７と連動して、カレンダモジュール１４８は、ユーザ命令に従って、カレンダおよびカレンダに関連するデータ（例えばカレンダのエントリ、やることリスト等）を作成し、表示し、修正し、記憶するための実行可能な命令を含んでいる。
【００６８】
ＲＦ回路部１０８、タッチスクリーン１１２、ディスプレイシステムコントローラ１５６、接触モジュール１３０、グラフィックスモジュール１３２、テキスト入力モジュール１３４およびブラウザモジュール１４７と連動して、ウィジェットモジュール１４９は、ユーザによってダウンロードされ、使用されうる（例えば、天気ウィジェット１４９−１、株式ウィジェット１４９−２、電卓ウィジェット１４９−３、アラームクロックウィジェット１４９−４、および辞書ウィジェット１４９−５）かまたはユーザによって作成されうる（例えばユーザが作成したウィジェット１４９−６）ミニアプリケーションである。一部の実施形態では、ウィジェットは、ＨＴＭＬ（Ｈｙｐｅｒｔｅｘｔ  Ｍａｒｋｕｐ  Ｌａｎｇｕａｇｅ）ファイルと、ＣＳＳ（Ｃａｓｃａｄｉｎｇ  Ｓｔｙｌｅ  Ｓｈｅｅｔｓ）ファイルと、ＪａｖａＳｃｒｉｐｔ（登録商標）ファイルとを含んでいる。一部の実施形態では、ウィジェットは、ＸＭＬ（Ｅｘｔｅｎｓｉｂｌｅ  Ｍａｒｋｕｐ  Ｌａｎｇｕａｇｅ）ファイルと、ＪａｖａＳｃｒｉｐｔ（登録商標）ファイル（例えばＹａｈｏｏ！Ｗｉｄｇｅｔｓ）とを含んでいる。
【００６９】
ＲＦ回路部１０８、タッチスクリーン１１２、ディスプレイシステムコントローラ１５６、接触モジュール１３０、グラフィックスモジュール１３２、テキスト入力モジュール１３４およびブラウザモジュール１４７と連動して、ウィジェットクリエータモジュール１５０が、（例えば、ウェブページのユーザ指定部分をウィジェットに変えて）ウィジェットを作成するためにユーザによって使用されてもよい。
【００７０】
タッチスクリーン１１２、ディスプレイシステムコントローラ１５６、接触モジュール１３０、グラフィックスモジュール１３２およびテキスト入力モジュール１３４と連動して、検索モジュール１５１は、ユーザの命令による１つ以上の検索基準（例えば１つ以上のユーザ指定の検索語）に合致するテキスト、音楽、音声、画像、ビデオ、および／またはメモリ１０２の中のその他のファイルを検索するための実行可能な命令を含んでいる。
【００７１】
タッチスクリーン１１２、ディスプレイコントローラ１５６、接触モジュール１３０、グラフィックスモジュール１３２およびテキスト入力モジュール１３４と連動して、メモモジュール１５３は、ユーザ命令に従って、メモ、やることリスト等を作成して管理するための実行可能な命令を含んでいる。
【００７２】
ＲＦ回路部１０８、タッチスクリーン１１２、ディスプレイシステムコントローラ１５６、接触モジュール１３０、グラフィックスモジュール１３２、テキスト入力モジュール１３４、ＧＰＳモジュール１３５およびブラウザモジュール１４７と連動して、地図モジュール１５４は、ユーザ命令に従って、地図および地図に関連するデータ（例えば、ドライブの指示、店に関するデータ、および個別の位置またはその近くにおけるその他の観光スポット、およびその他の位置特定に基づくデータ）を受信し、表示し、修正し、そして記憶するために用いられうる。
【００７３】
タッチスクリーン１１２、ディスプレイシステムコントローラ１５６、接触モジュール１３０、グラフィックスモジュール１３２、音声回路部１１０、スピーカ１１１、ＲＦ回路部１０８、テキスト入力モジュール１３４、電子メールクライアントモジュール１４０およびブラウザモジュール１４７と連動して、オンラインビデオモジュール１５５は、ユーザがアクセスし、閲覧し、（例えばストリーミングおよび／またはダウンロードによって）受信し、（例えばタッチスクリーン上で、または、外部ポート１２４を介して接続された外部のディスプレイ上で）再生し、個別のオンラインビデオへのリンクを持つ電子メールを送信し、そして、例えばＨ．２６４のような１つ以上のファイル形式のオンラインビデオをその他の要領で管理することを可能にする命令を含んでいる。一部の実施形態では、電子メールクライアントモジュール１４０ではなく、インスタントメッセージングモジュール１４１を用いて、個別のオンラインビデオへのリンクを送信する。オンラインビデオアプリケーションの追加記述は、２００７年６月２０日に出願された米国仮特許出願第６０／９３６，５６２号「Ｐｏｒｔａｂｌｅ  Ｍｕｌｔｉｆｕｎｃｔｉｏｎ  Ｄｅｖｉｃｅ，  Ｍｅｔｈｏｄ，  ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」および２００７年１２月３１日に出願された米国特許出願第１１／９６８，０６７号「Ｐｏｒｔａｂｌｅ  Ｍｕｌｔｉｆｕｎｃｔｉｏｎ  Ｄｅｖｉｃｅ，  Ｍｅｔｈｏｄ，  ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」に記載されており、その内容を全部、参照により本願に援用する。
【００７４】
上記の識別されたモジュールおよびアプリケーションの各々は、上記の１つ以上の機能と本願に記述する方法（例えば、本明細書で記述したコンピュータに実装された方法と、その他の情報処理方法）とを行うための実行可能な命令の集合に対応する。これらのモジュール（すなわち命令の集合）は、別個のソフトウェア、手順またはモジュールとして実装される必要はなく、それゆえ、各種のこれらのモジュールの部分集合が、各種の実施形態の中で組み合わされたり、その他の要領で再構成されたりしてもよい。例えば、ビデオプレーヤモジュール１４５は、音楽プレーヤモジュール１４６と組み合わされて、単一のモジュール（例えば、図１Ｂのビデオおよび音楽プレーヤモジュール１５２）にされてもよい。一部の実施形態では、メモリ１０２は、上記で識別したモジュールおよびデータ構造の部分集合を記憶してもよい。さらに、メモリ１０２は、上記で記述されていない追加のモジュールおよびデータ構造を記憶してもよい。
【００７５】
一部の実施形態では、デバイス１００は、デバイス上の機能の事前設定された集合の操作が、タッチスクリーンおよび／またはタッチパッドだけを通して行われるようなデバイスである。タッチスクリーンおよび／またはタッチパッドをデバイス１００の操作用の主要な入力制御デバイスとして用いることによって、デバイス１００上の物理的入力制御デバイス（例えばプッシュボタン、ダイヤル等）の数が削減されうる。
【００７６】
タッチスクリーンおよび／またはタッチパッドだけを通して行われうる事前設定された機能の集合には、ユーザインタフェース間のナビゲーションが含まれる。一部の実施形態では、ユーザがタッチすると、タッチパッドがデバイス１００を、デバイス１００上に表示されうるいかなるユーザインタフェースからもメイン、ホーム、またはルートメニューへとナビゲートする。そのような実施形態では、タッチパッドは、「メニューボタン」と呼ばれてもよい。一部のその他の実施形態では、メニューボタンは、タッチパッドの代わりに、物理的なプッシュボタンまたはその他の物理的な入力制御デバイスであってもよい。
【００７７】
図１Ｃは、一部の実施形態による、イベント処理のための例示的な構成要素を示すブロック図である。一部の実施形態では、（図１Ａおよび図１Ｂの）メモリ１０２または（図３の）メモリ３７０は、（例えばオペレーティングシステム１２６の中に）イベントソータ１７０と、それぞれのアプリケーション１３６−１（例えば前述のアプリケーション１３７乃至１５１、１５５、３８０乃至３９０のうちのいずれか）とを含んでいる。
【００７８】
イベントソータ１７０は、イベント情報を受信して、アプリケーション１３６−１と、イベント情報の配信先であるアプリケーション１３６−１のアプリケーションビュー１９１とを判定する。イベントソータ１７０は、イベントモニタ１７１とイベント発送モジュール１７４とを含んでいる。一部の実施形態では、アプリケーション１３６−１は、アプリケーションがアクティブであるか実行中である場合にタッチセンシティブディスプレイ１１２上に表示される現在のアプリケーションビューを示す、アプリケーション内部状態１９２を含んでいる。一部の実施形態では、イベントソータ１７０は、デバイス／グローバル内部状態１５７を用いて、どのアプリケーションが現在アクティブであるのかを判定し、そして、アプリケーション内部状態１９２を用いて、イベント情報の配信先であるアプリケーションビュー１９１を判定する。
【００７９】
一部の実施形態では、アプリケーション内部状態１９２は、追加情報として、例えば、アプリケーション１３６−１が実行を再開する時に用いられることになる再開情報と、アプリケーション１３６−１によって表示されているかまたは表示される準備ができている情報を示すユーザインタフェース状態情報と、アプリケーション１３６−１の以前の状態またはビューにユーザが戻ることを可能にするための状態の待ち行列と、ユーザが行った以前の動作のやり直しまたは取り消しの待ち行列とのうちの１つ以上を含んでいる。
【００８０】
イベントモニタ１７１は、周辺装置インタフェース１１８からイベント情報を受信する。イベント情報には、サブイベント（例えば、マルチタッチジェスチャの一部として、タッチセンシティブディスプレイ１１２上のユーザのタッチ）についての情報が含まれる。周辺装置インタフェース１１８は、Ｉ／Ｏサブシステム１０６、または、例えば近接センサ１６６のようなセンサ、加速度計１６８、および／または（音声回路部１１０を通して）マイク１１３から受信する情報を送信する。周辺装置インタフェース１１８がＩ／Ｏサブシステム１０６から受信する情報は、タッチセンシティブディスプレイ１１２またはタッチセンシティブ表面からの情報を含んでいる。
【００８１】
一部の実施形態では、イベントモニタ１７１は、所定の間隔で周辺装置インタフェース１１８に要求を送信する。それに応じて、周辺装置インタフェース１１８は、イベント情報を送信する。その他の実施形態では、周辺装置インタフェース１１８は、重大なイベント（例えば、所定の雑音閾値を超える、および／または、所定の持続時間を超える入力を受信すること）がある場合に限って、イベント情報を送信する。
【００８２】
また、一部の実施形態では、イベントソータ１７０は、ヒットビュー判定モジュール１７２および／またはアクティブイベント・レコグナイザ判定モジュール１７３を含んでいる。
【００８３】
ヒットビュー判定モジュール１７２は、タッチセンシティブディスプレイ１１２が２つ以上のビューを表示した時、サブイベントが１つ以上のビューの中のどこで発生したかを判定するためのソフトウェア手順を提供する。ビューは、ユーザがディスプレイ上で見ることのできる制御部およびその他の要素で構成されている。
【００８４】
アプリケーションに関連するユーザインタフェースのもう１つの態様は、本明細書ではアプリケーションビューまたはユーザインタフェースウィンドウと呼ばれることもあるビューの集合であり、その中で情報が表示され、タッチに基づくジェスチャが行われる。その中でタッチが検出される（それぞれのアプリケーションの）アプリケーションビューは、アプリケーションのプログラマチック階層またはビュー階層の中のプログラマチックレベルに対応してもよい。例えば、タッチが検出される最低のレベルのビューは、ヒットビューと呼ばれてもよく、適切な入力として認められるイベントの集合は、タッチに基づくジェスチャを開始する最初のタッチのヒットビューに、少なくとも部分的に、基づいて判定されてもよい。
【００８５】
ヒットビュー判定モジュール１７２は、タッチに基づくジェスチャのサブイベントに関する情報を受信する。アプリケーションが、階層として編成された複数のビューを有する場合、ヒットビュー判定モジュール１７２は、ヒットビューを、サブイベントを処理すべき階層の中の最低のビューとして識別する。ほとんどの状況では、ヒットビューは、最初のサブイベント（すなわち、イベントまたは潜在的イベントを形成するサブイベントのシーケンスの中の最初のサブイベント）が生じる最低レベルのビューである。一旦ヒットビューがヒットビュー判定モジュールによって識別されると、ヒットビューは典型的には、ヒットビューとして識別された同じタッチすなわち入力源に関するすべてのサブイベントを受信する。
【００８６】
アクティブイベント・レコグナイザ判定モジュール１７３は、ビューの階層の中でどのビューがサブイベントの個別のシーケンスを受信すべきかを判定する。一部の実施形態では、アクティブイベント・レコグナイザ判定モジュール１７３は、ヒットビューだけが、サブイベントの個別のシーケンスを受信するべきだと判定する。その他の実施形態では、アクティブイベント・レコグナイザ判定モジュール１７３は、サブイベントの物理的位置を含むすべてのビューが、アクティブに関わっているビューであると判定し、従って、すべてのアクティブに関わっているビューが、サブイベントの個別のシーケンスを受信すべきだと判定する。その他の実施形態では、たとえタッチサブイベントが、１つの個別のビューに関連するエリアに完全に限定されたとしても、階層の中のより上位のビューは、やはり、アクティブに関わっているビューのままであり続けるだろう。
【００８７】
イベント発送モジュール１７４は、イベント情報をイベントレコグナイザ（例えばイベントレコグナイザ１８０）へ発送する。アクティブイベント・レコグナイザ判定モジュール１７３を含む実施形態では、イベント発送モジュール１７４は、アクティブイベント・レコグナイザ判定モジュール１７３によって判定されたイベントレコグナイザへイベント情報を配信する。一部の実施形態では、イベント発送モジュール１７４は、それぞれのイベント受信器モジュール１８２によって取得されたイベント情報を、イベント待ち行列に記憶する。
【００８８】
一部の実施形態では、オペレーティングシステム１２６はイベントソータ１７０を含んでいる。あるいは、アプリケーション１３６−１がイベントソータ１７０を含んでいる。別の実施形態では、イベントソータ１７０は、スタンドアロンモジュールであるかまたは、例えば接触／動きモジュール１３０のような、メモリ１０２の中に記憶された別のモジュールの一部である。
【００８９】
一部の実施形態では、アプリケーション１３６−１は、複数のイベントハンドラ１９０と１つ以上のアプリケーションビュー１９１とを含んでおり、その各々は、アプリケーションのユーザインタフェースのそれぞれのビューの中で生じるタッチイベントを処理するための命令を含んでいる。アプリケーション１３６−１の個々のアプリケーションビュー１９１は、１つ以上のイベントレコグナイザ１８０を含んでいる。典型的には、それぞれのアプリケーションビュー１９１は、複数のイベントレコグナイザ１８０を含んでいる。他の実施形態では、１つ以上のイベントレコグナイザ１８０は、例えばユーザインタフェースキット（図示せず）かまたは、そこからアプリケーション１３６−１が方法および他のプロパティを継承する高位レベルオブジェクトのような、別個のモジュールの一部である。一部の実施形態では、それぞれのイベントハンドラ１９０は、データ更新器１７６と、オブジェクト更新器１７７と、ＧＵＩ更新器１７８と、および／または、イベントソータ１７０から受信されたイベントデータ１７９とのうち１つ以上を含んでいる。イベントハンドラ１９０は、データ更新器１７６か、オブジェクト更新器１７７かまたはＧＵＩ更新器１７８を利用するかまたは呼び出して、アプリケーション内部状態１９２を更新してもよい。あるいは、アプリケーションビュー１９１のうちの１つ以上は、１つ以上のそれぞれのイベントハンドラ１９０を含んでいる。また、一部の実施形態では、データ更新器１７６と、オブジェクト更新器１７７と、ＧＵＩ更新器１７８とのうち１つ以上が、それぞれのアプリケーションビュー１９１の中に含まれている。
【００９０】
それぞれのイベントレコグナイザ１８０は、イベント情報（例えばイベントデータ１７９）をイベントソータ１７０から受信し、そして、イベント情報からイベントを識別する。イベントレコグナイザ１８０は、イベント受信器１８２と、イベント比較器１８４とを含んでいる。また、一部の実施形態では、イベントレコグナイザ１８０は、メタデータ１８３と、（サブイベント配信命令を含みうる）イベント配信命令１８８との少なくとも部分集合を含んでいる。
【００９１】
イベント受信器１８２は、イベント情報をイベントソータ１７０から受信する。イベント情報は、サブイベントについての情報、例えば、タッチまたはタッチの移動を含んでいる。また、サブイベントに依存して、イベント情報は、例えばサブイベントの位置のような、追加情報を含んでいる。また、サブイベントが、タッチの動きに関わる場合、イベント情報は、サブイベントの速度および向きを含んでもよい。一部の実施形態では、イベントは、１つの向きから別の向きへの（例えば縦方向の向きからランドスケープの向きへの、またはその逆の）デバイスの回転を含んでおり、イベント情報は、デバイスの現在の向き（デバイスの姿勢とも呼ばれる）についての対応する情報を含んでいる。
【００９２】
イベント比較器１８４は、イベント情報を事前設定されたイベントまたはサブイベント定義と比較し、そして、比較に基づいて、イベントもしくはサブイベントを判定するかまたは、イベントもしくはサブイベントの状態を判定または更新する。一部の実施形態では、イベント比較器１８４は、イベント定義１８６を含んでいる。イベント定義１８６は、イベントの定義（例えば、事前設定されたサブイベントのシーケンス）、例えば、イベント１（１８７−１）、イベント２（１８７−２）等を含んでいる。一部の実施形態では、イベント１８７のサブイベントは、例えば、タッチ開始、タッチ終了、タッチ動作、タッチ中止、および複数のタッチを含んでいる。一例では、イベント１（１８７−１）についての定義は、表示されたオブジェクト上の２回のタップである。２回のタップは、例えば、所定の段階についての表示されたオブジェクト上の第１のタッチ（タッチ開始）と、所定の段階についての第１のリフトオフ（タッチ終了）と、所定の段階についての表示されたオブジェクト上の第２のタッチ（タッチ開始）と、所定の段階についての第２のリフトオフ（タッチ終了）とを含んでいる。別の例では、イベント２（１８７−２）についての定義は、表示されたオブジェクト上のドラッギングである。ドラッギングは、例えば、所定の段階についての表示されたオブジェクト上のタッチ（または接触）と、タッチセンシティブディスプレイ１１２を横断するタッチの移動と、タッチのリフトオフ（タッチ終了）とを含んでいる。また、一部の実施形態では、イベントは、１つ以上の関連するイベントハンドラ１９０についての情報を含んでいる。
【００９３】
一部の実施形態では、イベント定義１８７は、それぞれのユーザインタフェースオブジェクトについてのイベントの定義を含んでいる。一部の実施形態では、イベント比較器１８４は、どのユーザインタフェースオブジェクトがサブイベントに関連しているかを判定するため、ヒットテストを行う。例えば、３つのユーザインタフェースオブジェクトがタッチセンシティブディスプレイ１１２上に表示されているアプリケーションウィンドウにおいて、タッチセンシティブディスプレイ１１２上でタッチが検出された時、イベント比較器１８４は、３つのユーザインタフェースオブジェクトのうちのどれがタッチ（サブイベント）に関連しているかを判定するため、ヒットテストを行う。個々の表示されたオブジェクトがそれぞれのイベントハンドラ１９０に関連付けられると、イベント比較器は、ヒットテストの結果を用いて、どのイベントハンドラ１９０が起動されるべきかを判定する。例えば、イベント比較器１８４は、ヒットテストをトリガするサブイベントおよびオブジェクトに関連するイベントハンドラを選択する。
【００９４】
また、一部の実施形態では、それぞれのイベント１８７についての定義は、サブイベントのシーケンスがイベントレコグナイザのイベントタイプに対応しているか否かが判定されるまでイベント情報の配信を遅らせる遅延作用を含んでいる。
【００９５】
それぞれのイベントレコグナイザ１８０が、一連のサブイベントはイベント定義１８６の中のいずれのイベントにも合致しないと判定した場合、それぞれのイベントレコグナイザ１８０は、イベント不可能、イベント失敗、またはイベント終了状態を入力し、その後は、タッチに基づくジェスチャのその後のサブイベントを無視する。この状況では、もしあれば、ヒットビューについてアクティブであり続けるその他のイベントレコグナイザは、進行中のタッチに基づくジェスチャのサブイベントの追跡と処理とを続ける。
【００９６】
一部の実施形態では、それぞれのイベントレコグナイザ１８３は、構成可能なプロパティと、フラグと、および／または、イベント配信システムがどのようにしてアクティブに関わっているイベントレコグナイザへのサブイベント配信を行うかを示すリストとを備えたメタデータ１８３を含んでいる。一部の実施形態では、メタデータ１８３は、構成可能なプロパティと、フラグと、および／または、イベントレコグナイザがどのようにして相互に対話しうるかを示すリストとを含んでいる。一部の実施形態では、メタデータ１８３は、構成可能なプロパティと、フラグと、および／または、サブイベントがビュー階層またはプログラマチック階層の中の多様なレベルへ配信されるかどうかを示すリストとを含んでいる。
【００９７】
一部の実施形態では、それぞれのイベントレコグナイザ１８０は、イベントのうちの１つ以上の個別のサブイベントが認識された場合にイベントに関連するイベントハンドラ１９０を起動する。一部の実施形態では、それぞれのイベントレコグナイザ１８０は、イベントに関連するイベント情報をイベントハンドラ１９０に配信する。イベントハンドラ１９０を起動することは、サブイベントをそれぞれのヒットビューに送信すること（および送信を延期すること）とは区別される。一部の実施形態では、イベントレコグナイザ１８０は、認識されたイベントに関連するフラグをスロー(throw)し、そして、フラグに関連するイベントハンドラ１９０は、フラグをキャッチ(catch)して事前設定されたプロセスを行う。
【００９８】
一部の実施形態では、イベント配信命令１８８は、イベントハンドラを起動することなくサブイベントについてのイベント情報を配信するサブイベント配信命令を含んでいる。代わりに、サブイベント配信命令は、イベント情報を、一連のイベントハンドラに関連するイベントハンドラに、またはアクティブに関わっているビューに配信する。一連のイベントハンドラにかまたはアクティブに関わっているビューに関連するイベントハンドラは、イベント情報を受信して、所定のプロセスを行う。
【００９９】
一部の実施形態では、データ更新器１７６は、アプリケーション１３６−１で用いられるデータを作成して更新する。例えば、データ更新器１７６は、連絡先モジュール１３７の中で用いられる電話番号を更新し、またはビデオプレーヤモジュール１４５の中で用いられるビデオファイルを記憶する。一部の実施形態では、オブジェクト更新器１７７は、アプリケーション１３６−１で用いられるオブジェクトを作成して更新する。例えば、オブジェクト更新器１７７は、新たなユーザインタフェースオブジェクトを作成するかまたは、ユーザインタフェースオブジェクトの位置を更新する。ＧＵＩ更新器１７８は、ＧＵＩを更新する。例えば、ＧＵＩ更新器１７８は、ディスプレイ情報を準備して、それをグラフィックスモジュール１３２へ送信してタッチセンシティブディスプレイ上に表示させる。
【０１００】
一部の実施形態では、イベントハンドラ１９０は、データ更新器１７６と、オブジェクト更新器１７７と、ＧＵＩ更新器１７８とを含んでいるかまたはそれらにアクセスする。一部の実施形態では、データ更新器１７６と、オブジェクト更新器１７７と、ＧＵＩ更新器１７８とは、それぞれのアプリケーション１３６−１またはアプリケーションビュー１９１の単一のモジュールの中に含まれている。その他の実施形態では、それらは、２つ以上のソフトウェアモジュールの中に含まれている。
【０１０１】
理解されるべきだが、タッチセンシティブディスプレイ上のユーザのタッチについてのイベント処理に関する前述の議論は、入力デバイスを使って多機能デバイス１００を操作するための他の形のユーザ入力にも適用されるのであるが、そのすべてがタッチスクリーン上で開始されるのではなく、例えば、マウスの移動やマウスボタンの押し下げを、１つまたは複数のキーボードの押し下げや保持、タッチパッド上のユーザの移動のタップ、ドラッグ、スクロール等、ペンスタイラス入力、デバイスの動き、口頭の命令、検出された目の動き、バイオメトリック入力、および／またはいずれかのそれらの組み合わせと組み合わせるかまたは組み合わせることなく統合し、それらが、認識されることになるイベントを定義するサブイベントに対応する入力として利用されてもよい。
【０１０２】
図２は、一部の実施形態による、タッチスクリーン１１２を有する携帯用多機能デバイス１００を示す図である。タッチスクリーンは、ユーザインタフェース（ＵＩ）２００の中に１つ以上のグラフィックスを表示してもよい。本実施形態および以下に記述するその他の実施形態では、ユーザは、例えば１つ以上の指２０２（図では原寸に比例して描かれてはいない）または１つ以上のスタイラス２０３（図では原寸に比例して描かれてはいない）を使ってグラフィックスに接触するかまたはタッチすることによって、１つ以上のグラフィックスを選択してもよい。一部の実施形態では、１つ以上のグラフィックスの選択は、ユーザが１つ以上のグラフィックスとの接触を中断する時に行われる。一部の実施形態では、接触には、デバイス１００と接触していた指のジェスチャ、例えば１つ以上のタップ、１つ以上のスワイプ（左から右へ、右から左へ、上へおよび／または下へ）および／またはローリング（左から右へ、右から左へ、上へおよび／または下へ）が含まれうる。一部の実施形態では、グラフィックとの不注意な接触は、グラフィックを選択しなくてもよい。例えば、選択に対応するジェスチャがタップである場合、アプリケーションのアイコンをスワイプするジェスチャは、対応するアプリケーションを選択しなくてもよい。
【０１０３】
また、デバイス１００は、例えば「ホーム」またはメニューボタン２０４のような、１つ以上の物理的ボタンを含んでいてもよい。前述したように、メニューボタン２０４を用いて、デバイス１００上で実行されうるアプリケーションの集合の中のいずれかのアプリケーション１３６へのナビゲートが行われてもよい。あるいは、一部の実施形態では、メニューボタンは、タッチスクリーン１１２上に表示されるＧＵＩの中のソフトキーとして実装される。
【０１０４】
一実施形態では、デバイス１００は、タッチスクリーン１１２と、メニューボタン２０４と、デバイスの電源をオン／オフにしてデバイスをロックするためのプッシュボタン２０６と、音声調整ボタン２０８と、ＳＩＭ（Ｓｕｂｓｃｒｉｂｅｒ  Ｉｄｅｎｔｉｔｙ  Ｍｏｄｕｌｅ）カードスロット２１０と、ヘッドフォンジャック２１２と、ドッキング／充電用外部ポート１２４とを含んでいる。プッシュボタン２０６を用いて、ボタンを押して事前設定された時間間隔の間ボタンを押された状態に保持することによってデバイスの電源をオン／オフにし、ボタンを押して事前設定された時間間隔が経過する前にボタンを解放することによってデバイスをロックし、および／または、デバイスのロックを解除して、ロック解除プロセスを開始してもよい。また、代替的実施形態では、デバイス１００は、マイク１１３を通して一部の機能の起動または停止のための口頭入力を受け入れてもよい。
【０１０５】
図３は、一部の実施形態による、ディスプレイとタッチセンシティブ表面とを備えた例示的な多機能デバイスのブロック図である。デバイス３００は携帯用である必要はない。一部の実施形態では、デバイス３００は、ラップトップコンピュータ、デスクトップコンピュータ、タブレットコンピュータ、マルチメディアプレーヤデバイス、ナビゲーションデバイス、（例えば子供の学習玩具のような）教育デバイス、ゲーミングシステム、または制御デバイス（例えばホームまたは業務用コントローラ）である。デバイス３００は、典型的には、１つ以上の処理ユニット（ＣＰＵ）３１０と、１つ以上のネットワーク通信インタフェースまたはその他の通信インタフェース３６０と、メモリ３７０と、これらの構成要素を相互接続するための１つ以上の通信バス３２０とを含んでいる。通信バス３２０は、システムの構成要素間の通信を相互接続して制御する回路部（チップセットと呼ばれることもある）を含んでいてもよい。デバイス３００は、典型的にはタッチスクリーンディスプレイであるディスプレイ３４０を含むＩ／Ｏ（ｉｎｐｕｔ／ｏｕｔｐｕｔ）インタフェース３３０を含んでいる。また、Ｉ／Ｏインタフェース３３０は、キーボードおよび／またはマウス（またはその他のポインティングデバイス）３５０とタッチパッド３５５とを含んでいてもよい。メモリ３７０は、高速ランダムアクセスメモリ、例えばＤＲＡＭ、ＳＲＡＭ、ＤＤＲ  ＲＡＭまたはその他のランダムアクセス・ソリッドステート・メモリデバイスを含んでおり、また、不揮発性メモリ、例えば、１つ以上の磁気ディスクストレージデバイス、光学ディスクストレージデバイス、フラッシュメモリデバイス、またはその他の不揮発性ソリッドステート・ストレージデバイスを含んでいてもよい。メモリ３７０は、任意で、ＣＰＵ３１０から離れた位置の１つ以上のストレージデバイスを含んでいてもよい。一部の実施形態では、メモリ３７０は、携帯用多機能デバイス１００（図１）のメモリ１０２の中に記憶されたプログラム、モジュールおよびデータ構造と類似したプログラム、モジュールおよびデータ構造、またはそのサブセットを記憶している。さらに、メモリ３７０は、携帯用多機能デバイス１００のメモリ１０２の中に現存しない追加のプログラム、モジュールおよびデータ構造を記憶してもよい。例えば、デバイス３００のメモリ３７０は、描画モジュール３８０、プレゼンテーションモジュール３８２、ワードプロセッシングモジュール３８４、ウェブサイト作成モジュール３８６、ディスクオーサリングモジュール３８８、および／または、表計算モジュール３９０を記憶してもよいが、一方で、携帯用多機能デバイス１００（図１）のメモリ１０２は、これらのモジュールを記憶しなくてもよい。
【０１０６】
上記で識別した図３の個々の要素は、前述した１つ以上のメモリデバイスの中に記憶されてもよい。上記で識別した個々のモジュールは、上記の機能を行うための命令の集合に対応する。上記で識別したモジュールまたはプログラム（すなわち、命令の集合）は、別個のソフトウェアプログラム、手順またはモジュールとして実装される必要はなく、それゆえ、これらのモジュールの各種の部分集合が、各種の実施形態の中で組み合わされてもよいし、その他の要領で再構成されてもよい。一部の実施形態では、メモリ３７０は、上記で識別したモジュールおよびデータ構造の部分集合を記憶してもよい。さらに、メモリ３７０は、上述していない追加のモジュールおよびデータ構造を記憶してもよい。
【０１０７】
次に、携帯用多機能デバイス１００に実装されうるユーザインタフェース（「ＵＩ」）の実施形態に注意を向けよう。
【０１０８】
図４Ａおよび図４Ｂは、一部の実施形態による、携帯用多機能デバイス１００上のアプリケーションのメニューのための例示的なユーザインタフェースを示す図である。同様のユーザインタフェースがデバイス３００上に実装されてもよい。一部の実施形態では、ユーザインタフェース４００Ａは、以下の要素、またはその部分集合または上位集合を含んでいる。
・例えばセルラーおよびＷｉＦｉ信号のようなワイヤレス通信用の信号強度指標４０２、
・時刻４０４、
・Ｂｌｕｅｔｏｏｔｈ（登録商標）指標４０５、
・電池状態指標４０６、
・以下のような頻繁に使用するアプリケーション用のアイコンを備えたトレイ４０８
・電話１３８、これは、不在着信もしくはボイスメールメッセージの数の指標４１４を含んでいてもよい
・電子メールクライアント１４０、これは未読の電子メールの数の指標４１０を含んでいてもよい
・ブラウザ１４７、
・音楽プレーヤ１４６、および
・その他のアプリケーション用のアイコン、例えば、
・ＩＭ１４１、
・画像管理１４４、
・カメラ１４３、
・ビデオプレーヤ１４５、
・天気１４９−１、
・株式１４９−２、
・エクササイズサポート１４２、
・カレンダ１４８、
・電卓１４９−３、
・アラームクロック１４９−４、
・辞書１４９−５、および
・ユーザ作成によるウィジェット１４９−６。
【０１０９】
一部の実施形態では、ユーザインタフェース４００Ｂは、以下の要素、またはそれらの部分集合もしくは上位集合を含んでいる。
・上記の４０２、４０４、４０５、４０６、１４１、１４８、１４４、１４３、１４９−３、１４９−２、１４９−１、１４９−４、４１０、４１４、１３８、１４０、および１４７、
・地図１５４、
・メモ１５３、
・設定４１２、これは、以下にさらに述べるように、デバイス１００およびその各種のアプリケーション１３６の設定へのアクセスを提供する
・ビデオおよび音楽プレーヤモジュール１５２、これは、ｉＰｏｄ（Ａｐｐｌｅ  Ｉｎｃ．の登録商標）モジュール１５２とも呼ばれる
・オンラインビデオモジュール１５５、ＹｏｕＴｕｂｅ（Ｇｏｏｇｌｅ  Ｉｎｃ．の登録商標）モジュール１５５とも呼ばれる。
【０１１０】
図４Ｃは、ディスプレイ４５０（例えばタッチスクリーンディスプレイ１１２）とは別のタッチセンシティブ表面４５１（例えば図３のタブレットまたはタッチパッド３５５）を備えたデバイス（例えば図３のデバイス３００）上の例示的なユーザインタフェースを示す図である。以下に記す例の多くは、（タッチセンシティブ表面とディスプレイとが組み合わされた）タッチスクリーンディスプレイ１１２上の入力に言及しながら与えられるであろうが、一部の実施形態では、デバイスは、図４Ｃに示すように、ディスプレイとは別のタッチセンシティブ表面上の入力を検出する。一部の実施形態では、タッチセンシティブ表面（例えば図４Ｃの４５１）は、ディスプレイ（例えば４５０）上の主軸（例えば図４Ｃの４５３）に対応する主軸（例えば図４Ｃの４５２）を有する。これらの実施形態によれば、デバイスは、タッチセンシティブ表面４５１との接触（例えば図４Ｃの４６０および４６２）を、ディスプレイ上のそれぞれの位置に対応する位置で検出する（例えば図４Ｃでは４６０は４６８に対応し、４６２は４７０に対応する）。このようにして、タッチセンシティブ表面がディスプレイとは別である場合に、タッチセンシティブ表面（例えば図４Ｃの４５１）上でデバイスによって検出されたユーザの入力（例えば接触４６０および４６２、並びにその動き）が、多機能デバイスのディスプレイ上のユーザインタフェースを操作するためにデバイスによって用いられる。理解されるべきだが、同様の方法が、本明細書で記述されたその他のユーザインタフェースについて用いられてもよい。
【０１１１】
加えて、以下に記す例は、主に指入力（例えば指の接触、指のタップジェスチャ、指のスワイプジェスチャ）に言及しながら与えられるであろうが、理解されるべきだが、一部の実施形態では、１つ以上の指入力が、別の入力デバイスからの入力（例えば、スタイラス入力）に置換される。
【０１１２】
以下に与えられる説明において、「接触」（コンタクトリストまたはアドレス帳などのエントリを説明するために用いられる場合を除く）は、「タッチジェスチャ」の簡略な用語として用いられ、それゆえ以下で述べられまたは説明されるそれぞれの接触は、タッチセンシティブディスプレイ又は他のタッチセンシティブ表面のセンサ（またはセンサのセット）によって検出される任意の適切なタッチジェスチャでありうる。同様に、以下で述べられまたは説明される「指のタップ」の各々は、任意の適切なタッチジェスチャでありうる。加えて、一部の実施形態では、「タッチジェスチャ」は、タッチセンシティブスクリーン１１２またはその他のタッチセンシティブ表面に物理的接触を行う、１つ以上の指または１つ以上のスタイラスによって行われるジェスチャだけではなく、タッチセンシティブスクリーン１１２またはその他のタッチセンシティブ表面の１つ以上のセンサがこれらのジェスチャを検出することができるほどタッチセンシティブスクリーン１１２またはその他のタッチセンシティブ表面に、全体としてまたは部分的に、十分近い状態で行われるジェスチャも含んでいる。
【０１１３】
次に、例えばデバイス３００または携帯用多機能デバイス１００のような、ディスプレイとタッチセンシティブ表面とを持つ多機能デバイスに実装されうるユーザインタフェース（「ＵＩ」）および関連のプロセスの実施形態に注意を向けよう。
【０１１４】
図５Ａ乃至５ＬＬＬは、一部の実施形態による対話型ポップアップビューを備えた例示的なユーザインタフェースを示す図である。これらの図におけるユーザインタフェースは、図６Ａ乃至６Ｂおよび７Ａ乃至７Ｂにおけるプロセスを含めて、以下に記すプロセスを示すのに用いられる。
【０１１５】
留意すべきだが、図５Ａ乃至５ＬＬＬにおいて、対応するジェスチャは類似の名前で呼ばれている。例えば、図５Ｂで、第１の多機能デバイス１００−１上の接触が５０５−Ａと呼ばれるのに対して、第２の多機能デバイス１００−２上の対応する接触は５０５−Ａ’と呼ばれる。対応するジェスチャのそれ以外の例は、少なくとも図５Ｄ、５Ｊ乃至５Ｌ、５Ｏ乃至５Ｒ、５Ｖ、５Ｙ、５ＡＡ、５ＥＥ、５ＭＭの中に見ることができる。
【０１１６】
図５Ａ乃至５Ｔに、第１の多機能デバイス１００−１のタッチスクリーン１１２−１上の地図アプリケーション（例えば、図１の地図モジュール１５４）における対話型ポップアップビューを備えた例示的なユーザインタフェースを示す。また、比較のため、第２の多機能デバイス１００−２のタッチスクリーン１１２−２上の対応する地図アプリケーションにおける対応する全画面幅ビューのためのユーザインタフェースも示す。第２の多機能デバイス１００−２のタッチスクリーン１１２−２は、第１の多機能デバイス１００−１のタッチスクリーン１１２−１より解像度が低い。一例では、タッチスクリーン１１２−１は、タッチスクリーン１１２−２の解像度の２倍の解像度を有する（すなわち、横すなわち水平の次元に２倍のピクセル、垂直の次元に２倍のピクセル、全体としてタッチスクリーン１１２−２の４倍のピクセル）。別の例では、タッチスクリーン１１２−１は、水平の次元にタッチスクリーン１１２−２の少なくとも２倍のピクセル、そして、垂直の次元に少なくとも２倍のピクセルを持つ、タッチスクリーン１１２−２の解像度の２倍を超える解像度を有する。
【０１１７】
本明細書では、ディスプレイ上のアプリケーションにおける「全画面幅ビュー」という用語は、ディスプレイの幅のすべてまたは実質的にすべて（例えば、少なくとも８０％、８５％、９０％、９５％）を占めるビューのことを言う。留意すべきだが、全画面幅ビューは、高さの点では必ずしもディスプレイの全画面を占めない。例えば、全画面幅ビューには、ディスプレイの画面全体を占める第１のビュー（すなわち、全画面幅および全画面高のビュー）だけでなく、幅はディスプレイの全画面を占めるけれども高さは画面の半分のエリアを占める第２のビューが含まれる。
【０１１８】
図５Ａは、第１の多機能デバイス１００−１上の地図アプリケーションにおいて地図５２０−１を表示する例示的なユーザインタフェースを描いた図である。地図アプリケーションは、以下の要素またはそれらの下位集合または上位集合を含んでいてもよい。
・検索モードアイコン５０８−１であって、（例えばアイコン上の指のタップまたはその他のタッチジェスチャによって）起動された場合、検索モードで地図の表示を開始するようになっていて、検索モードでは、地図は、検索結果を重畳するように構成されており、この例では、検索モードアイコンが起動され、その結果、検索モードアイコンが太字の輪郭線で強調表示される。
・道順モードアイコン５１０−１であって、（例えばアイコン上の指のタップまたはその他のタッチジェスチャによって）起動された場合、道順モードで地図の表示を開始するようになっていて、道順モードでは、地図アプリケーションは、道順を重畳するように構成される。
・ビュー位置アイコン５１２−１であって、（例えばアイコン上の指のタップまたはその他のタッチジェスチャによって）起動された場合、地図アプリケーションの各種のモードを開始するようになっていて、例えば、ビュー位置アイコン５１２−１が最初に起動された場合、デバイスの現在位置が地図５２０−１上に表示される。
・最近入力アイコン５１４−１であって、（例えばアイコン上の指のタップまたはその他のタッチジェスチャによって）起動された場合、ブックマーク位置、連絡先、および／または最近の入力（例えば最近の検索用語の入力）の表示を開始する。
・検索用語入力エリア５１６−１であって、（例えばアイコン上の指のタップまたはその他のタッチジェスチャによって）起動された場合、検索用語（例えば、位置検索であれば、検索用語は、住所の全部または一部であってもよいし、企業名または人名であってもよい）の受け取りを開始する。
【０１１９】
また、第１の多機能デバイス１００−１上の例示的なユーザインタフェースは、（例えばＷｉＦｉ、ＥＤＧＥ、および３Ｇのような無線通信信号の強度を示す）信号強度指標５０２−１と、現在時刻指標５０４−１と、電池残量指標５０６−１とを含んでいる。
【０１２０】
また、図５Ａは、２つの位置を表す２つのピン（５２２−１および５２２−２）を示す。位置は、検索（例えば検索結果）から、アドレス帳（例えばアドレス帳に記憶されている位置）から、地図（例えば観光スポット、または、例えばガソリンスタンドのような、よく知られている位置）から、および／またはユーザの入力（例えば、以下に記すように、ピンを落とした位置）から取得されてもよい。
【０１２１】
加えて、図５Ａは、第２の多機能デバイス１００−２上の地図アプリケーションに対応する地図５２０−２を表示する、例示的なユーザインタフェースを描いている。第２の多機能デバイス１００−２上の地図アプリケーションは、上記の類似要素と同様である要素５０８−２、５１０−２、５１２−２、５１６−２および５２２−１’、あるいはそれらの下位集合または上位集合を含んでいてもよい。第２の多機能デバイス１００−２上のユーザインタフェースは、上記の類似要素と同様である要素５０２−２、５０４−２、５０６−２、あるいはそれらの下位集合または上位集合を含んでいてもよい。
【０１２２】
図５Ｂでは、接触５０５−Ａ（またはその他のタッチジェスチャ）が、ピン５２２−１に対応するタッチスクリーン１１２−１上の位置で検出され、それによって、ピン５２２−１が選択される。同様に、接触５０５−Ａ’が、タッチスクリーン１１２−２上のピン５２２−１’に対応する位置で検出される。
【０１２３】
図５Ｃは、第１の多機能デバイス１００−１上でピン５２２−１に隣接するコールアウト５２４−１の表示を示す図である。コールアウト５２４−１は、ピン５２２−１を指し示すポインタを有する。コールアウト５２４−１は、住所、位置（または建物）のタイプ、および／または、その位置にいる人物の名前に対応するテキストを含んでいてもよい。この例では、コールアウト５２４−１は、位置／建物のタイプを示すテキストである「図書館」を含んでいる。コールアウト５２４−１は、加えて、以下の要素またはそれらの下位集合または上位集合を含んでいてもよい。
・ストリートビューアイコン５２８−１であって、（例えばアイコン上の指のタップまたはその他のタッチジェスチャによって）起動された場合、地図５２０−１上のピン５２２−１の位置に対応する位置からのストリートビューの表示を開始する。
・情報アイコン５２６−１であって、（例えばアイコン上の指のタップまたはその他のタッチジェスチャによって）起動された場合、地図５２０−１上のピン５２２−１の位置に対応する位置についての情報を含むポップアップビューの表示を開始する。
【０１２４】
同様に、第２の多機能デバイス１００−２上で、コールアウト５２４−２が表示される。コールアウト５２４−２は、以下の要素またはそれらの下位集合または上位集合を含んでいてもよい：５２６−２および５２８−２、それらは、上記の同様の要素に類似している。
【０１２５】
図５Ｄでは、接触５０７−Ａが、情報アイコン５２６−１に対応するタッチスクリーン１１２−１上の位置で検出される。同様に、接触５０７−Ａ’が、情報アイコン５２６−２に対応するタッチスクリーン１１２−２上の位置で検出される。
【０１２６】
図５Ｅ乃至５Ｇは、第１の多機能デバイス１００−１上のポップアップビュー５３０−１を示すアニメーションを示す。また、図５Ｅ乃至５Ｇでは、第２の多機能デバイス１００−２上の対応する全画面幅ビュー上でのアニメーションも示す。
【０１２７】
図５Ｅ乃至５Ｇでは、ポップアップビュー５３０−１は、第２の多機能デバイス１００−２のタッチスクリーン１１２−２の横方向解像度に対応する横方向解像度を有する。例えば、第２の多機能デバイス１００−２のタッチスクリーン１１２−２が、３２０ピクセルの横方向解像度を有する場合、ポップアップビュー５３０−１の横方向解像度は３２０ピクセルである。
【０１２８】
図５Ｇは、アニメーションの完了を示す。第１の多機能デバイス１００−１上で、ポップアップビュー５３０−１は、地図５２０−１を部分的に覆う。それと比べて、第２の多機能デバイス１００−２上の対応する全画面幅ビューは、地図５２０−２を完全に覆う。
【０１２９】
図５Ｇでは、ポップアップビュー５３０−１はポインタを含んでおり、ポインタはピン５２２−１を指し示す。
【０１３０】
また、図５Ｇは、ポップアップビュー５３０−１が、以下の要素またはそれらの下位集合または上位集合を含んでいてもよいことを示す。
・道順アイコン５３２−４および５３２−５であって、（例えばアイコン上の指のタップによって）起動された場合、道順モードを開始し、ピンの位置をそれぞれ、終点または出発点として提供する。
・地図５２０−１上のピン５２２−１の位置に対応する位置に関連する電話番号、ホームページ、および住所をそれぞれ含むメニューアイコン５３８−１、５３８−２、および５３８−３であって、それぞれのメニューアイコンは、（例えばアイコン上の指のタップによって）起動された場合、それぞれのメニューアイコン５３８に関連するそれぞれのコンテンツ（例えば電話番号、ホームページ、住所）についての編集プロセスを開始する。
・地図５２０上のピン５２２−１の位置に対応する位置についてのストリートビューを含んでいるストリートビューアイコン５３８−４であって、ストリートビューアイコン５３８−４は、（例えばアイコン上の指のタップによって）起動された場合、ストリートビューの表示を開始する。
・「連絡先追加」アイコン５３２−１であって、（例えばアイコン上の指のタップによって）起動された場合、ユーザのアドレス帳（ユーザの連絡先またはコンタクトリストと呼ばれることもある）の中にピン５２２−１に関連する位置情報を記憶することを開始する。
・共有アイコン５３２−２であって、（例えばアイコン上の指のタップによって）起動された場合、ピン５２２−１に関連する位置情報を選択された人物またはグループと共有することを開始する。
・ブックマークアイコン−３であって、（例えばアイコン上の指のタップによって）起動された場合、ピン５２２−１に関連する位置情報をブックマークに記憶することを開始する。
【０１３１】
図５Ｇでは、第２の多機能デバイス１００−２上の対応する全画面幅ビューが、上記の同様の要素（例えば電話、ホームページ、住所等）またはそれらの下位集合または上位集合を含んでいてもよい。
【０１３２】
ポップアップビュー５３０−１と対応する全画面幅ビューとは、図５Ｇでは同一ではない。具体的には、要素の配置が異なる。例えば、ポップアップビュー５３０−１では、道順アイコン５３２−４および５３２−５は、メニューアイコン５３８−１、５３８−２、５３８−３の上にあり、他方、第２の多機能デバイス１００−２に表示される対応する全画面幅ビューでは、道順アイコンはメニューアイコンの下に現れる。
【０１３３】
さらに、ポップアップビュー５３０−１の高さは、対応する全画面幅ビューの高さと合致する必要はない。この例では、ポップアップビュー５３０−１は、第２の多機能デバイス１００−２上の対応する全画面幅ビューの高さより高い。また、この例のポップアップビュー５３０−１は、第２の多機能デバイス上の対応する全画面幅ビュー上に現れないアイコン５３２−１、５３２−２、５３２−３も表示する。
【０１３４】
図５Ｈ乃至５Ｉは、対応する全画面幅ビュー上のスクロール操作を示す。図５Ｈは、接触５０９の、タッチスクリーン１１２−２上の５０９−Ａ’に対応する位置での検出を示す。図５Ｉでは、接触５０９は、タッチスクリーン１１２−２上で５０９−Ｂ’に対応する位置へと移動している。対応する全画面幅ビューは、接触５０９の移動に従ってスクロールし、上記の同様の要素に類似したアイコン５３２−１’、５３２−２’、５３２−３’を表示する。
【０１３５】
図５Ｊでは、接触５１１−Ａが、タッチスクリーン１１２−１上の「連絡先追加」アイコン５３２−１に対応する位置で検出される。同様に、接触５１１−Ａ’が、タッチスクリーン１１２−２上で「連絡先追加」アイコン５３２−１に対応する位置で検出される。
【０１３６】
図５Ｋおよび５Ｌは、第２のポップアップビューを表示する２つの実施形態を示す図である。図５Ｋは、ポップアップビュー５３０−１の中の第２のポップアップビュー５３４−１の表示を示す図である。第２のポップアップビュー５３４−１は、以下の要素またはそれらの下位集合または上位集合を含んでいてもよい。
・「連絡先新規作成」アイコン５３８−４であって、（例えばアイコン上の指のタップまたはその他のタッチジェスチャによって）起動された場合、ピン５２２−１に関連する位置情報を添えてユーザのアドレス帳に新規連絡先を作成することを開始する。
・「既存連絡先への追加」アイコン５３８−５であって、（例えばアイコン上の指のタップまたはその他のタッチジェスチャによって）起動された場合、ピン５２２−１に関連する位置情報を既存の連絡先に追加することを開始する。
・キャンセルアイコン５３８−６であって、（例えばアイコン上の指のタップまたはその他のタッチジェスチャによって）起動された場合、第２のポップアップビュー５３４−１を表示するのを中止する。
【０１３７】
同様に、第２の多機能デバイス１００−２は、スライドインメニュー５３６−１を表示する。スライドインメニュー５３６−１は、上記の要素またはそれらの下位集合または上位集合を含んでいてもよい。この例では、スライドインメニュー５３５−１は、（ユーザのアドレス帳に新規連絡先を作成するための）「新規連絡先作成」アイコン５３８−４’を含んでいてもよい。
【０１３８】
また、図５Ｋは、デバイス１００−１のタッチスクリーン１１２−１上の「新規連絡先作成」アイコン５３８−４に対応する位置で接触５１３−Ａが検出されることを示す図である。同様に、デバイス１００−２のタッチスクリーン１１２−２上の「新規連絡先作成」アイコン５３８−４’に対応する位置で接触５１３−Ａ’が検出される。
【０１３９】
図５Ｌは、ポップアップビュー５３０−１の次の第２のポップアップビュー５３４−２の表示を示す図である。この例では、第２のポップアップビュー５３４−２は、ポップアップビュー５３０−１の下に表示される。図５Ｌでは、第２のポップアップビュー５３４−２は、第１のポップアップビュー５３０−１を覆わない。第２のポップアップビュー５３４−２は、「連絡先追加」アイコン５３２−１を指し示すポインタを有する。ポップアップビュー５３０−１と地図５２０−１の残りの部分の表示は、維持される。第２のポップアップビュー５３４−２は、上記の要素またはそれらの下位集合または上位集合を含んでいてもよい。
【０１４０】
また、図５Ｌは、第１の多機能デバイス１００−１のタッチスクリーン１１２−１上で、第２のポップアップビュー５３４−２の中の「連絡先新規作成」アイコン５３８−４に対応する位置で接触５１３−ＡＡが検出されることを示す。図５Ｌでは、第２の多機能デバイス１００−２は、図５Ｋに関して上述したように示される。
【０１４１】
図５Ｍ乃至５Ｎは、（図５Ｍに示す）ポップアップビュー５３０−１上にスライドして入る第３のポップアップビュー５３０−２（図５Ｎに示す）のアニメーションを示す図である。図５Ｎに示すように、第３のポップアップビュー５３０−２は、複数の要素、例えばファーストネーム、ラストネーム、連絡先タイプ、写真、電話番号、電子メールアドレス、およびホームページを含んでいる。
【０１４２】
また、図５Ｎでは、第３のポップアップビュー５３０−２は、下記の要素またはそれらの下位集合または上位集合を含んでいる。
・キャンセルアイコン５３２−４であって、（例えばアイコン上の指のタップまたはその他のタッチジェスチャによって）起動された場合、多機能デバイス１００−１が第３のポップアップビュー５３０−２を表示するのを中止することを開始する。
・完了アイコン５３２−５であって、（例えばアイコン上の指のタップまたはその他のタッチジェスチャによって）起動された場合、ピン５２２−１に関連する位置情報を、第１の多機能デバイス１００−１のメモリ（例えば図１Ａのメモリ１０２または図３のメモリ３７０）の中の（ユーザの連絡先またはコンタクトリストとも呼ばれる）ユーザのアドレス帳に記憶する。
【０１４３】
上記の第１のポップアップビュー５３０−１と同様に、第１の多機能デバイス１００−１上で、第２のポップアップビュー５３０−２は、地図５２０−１を部分的に覆う。それと比べて、第２の多機能デバイス１００−２上の対応する全画面幅ビューは、第２の多機能デバイス１００−２上の地図５２０−２を完全に覆う。
【０１４４】
図５Ｏ乃至５Ｑは、第３のポップアップビュー５３０−２の中のスクローリング操作を示す図である。図５Ｏでは、接触５１５−Ａが、第３のポップアップビュー５３０−２上で検出される。同様に、接触５１５−Ａ’が、第２の多機能デバイス１００−２のユーザインタフェース１１２−２上で検出される。
【０１４５】
図５Ｐは、第１の多機能デバイス１００−１のタッチスクリーン１１２−１上で接触５１５が別の位置５１５−Ｂへ移動することを示す図である。移動の間、接触５１５は、タッチスクリーン１１２−１との接触を続ける。第３のポップアップビュー５３０−２は、接触５１５の移動に従って第３のポップアップビュー５３０−２の一部分をスクロールする。同様に、第２の多機能デバイス１００−２上の接触５１５は、タッチスクリーン１１２−２上で別の位置５１５−Ｂ’へ移動し、第２の多機能デバイス１００−２上のビューは、ビューの一部分をスクロールする。
【０１４６】
図５Ｑは、第１の多機能デバイス１００−１のタッチスクリーン１１２−１上で接触５１５が別の位置５１５−Ｃへ移動することを示す図である。この例では、接触５１５は、位置５１５−Ａに近い位置に戻る。第３のポップアップビュー５３０−２は、接触５１５の移動に従ってポップアップビュー５３０−２の一部分をスクロールする。同様に、第２の多機能デバイス１００−２上で、対応する接触５１５が、別の位置５１５−Ｃ’へ移動する。
【０１４７】
図５Ｒでは、第１の多機能デバイス１００−１のタッチスクリーン１１２−１上で、接触５１７−Ａが、キャンセルアイコン５３２−４に対応する位置で検出される。同様に、第２の多機能デバイス１００−２のタッチスクリーン１１２−２上で、接触５１７−Ａ’が、キャンセルアイコン５３２−４’に対応する位置で検出される。
【０１４８】
図５Ｓ乃至５Ｔは、第３のポップアップビュー５３０−２の表示を中止するアニメーションを示す図である。図５Ｓでは、第３のポップアップビュー５３０−２が、底からスライドして出てくる。図５Ｔは、アニメーションの完了を示す図である。図５Ｔでは、ポップアップビュー５３０−１の表示は、第１の多機能デバイス１００−１上で維持される。
【０１４９】
図５Ｕ乃至５ＪＪは、タッチスクリーン１１２−１上のブラウザアプリケーションにおける対話型ポップアップビューを伴う例示的なユーザインタフェースを示す図である。比較のため、第２の多機能デバイス１００−２のタッチスクリーン１１２−２上の対応する地図アプリケーションにおける対応する全画面幅ビューのためのユーザインタフェースも示す。
【０１５０】
図５Ｕ乃至５ＪＪでは、ポップアップビュー５３０は、上記のように、第２の多機能デバイス１００−２のタッチスクリーン１１２−２の横方向解像度に対応する横方向解像度を有する。
【０１５１】
図５Ｕは、第１の多機能デバイス１００−１上のブラウザアプリケーションにおいてウェブコンテンツ５４１−１を表示する例示的なユーザインタフェースを描いた図である。ブラウザアプリケーションは、下記の要素またはそれらの下位集合または上位集合を含んでいてもよい。
・戻るアイコン５４４−１であって、（例えばアイコン上の指のタップによって）起動された場合、ブラウザアプリケーションの中で閲覧した以前のページの表示を開始する。
・次へアイコン５４６−１であって、（例えばアイコン上の指のタップによって）起動された場合、ブラウザアプリケーションの中で閲覧した次のページの表示を開始する。
・ページアイコン５４８−１であって、（例えばアイコン上の指のタップによって）起動された場合、複数のウェブページの表示を開始する。
・ブックマークアイコン５５０−１であって、（例えばアイコン上の指のタップによって）起動された場合、ブックマークの表示を開始する。
・追加アイコン５５２−１であって、（例えばアイコン上の指のタップによって）起動された場合、現行のウェブページアドレスをブックマークに追加することを開始する。
・表示されたウェブページのウェブアドレスを表示するアドレスバーであって、起動された場合、アドレスバーは、閲覧のためのウェブページアドレスを受信することを開始する。
・上記のような検索用語入力エリア５１６−１（ブラウザにとって、検索用語入力は、インターネット検索エンジン用のクエリ用語である。）
【０１５２】
加えて、タッチスクリーン１１２−１は、上記のように、信号強度指標５０２−１、現在時刻指標５０４−１、および電池残量指標５０６−１を含んでいる。
【０１５３】
また、図５Ｕは、第２の多機能デバイス１００−２上の対応するブラウザアプリケーションにおいてウェブコンテンツ５４２−２を表示する例示的なユーザインタフェースも示す。第２の多機能デバイス１００−２上のブラウザは、以下の要素またはそれらの下位集合または上位集合を含んでいてもよい：５１６−２、５４４−２、５４６−２、５４８−２、５５０−２、５５２−２、それらは上記の５１６−１、５４４−１、５４６−１、５４８−１、５５０−１、５５２−１に類似している。また、第２の多機能デバイス１００−２上のユーザインタフェースは、以下の要素またはそれらの下位集合または上位集合を含んでいてもよい：５０２−２、５０４−２、５０６−２、それらは上記の５０２−１、５０４−１、５０６−１に類似している。
【０１５４】
図５Ｖでは、接触５１９−Ａまたはその他のタッチジェスチャが、第１の多機能デバイス１００−１上の追加アイコン５５２−１に対応するタッチスクリーン１１２−１上の位置で検出される。同様に、接触５１９−Ａ’またはその他のタッチジェスチャが、第２の多機能デバイス１００−２上の追加アイコン５５２−２に対応するタッチスクリーン１１２−２上の位置で検出される。
【０１５５】
図５Ｗは、第１の多機能デバイス１００−１上に表示されたポップアップビュー５３０−３を示す図である。ポップアップビュー５３０−３は、５３８−８、５３８−９、５３８−１０を含んでおり、それらは、（例えばアイコン上の指のタップまたはその他のタッチジェスチャによって）起動された場合、それぞれのアイコン５３８によって示されたそれぞれの動作（このページへのリンクをメールする、ホームスクリーンに追加する、ブックマークを追加する）の実行を開始する。ポップアップビュー５３０−３は、第２の多機能デバイス１００−２上の全画面幅ビューに対応する。第２の多機能デバイス１００−２上の全画面幅ビューは、追加メニュービュー５３６−２を含んでいる。追加メニュービュー５３６−２は、アイコン５３８−８’、５３８−９’、５３８−１０’を含んでおり、それらは、起動された場合、アイコン５３８−８、５３８−９、５３８−１０と同じかまたは類似する動作の実行を開始する。加えて、追加メニュービュー５３６−２は、第２のデバイスを、追加メニュービュー５３６−２の前に表示されていたビューに戻すためのキャンセルアイコン５３８−７’を含んでいる。ポップアップビュー５３０−３は、追加メニュービュー５３６−２によって覆われないビュー５４２−１の中の位置での、タッピングまたはその他のタッチジェスチャによってキャンセルされる。
【０１５６】
図５Ｗでは、メニューアイコン（例えば戻るアイコン５４４−１、次へアイコン５４６−１、ページアイコン５４８−１、ブックマークアイコン５５０−１、追加アイコン５５２−１）は、タッチスクリーン１１２−１上に維持される。それと比べて、タッチスクリーン１１２−２上の対応するメニューアイコンは、追加メニュービュー５３６−２によって覆われている。
【０１５７】
図５Ｘでは、接触５２１−Ａまたはその他のタッチジェスチャが、ポップアップビュー５３０−３の外側のタッチスクリーン１１２−１上の位置で検出される。それと比べて、接触５２１−Ａ’またはその他のタッチジェスチャは、第２の多機能デバイス１００−２上のキャンセルアイコン５３８−７’に対応するタッチスクリーン１１２−２上の位置で検出される。
【０１５８】
図５Ｙは、ポップアップビュー５３０−３の外側のタッチスクリーン１１２−１上の位置での接触５２１−Ａまたはその他のタッチジェスチャに応じて、第１の多機能デバイス１００−１がポップアップビュー５３０−３の表示を中止することを示す。同様に、追加メニュービュー５３６−２は、キャンセルアイコン５３８−７’に対応するタッチスクリーン１１２−２上の位置での接触５２１−Ａ’またはその他のタッチジェスチャに応じて、第２の多機能デバイス１００−２上で表示されることを中止する。
【０１５９】
また、図５Ｙは、ブックマークアイコン５５０−１に対応するタッチスクリーン１１２−１上の位置での接触５２３−Ａまたはその他のタッチジェスチャの検出を示す図である。同様に、ブックマークアイコン５５０−２に対応するタッチスクリーン１１２−２上の位置で、接触５２３−Ａ’またはその他のタッチジェスチャが検出される。
【０１６０】
図５Ｚでは、第１の多機能デバイス１００−１上にブックマークポップアップビュー５３０−４を表示する。ポップアップビュー５３０−４はブックマークを表示し、この例では、ブックマークは、フォルダ５５４−１、５５４−２、５５４−３および／またはウェブページ５５６−１、５５６−２、５５６−３を含んでいる。同様に、第２の多機能デバイス１００−２は、フォルダ５５４−１’、５５４−２’、５５４−３’および／またはウェブページブックマーク５５６−１’、５５６−２’、５５６−３’を含めて、対応するブックマークを表示する。加えて、第２の多機能デバイス１００−２は、完了アイコン５３２−７’を表示しており、これは、（例えば完了アイコン５３２−７’上の指のタップまたはその他のタッチジェスチャによって）起動された場合、第２の多機能デバイス１００−２に、ブックマークの表示を中止させる。
【０１６１】
図５ＡＡでは、フォルダの１つに対応するタッチスクリーン１１２−１上の位置で、接触５２５−Ａまたはその他のタッチジェスチャが検出される。同様に、第２の多機能デバイス１００−２上に表示されるフォルダの１つに対応するタッチスクリーン１１２−２上の位置で、接触５２５−Ａ’が検出される。
【０１６２】
図５ＢＢ乃至５ＤＤは、フォルダコンテンツを表示するアニメーションを示す図である。図５ＤＤは、アニメーションの完了を示す。ポップアップビュー５３０−４は、「ブックマークへ」アイコン５３２−６を含んでいてもよく、これは、起動された場合、トップレベルでブックマークの表示を開始する（例えば、図５Ｚを参照）。同様に、第２の多機能デバイス１００−２上の対応する全画面幅ビューは、「ブックマークへ」アイコン５３２−６’を含んでいてもよい。
【０１６３】
図５ＥＥでは、第１の多機能デバイス１００−１上の「ブックマークへ」アイコン５３２−６に対応する位置で、接触５２７−Ａまたはその他のタッチジェスチャが検出され、それが、トップレベルでブックマークの表示を開始する（例えば図５Ｚを参照）。同様に、第２の多機能デバイス１００−２上の「ブックマークへ」アイコン５３２−６’に対応するタッチスクリーン１１２−２上の位置で、接触５２７−Ａ’またはその他のタッチジェスチャが検出される。
【０１６４】
図５ＦＦ乃至５ＨＨは、フォルダコンテンツの表示を中止して、代わりに、トップレベルでブックマークを表示するアニメーションを示す図である。図５ＨＨは、アニメーションの完了を示す図である。
【０１６５】
図５ＩＩでは、第１の多機能デバイス１００−１上のポップアップビュー５３０−４の外側の位置で、接触５２９−Ａまたはその他のタッチジェスチャが検出される。この例では、接触５２９−Ａまたはその他のタッチジェスチャは、ウェブコンテンツ５４２−１の残った部分に対応する位置で検出される。それと比べて、第２の多機能デバイス１００−２上の完了アイコン５３２−７’に対応するタッチスクリーン１１２−２上の位置で、接触５２９−Ａ’またはその他のタッチジェスチャが検出される。
【０１６６】
図５ＪＪは、ブックマークポップアップビュー５３０−４の表示を、ポップアップビュー５３０−４の外側の位置での接触５２９−Ａまたはその他のタッチジェスチャに応じて、中止することを示す図である。また、図５ＪＪは、完了アイコン５３２−７’に対応するタッチスクリーン１１２−２上の位置での接触５２９−Ａ’またはその他のタッチジェスチャに応じて、第２の多機能デバイス１００−２による表示を中止することを示す。
【０１６７】
図５ＫＫ乃至５ＱＱは、タッチスクリーン１１２−１上のメモアプリケーションにおける対話型ポップアップビューを備えた例示的なユーザインタフェースを示す図である。また、比較のため、第２の多機能デバイス１００−２のタッチスクリーン１１２−２上の対応するメモアプリケーションにおける対応する全画面幅ビューについてのユーザインタフェースも描いている。
【０１６８】
図５ＫＫ乃至５ＱＱでは、ポップアップビュー５３０は、上記のように、第２の多機能デバイス１００−２のタッチスクリーン１１２−２の横方向解像度に対応する横方向解像度を有する。
【０１６９】
図５ＫＫは、横方向の向きにおける第１の多機能デバイス１００−１上のメモアプリケーションの中のメモ５５８−１とサイドバー５６０−１とを示す例示的なユーザインタフェースを描いている。メモ５５８−１は、以下の要素またはそれらの下位集合または上位集合を含んでいてもよい。
・戻るアイコンであって、（例えばアイコン上の指のタップまたはその他のタッチジェスチャによって）起動された場合、メモアプリケーションの中で前のメモの表示を開始する。
・次へアイコンであって、（例えばアイコン上の指のタップまたはその他のタッチジェスチャによって）起動された場合、メモアプリケーションの中の次のメモの表示を開始する。
・電子メールアイコンであって、（例えばアイコン上の指のタップまたはその他のタッチジェスチャによって）起動された場合、表示されたメモの電子メール作成を開始する。
・削除アイコンであって、（例えばアイコン上の指のタップまたはその他のタッチジェスチャによって）起動された場合、表示されたメモの削除を開始する。
・メモが作成されたかまたは最後に修正された日付を表示する日付アイコン。
・メモが作成されたかまたは最後に修正された時刻を表示するタイムスタンプ。
・新規メモアイコンであって、（例えばアイコン上の指のタップまたはその他のタッチジェスチャによって）起動された場合、新規メモの原稿作成を開始する。
【０１７０】
本明細書では、サイドバーは、アプリケーションのユーザインタフェースの中のメインビューに沿って表示される補助的なビューである。サイドバーは、典型的には、メインビューの左端部または右端部のいずれかに沿って表示される。サイドバーは、アプリケーションの中のメインビューと対話するように構成された情報、入力フィールド、制御部、アイコンおよびその他の選択可能なオブジェクトを含んでいてもよい。
【０１７１】
例えば、サイドバー５６０−１は、メモアプリケーションの中のメモビュー（例えばメモ５５８−１を持つ）に沿って表示されるビューである。サイドバー５６０−１は、以下の要素またはそれらの下位集合または上位集合を含んでいてもよい。
・メモアプリケーションの中に記憶されたメモの数（例えば、「メモ４件」）
・検索入力エリアであって、例えばエリア上の指のタップまたはその他のタッチジェスチャによって）起動された場合、検索で用いられることになる検索用語の受信を開始する。
・メモアプリケーションの中に記憶されたメモのタイトルを含むメモのリスト。
【０１７２】
加えて、タッチスクリーン１１２−１は、上記のように、信号強度指標５０２−１、現在時刻指標５０４−１、および、電池残量指標５０６−１を含んでいる。
【０１７３】
また、図５ＫＫは、第２の多機能デバイス１００−２上の対応するメモアプリケーションの中に対応するメモ５５８−２を表示する例示的なユーザインタフェースを描いている。第２の多機能デバイス１００−２上のメモアプリケーションは、上記の要素またはそれらの下位集合または上位集合を含んでいてもよい。また、第２の多機能デバイス１００−２のユーザインタフェースは、以下の要素またはそれらの下位集合または上位集合を含んでいてもよい：５０２−２、５０４−２、５０６−２、それらは上記の５０２−１、５０４−１、５０６−１に類似している。
【０１７４】
図５ＫＫおよび５ＬＬは、第１の多機能デバイス１００−１が横方向の向き（図５ＫＫに示す）から縦方向の向き（図５ＬＬに示す）に反時計回りに回転された場合にタッチスクリーン１１２−１に表示されるユーザインタフェースで生じる変化を示す図である。図５ＬＬに示すメモ５５８−１は、上記の要素またはそれらの下位集合または上位集合を含んでいる。サイドバー５６０−１は、デバイスが縦方向の向きに回転された後、第１の多機能デバイス１００−１上での表示を中止される。また、図５ＬＬは、第２の多機能デバイス１００−２上の対応する例示的なユーザインタフェースを示す。
【０１７５】
図５ＭＭでは、第１の多機能デバイス１００−１上のメモアイコン５３２−８に対応するタッチスクリーン１１２−１上の位置で、接触５３１−Ａまたはその他のタッチジェスチャが検出される。同様に、第２の多機能デバイス１００−２上のメモアイコン５３２−８’に対応するタッチスクリーン１１２−２上の位置で、接触５３１−Ａ’またはその他のタッチジェスチャが検出される。
【０１７６】
図５ＮＮは、メモアイコン５３２−８に対応するタッチスクリーン１１２−１上の位置での接触５３１−Ａまたはその他のタッチジェスチャに応じて第１の多機能デバイス上で表示されるポップアップビュー５３０−５を示す図である。ポップアップビュー５３０−５は、サイドバー５６０−１に関して上述した要素を含んでいる。
【０１７７】
図５ＮＮでは、ポップアップビュー５３０−５は、第１の多機能デバイス１００−１上のメモアプリケーションの中のメモ５５８−１を部分的に覆う。それと比べて、第２の多機能デバイス１００−２は、メモのリストを表示し、そして、メモのリストは、メモ５５８−２を完全に覆う。また、留意すべきだが、この例では、ポップアップビュー５３０−５は、第２の多機能デバイス１００−２上の対応する全画面幅ビューの高さ（または垂直解像度）より高い。加えて、ポップアップビュー５３０−５は、第２の多機能デバイス１００−２上の全画面幅ビューより多くのメモをリストするように構成されている。この例では、ポップアップビュー５３０−５は、１０個のメモをリストするように構成されている（すなわち、デバイス内に１０個以上のメモが記憶されている場合、ポップアップビュー５３０−５には１０個がリストされる）のに対して、第２の多機能デバイス１００−２上の対応する全画面幅ビューは、５個のメモをリストするように構成されている（すなわち、第２の多機能デバイス１００−２に５個を超えるメモが記憶されている場合、第２の多機能デバイス１００−２のディスプレイ１１２−２には５個だけがリストされる）。
【０１７８】
図５ＯＯは、ポップアップビュー５３０−５の外側のタッチスクリーン１１２−１上の位置での接触５３３−Ａまたはその他のタッチジェスチャの検出を示す図である。同様に、リストされたメモの１つに対応するタッチスクリーン１１２−２上の位置で接触５３３−Ａ’が検出され、それによって、それぞれのメモが選択される。この例では、接触５３３−Ａ’またはその他のタッチジェスチャが、「ハロー」と題されたメモに対応する位置で検出され、それによって、「ハロー」と題されたメモが選択される。
【０１７９】
図５ＰＰでは、図５ＯＯに関して上述した接触５３３−Ａまたはその他のタッチジェスチャに応じて、ポップアップビュー５３０−５が、第１の多機能デバイス１００−１上での表示を中止される一方で、第２の多機能デバイス１００−２上の対応する全画面幅ビューは、選択されたメモを表示する。また、図５ＰＰおよび５ＱＱは、第１の多機能デバイス１００−１が縦方向の向きから横方向の向きへ時計回りに回転された場合、第１の多機能デバイス１００−１のユーザインタフェースが、以前に選択されていたもの（もしあれば）を表示することを加えてタッチスクリーン１１２−１上でサイドバー５６０−１を表示することを示す。それと比べて、第２の多機能デバイス１００−２は、メモのリストを表示しない。
【０１８０】
図５ＲＲ乃至５ＫＫＫは、タッチスクリーン１１２−１上の電子メールアプリケーションにおける対話型ポップアップビューを備えた例示的なユーザインタフェースを示す図である。第２の多機能デバイス１００−２のタッチスクリーン１１２−２は、略して描かれていない。しかし、図５ＲＲ乃至５ＫＫＫでは、ポップアップビュー５３０は、上記のように、第２の多機能デバイス１００−２のタッチスクリーン１１２−２の横方向解像度を有する。
【０１８１】
図５ＲＲは、縦方向の向きの第１の多機能デバイス１００−１上の電子メールアプリケーションにおいて電子メールメッセージを表示する例示的なユーザインタフェース５７０−１を描いている。電子メールアプリケーションのユーザインタフェース５７０−１は、以下の要素またはそれらの下位集合または上位集合を含んでいてもよい。
・現行フォルダアイコン５３２−９であって、（例えばアイコン上の指のタップまたはその他のタッチジェスチャによって）起動された場合、現行フォルダに記憶された電子メールメッセージの表示を開始し、この例では、表示された電子メールメッセージについてのフォルダは、受信箱である（すなわち、表示された電子メールメッセージは、受信箱フォルダに記憶されている）。
・送信者アイコン５３２−１０であって、（例えばアイコン上の指のタップまたはその他のタッチジェスチャによって）起動された場合、送信者についての詳細情報の表示を開始する。
・前の電子メールアイコン５３２−１１であって、（例えばアイコン上の指のタップまたはその他のタッチジェスチャによって）起動された場合、電子メールアプリケーションの中に記憶された前の電子メールメッセージの表示を開始する。
・次の電子メールアイコン５３２−１２であって、（例えばアイコン上の指のタップまたはその他のタッチジェスチャによって）起動された場合、電子メールアプリケーションの中に記憶された次の電子メールメッセージの表示を開始する。
・電子メールアプリケーションの中に記憶された電子メールメッセージの数と、表示された電子メールメッセージの位置とを示す、電子メール数指標５３２−１３であって、この例では、電子メールアプリケーションは、４つの電子メールメッセージを有しており、表示された電子メールは、４つの電子メールメッセージの中の２番目の電子メールメッセージであり、一部の実施形態では、電子メール数指標５３２−１３は、電子メールアプリケーションの中に記憶されたすべての電子メールメッセージの数の代わりに、現行フォルダの中に記憶された電子メールメッセージの数を示してもよい。
・フォルダアイコン５３２−１４であって、（例えばアイコン上の指のタップまたはその他のタッチジェスチャによって）起動された場合、表示された電子メールメッセージがその中へ移動されうる電子メールフォルダの表示を開始する。
・削除アイコン５３２−１５であって、（例えばアイコン上の指のタップまたはその他のタッチジェスチャによって）起動された場合、表示された電子メールメッセージの削除を開始する。
・動作アイコン５３２−１６であって、（例えばアイコン上の指のタップまたはその他のタッチジェスチャによって）起動された場合、表示された電子メールメッセージを使って行われうる動作の表示を開始する。
・新規電子メールアイコン５３２−１８であって、（例えばアイコン上の指のタップまたはその他のタッチジェスチャによって）起動された場合、新規電子メールメッセージの作文を開始する。
・詳細アイコン５３２−１７であって、（例えばアイコン上の指のタップまたはその他のタッチジェスチャによって）起動された場合、表示された電子メールメッセージに関連する詳細情報（例えば、受信者、表示された電子メールメッセージを使って行われる動作、添付物等）の表示を開始する。
【０１８２】
加えて、タッチスクリーン１１２−１は、上記のように、信号強度指標５０２−１と、現在時刻指標５０４−１と、電池残量指標５０６−１とを含んでいる。
【０１８３】
図５ＳＳでは、現行フォルダアイコン５３２−９に対応するタッチスクリーン１１２−１上の位置で、接触５３５−Ａまたはその他のタッチジェスチャが検出される。この接触またはその他のタッチジェスチャに応じて、デバイス１００−１が、図５ＴＴに示す、フォルダポップアップビュー５３０−６を表示する。フォルダポップアップビュー５３０−６は、以下の要素またはそれらの下位集合または上位集合を含んでいてもよい。
・現行フォルダの中に記憶された電子メールメッセージのリストであって、リストは、電子メールメッセージのためのそれぞれのアイコンを含んでおり、（例えばアイコン上の指のタップまたはその他のタッチジェスチャによって）それが起動された場合、電子メールアプリケーションのユーザインタフェース５７０−１の中に対応する電子メールメッセージの表示を開始するもので、この例では、現行フォルダは受信箱である。
・検索入力エリアであって、起動された場合、電子メールの検索のための検索用語を受信する。
・フォルダポップアップビュー５３０−６の更新の最終更新日と時刻とを表示するリフレッシュアイコンであって、リフレッシュアイコンは、（例えばアイコン上の指のタップまたはその他のタッチジェスチャによって）起動された場合、フォルダポップアップビュー５３０−６の更新を開始する。
・メールボックスアイコンであって、（例えばアイコン上の指のタップまたはその他のタッチジェスチャによって）起動された場合、メールボックスのリスト（例えば、ユーザのメールアカウントにおけるメールボックスまたはフォルダ）の表示を開始する。
・編集アイコンであって、（例えばアイコン上の指のタップまたはその他のタッチジェスチャによって）起動された場合、（例えば、リストの編集は、電子メールメッセージのリストの中のメッセージの削除を可能とする）電子メールメッセージのリストの編集を開始する。
【０１８４】
また、図５ＴＴは、リストされた電子メールメッセージの１つに対応するタッチスクリーン１１２−１上の位置で接触５３７−Ａまたはその他のタッチジェスチャが検出され、それによって、それぞれの電子メールメッセージが選択されることを示す。図５ＴＴに示す接触５３７−Ａまたはその他のタッチジェスチャに応じて、図５ＵＵに示すように、選択された電子メールメッセージが電子メールアプリケーションのユーザインタフェース５７０−１に表示される。また、図５ＵＵは、現行フォルダアイコン５３２−９に対応するタッチスクリーン１１２−１上の位置での接触５３９−Ａまたはその他のタッチジェスチャの検出を示す。
【０１８５】
図５ＶＶは、上述したフォルダポップアップビュー５３０−６の表示を示す図である。また、図５ＶＶおよび図５ＷＷは、第１の多機能デバイス１００−１が、縦方向の向き（図５ＶＶ）から横方向の向き（図５ＷＷ）へと時計回りに回転されうることを示す。横方向の向きでは、ポップアップビュー５３０−６は、サイドバー５６０−２に変換される。
【０１８６】
図５ＷＷでは、リストされた電子メールメッセージの１つに対応するタッチスクリーン上の位置での接触５４１−Ａが検出され、それによって、それぞれの電子メールメッセージが選択される。図５ＸＸは、選択された電子メールメッセージが電子メールアプリケーションのユーザインタフェース５７０−１に表示されることを示す図である。また、図５ＸＸ、５ＹＹおよび５ＺＺ乃至５ＡＡＡは、第１の多機能デバイス１００−１が横方向の向き（図５ＸＸ）から縦方向の向き（図５ＹＹ）に時計回りに回転される場合のユーザインタフェース内の変化を示す図である。詳細には、図５ＹＹ乃至５ＡＡＡは、縦方向の向きへの回転に応じた第１の多機能デバイス１００−１の２つの実施形態を示す図である。一実施形態では、図５ＹＹに描いているように、（図５ＸＸに示す）サイドバーが、ポップアップビュー５３０−６に変換される。それと比べて、図５ＺＺに描いている別の実施形態では、サイドバーは表示されるのを中止され、フォルダポップアップビュー５３０−６は、自動的には表示されない。また、図５ＺＺは、現行フォルダアイコン５３２−９での接触５４３−Ａの検出を示す図である。図５ＡＡＡでは、（図５ＺＺに示す）現行フォルダアイコン５３２−９での接触５４３−Ａまたはその他のタッチジェスチャに応じて、ポップアップビュー５３０−６が表示される。
【０１８７】
図５ＢＢＢは、図５ＡＡＡに示すように、フォルダポップアップビュー５３０−６の外側のタッチスクリーン１１２−１上の位置で接触５４５−Ａまたはその他のタッチジェスチャを検出した後に、電子メールアプリケーションのユーザインタフェース５７０−１の中にフォルダポップアップビュー５３０−６が表示されるのを中止することを示す図である。
【０１８８】
図５ＣＣＣは、フォルダアイコン５３２−１４（図５ＢＢＢ）に対応するタッチスクリーン１１２−１上の位置での接触５４７−Ａまたはその他のタッチジェスチャの検出に応じて、それぞれの電子メールメッセージ（例えば、図５ＢＢＢに示す現在表示されている電子メールメッセージ）を移動させるためのポップアップビュー５３０−７の表示を示す図である。ポップアップビュー５３０−７（図５ＣＣＣ）は、現在表示されているそれぞれの電子メールメッセージが移動されうるメールボックスのリスト、例えばメールボックス５５４−７、５５４−８、５５４−９、５５４−１０、５５４−１１、５５４−１２、を含んでいる。ユーザがそれぞれのメールボックス５５４を（例えば、それぞれのメールボックスについてのアイコン上の指のタップまたはその他のタッチジェスチャによって）選択すると、それぞれの電子メールメッセージが、ユーザが選択したメールボックスへ移動される。
【０１８９】
また、図５ＣＣＣでは、ポップアップビュー５３０−７を表示する際に、電子メールアプリケーションのユーザインタフェース５７０−１の中のそれぞれのビューも、接触５４７−Ａに応じて修正される。具体的には、表示された電子メールメッセージのサイズが縮小され、テキストバーが表示され、それぞれのユーザに命令を提供する。テキストバーは、メッセージ移動操作をキャンセルするためのキャンセルアイコン５３２−１９を含んでいる。図５ＣＣＣでは、接触５４９−Ａまたはその他のタッチジェスチャが、キャンセルアイコン５３２−１９に対応するタッチスクリーン１１２−１上の位置で検出され、それに応じて、図５ＤＤＤに示すように、ポップアップビュー５３０−７およびテキストバーの表示が中止される。
【０１９０】
図５ＤＤＤでは、接触５５１−Ａまたはその他のタッチジェスチャが、タッチスクリーン１１２−１の動作アイコン５３２−１６に対応する位置で検出される。それに応じて、電子メールアプリケーションのユーザインタフェース５７０−１が、図５ＥＥＥに示すように、動作ポップアップビュー５３０−８を表示する。動作ポップアップビュー５３０−８は、表示された電子メールメッセージを使って行われうるかまたはそれに関して行われうる動作のリストを含んでいる。この例では、動作ポップアップビュー５３０−８は、表示された電子メールメッセージを使って行われうる動作として、返信（すなわち、メッセージ送信者への返信）、全員に返信（すなわち、メッセージの参加者全員への返信）、および転送（すなわち、表示された電子メールメッセージをユーザによって選択された連絡先または電子メールアドレスに転送する）をリストしている。
【０１９１】
図５ＥＥＥでは、接触５５３−Ａまたはその他のタッチジェスチャが、タッチスクリーン１１２−１上のポップアップビュー５３０−８の外側の位置で検出される。それに応じて、動作ポップアップビュー５３０−８が、図５ＦＦＦに示すように、タッチスクリーン１１２−１上での表示を中止する。
【０１９２】
図５ＦＦＦでは、接触５５５−Ａまたはその他のタッチジェスチャが、現在表示されている電子メールメッセージの送信者を識別する、タッチスクリーン１１２−１上の送信者アイコン５３２−１０に対応する位置で検出される。それに応じて、電子メールアプリケーションは、図５ＧＧＧに示すように、ユーザインタフェース５７０−１の中にポップアップビュー５３０−９を表示する。ポップアップビュー５３０−９は、表示された電子メールメッセージの送信者についての情報を含んでいる。
【０１９３】
図５ＧＧＧでは、接触５５７−Ａまたはその他のタッチジェスチャが、タッチスクリーン１１２−１上のポップアップビュー５３０−９の外側の位置で検出される。それに応じて、電子メールアプリケーションは、図５ＨＨＨに示すように、ユーザインタフェース５７０−１の中にポップアップビュー５３０−９を表示するのを中止する。
【０１９４】
図５ＨＨＨおよび５ＩＩＩは、第１の多機能デバイス１００−１が縦方向の向き（図５ＨＨＨ）から横方向の向き（図５ＩＩＩ）に反時計回りに回転された場合の電子メールアプリケーションのユーザインタフェース５７０−１における変化を示す図である。横方向の向きでは、第１の多機能デバイス１００−１が、電子メールアプリケーションのユーザインタフェース５７０−１の中に表示された電子メールメッセージに加えて、サイドバー５６０−２を表示する。
【０１９５】
図５ＩＩＩおよび５ＪＪＪは、第１の多機能デバイス１００−１が横方向の向き（図５ＩＩＩ）から縦方向の向き（図５ＪＪＪ）に時計回りに回転された場合の電子メールアプリケーションのユーザインタフェース５７０−１における変化を示す図である。図５ＪＪＪは、図５ＩＩＩのサイドバー５６０−２と置き換わるポップアップビュー５３０−６の表示を示す図である。
【０１９６】
また、図５ＪＪＪは、動作アイコン５３２−１６に対応する位置での接触５５９−Ａまたはその他のタッチジェスチャの検出を示す図である。それに応じて、電子メールアプリケーションのユーザインタフェース５７０−１は、図５ＫＫＫに示すように、動作ポップアップビュー５３０−８を表示する。
【０１９７】
図５ＬＬＬは、第１の多機能デバイス１００−１の設定モードにおけるタッチスクリーン１１２−１上の対話型ポップアップビュー５３０−９を備えた例示的なユーザインタフェースを示す図である。第２の多機能デバイス１００−２のタッチスクリーン１１２−２は、略して描かれていない。しかし、図５ＬＬＬでは、ポップアップビュー５３０−９は、上記のように、第２の多機能デバイス１００−２のタッチスクリーン１１２−２の横方向解像度に対応する横方向解像度を有する。
【０１９８】
図５ＬＬＬでは、ポップアップビュー５３０−９は、以下の要素またはそれらの下位集合または上位集合を含んでいてもよい。
・現在の日付を表示する日付要素であって、起動された場合、日付要素は、現在の日付についての時刻ホイールの表示を開始する。
・現在の時間を表示する時間要素であって、起動された場合、時間要素は、現在の時刻を設定するための「時刻ホイール」オブジェクトの表示を開始する。
・現在の時刻または日付を表示する時刻ホイールオブジェクトであって、起動された場合、時刻ホイールオブジェクトは、ユーザが現在の時刻または現在の日付を編集できるようにし、図５ＬＬＬに示す例では、時刻ホイールオブジェクトは、現在の時刻を編集することができるように構成されている。
【０１９９】
図６Ａ乃至６Ｂは、一部の実施形態による対話型ポップアップビューを用いる方法６００を示すフロー図である。また、図６Ａ乃至６Ｂは、各種の実施形態における限定（６１６）を含んでいる。方法６００は、ディスプレイとタッチセンシティブ表面とを有する第１の多機能デバイス（例えば、図３のデバイス３００、あるいは、図１Ａまたは図１Ｂの携帯用多機能デバイス１００）において行われる。一部の実施形態では、ディスプレイはタッチスクリーンディスプレイ（６０２）であり、タッチセンシティブ表面は、ディスプレイ（例えば、図５Ａ乃至５ＬＬＬにおけるタッチスクリーンディスプレイ１１２）上にある。一部の実施形態では、ディスプレイは、タッチセンシティブ表面とは別である。以下でより詳しく述べるように、方法６００の一部の操作が組み合わされてもよく、および／または、一部の操作の順序が変更されてもよい。
【０２００】
以下に記すように、方法６００は、第１の解像度を持つタッチスクリーンを有する第１の多機能デバイス上でポップアップビューを用いるための直感的なやり方を提供する。ユーザが、第１の多機能デバイスのタッチスクリーンの第１の解像度より低い第２の解像度を持つタッチスクリーンディスプレイを有する第２の多機能デバイスの中のアプリケーションに精通している場合、方法は、精通しているグラフィカルユーザインタフェースを提供し、それによってより効率的なヒューマン・マシン・インタフェースを実現することによって、第１の多機能デバイスの中の対応するアプリケーションを使って作業する場合、ユーザにかかる認知上の負担を軽減する。また、開発者は、第２の多機能デバイス用に開発したアプリケーションを第１の多機能デバイスに移植する場合、グラフィカルユーザインタフェースを変更する必要がないか、または、グラフィカルユーザインタフェースを実装する命令の大部分を変えないままにするかのいずれかができ、それによって、開発時間およびコストを削減する。電池で動作するコンピューティングデバイスにとっては、ユーザがアプリケーションを使ってより迅速かつより効率よく作業できるようにすることは、電力を節約し、次回の電池充電までの時間を増加させる。
【０２０１】
デバイスは、タッチスクリーンディスプレイ上に第１のアプリケーションのそれぞれのビューを表示する（６０４）。例えば、それぞれのビューとは、地図アプリケーション（例えば図５Ａ）、ブラウザアプリケーション（例えば図５Ｕ）、メモアプリケーション（例えば図５ＫＫ）、および／または電子メールアプリケーション（例えば図５ＲＲ）のビューであってもよい。
【０２０２】
デバイスは、それぞれのビューの中で第１のタッチジェスチャを検出する（６０６）。タッチジェスチャは、タッチスクリーンディスプレイのセンサによって検出されたいずれかのジェスチャである（例えば、検出されたジェスチャは、接触５０７−Ａ、５１９−Ａ、５２３−Ａ、５３１−Ａ、５３５−Ａ、５３９−Ａ、５４３−Ａ、５４７−Ａ、５５１−Ａ、５５５−Ａのいずれかであってもよい）。図２に関して述べたように、検出された第１のタッチジェスチャは、１つ以上の指または１つ以上のスタイラス２０３によって行われた、タッチスクリーン１１２上のまたはタッチスクリーン１１２の至近距離でのジェスチャである。
【０２０３】
第１のタッチジェスチャを検出するのに応じて、デバイスは、第１のアプリケーションのそれぞれのビューを部分的に覆う第１のアプリケーションのポップアップビューを表示する（６０８）。ポップアップビューは、第１の多機能デバイスのタッチスクリーンディスプレイより解像度の低いタッチスクリーンディスプレイを有する第２の多機能デバイス上の対応する第１のアプリケーションにおける全画面幅ビューに対応する。
【０２０４】
一部の実施形態では、ポップアップビューと対応する全画面幅ビューとは、同一である（例えば、同一の要素が同一のレイアウトで現れる）。例えば、図５Ｎでは、ポップアップビュー５３０−２と、第２の多機能デバイス１００−２上の対応する全画面幅ビューとは、同一である。
【０２０５】
一部の実施形態では、ポップアップビューと対応する全画面幅ビューとは、一部の要素を共通して含んでいるが、一方のビューのすべての要素が他方のビューに現れるわけではない。例えば、図５Ｇでは、ポップアップビュー５３０−１は、道順アイコン５３２−４、道順アイコン５３２−５、電話アイコン５３８−１、ホームページアイコン５３８−２、住所アイコン５３８−３を含んでいる。また、第２の多機能デバイス１００−２の全画面幅ビューも、対応するアイコンを含んでいる。しかし、ポップアップビュー５３０−１は、１つ以上の追加要素、例えば、第２の多機能デバイス１００−２上の全画面幅ビューには含まれていないストリートビューアイコン５３８−４を含んでいる。もう１つの例として、図５Ｗでは、ポップアップビュー５３０−３は、アイコン５３８−８、５３８−９、５３８−１０を含んでいる。対応する全画面幅ビューは、対応するアイコン（例えばアイコン５３８−８’、５３８−９’、５３８−１０’）だけでなく、ポップアップビュー５３０−３には表れない追加要素（例えばキャンセルアイコン５３８−７’、アドレスバー、および検索入力エリア）も含んでいる。
【０２０６】
一部の実施形態では、ポップアップビューと対応する全画面幅ビューとは、機能的に同一の要素を含んでいるが、機能的に同一の要素は、異なる要領でレイアウトまたは構成されている。例えば、図５Ｚでは、ポップアップビュー５３０−４と対応する全画面幅ビューとは、（完了アイコン５３２−７’を除いて）同一の要素を有するが、編集アイコンは、それぞれのビューの中で異なる位置にレイアウトされている。
【０２０７】
一部の実施形態では、ポップアップビューは、不透明である。一部の実施形態では、ポップアップビューは透明である。その他の一部の実施形態では、ポップアップビューは半透明である。別の実施形態では、ポップアップビューの少なくとも一部は、透明または半透明である。
【０２０８】
一部の実施形態では、第１のタッチジェスチャを検出するのに応じて、デバイスは、ポップアップビューを表示する前に、それぞれのビューを更新する（例えば、図５ＣＣＣに関して上述したように、タッチジェスチャに応じて、表示される電子メールメッセージの大きさが削減されて、テキストバーが表示され、それぞれのユーザに命令が提供される）。
【０２０９】
一部の実施形態では、第２の多機能デバイスは、１乃至４インチ（例えば２．５インチ）のスクリーン幅と、２００乃至５００ピクセル（例えば３２０ピクセル）の横方向解像度を有するポケットサイズの携帯用デバイスである。
【０２１０】
一部の実施形態では、ポップアップビューは、第２の多機能デバイスの横方向解像度と等しい横方向解像度を有する（６２４）。例えば、第２の多機能デバイスの横方向解像度が３２０ピクセルである場合、ポップアップビューは３２０ピクセルの横方向解像度を有する。一部の実施形態では、ポップアップビューは、第２の多機能デバイスの横方向解像度と実質的に等しい横方向解像度を有する（例えば、ポップアップビューの横方向解像度は、第２の多機能デバイスの横方向解像度の５％、１０％、１５％、または２０％以内である）。
【０２１１】
一部の実施形態では、ポップアップビューは、第２の多機能デバイスの横方向解像度の整数の倍数である横方向解像度を有する（例えば、第２の多機能デバイスの横方向解像度が３２０ピクセルで、ポップアップビューの横方向解像度が６４０ピクセル（２倍の乗数）または９６０ピクセル（３倍の乗数）である）。そのような整数の倍数によって、解像度が低い方のデバイスにおけるユーザインタフェースを解像度が高い方のデバイスにおける表示に変換する効率的な方法が可能になる。一部の実施形態では、ポップアップビューは、第２の多機能デバイスの垂直解像度の整数の倍数である垂直解像度を有する（例えば、第２の多機能デバイスの垂直解像度が４８０ピクセルで、ポップアップビューの垂直解像度は９６０ピクセル（２倍の乗数）または１４４０ピクセル（３倍の乗数）である）。一部の実施形態では、横方向解像度のための整数の倍数と縦方向解像度のための整数の倍数とは同一である。
【０２１２】
一部の実施形態では、ポップアップビューは、第２の多機能デバイスのスクリーン幅と等しい幅を有する（６２６）。例えば、第２の多機能デバイスのスクリーン幅が２インチである場合、第１の多機能デバイスのポップアップビューは、いずれのデバイスの解像度にも関わらず、２インチの幅を有する。しかし、他の実施形態では、ポップアップビューは、第２の多機能デバイスの横方向解像度と等しい横方向解像度を有しているが（６２４）、第１の多機能デバイスによって表示されるポップアップビューの幅は、第２の多機能デバイスのスクリーン幅より大きい。一部の実施形態では、ポップアップビューは、第２の多機能デバイスのスクリーン幅と実質的に等しい幅を有する（例えば、ポップアップビューの幅は、第２の多機能デバイスのスクリーン幅の５％、１０％、１５％、または２０％以内である）。
【０２１３】
一部の実施形態では、第２の多機能デバイスは、例えばオーディオ、ビデオ、および／または画像のようなメディアを処理することができる携帯用コンピューティングデバイスである。例えば、第２の多機能デバイスは、音楽プレーヤ、ゲームプレーヤ、ビデオプレーヤ、ビデオレコーダ、カメラ、および／または画像ビューアを含んでいてもよい。一部の実施形態では、第２の多機能デバイスには、移動電話が含まれる。第２の多機能デバイスは、典型的には電池で動作し、携帯性が高い。一部の実施形態では、第２の多機能デバイスは、例えば、ユーザのポケットに入れられるサイズのハンドヘルドデバイスである。ポケットサイズであることにより、ユーザは第２の多機能デバイスを直接持ち歩く必要がなく、従って、デバイスは、ユーザが移動するところにはほとんどどこへでも携行されうる。さらに、ユーザの手が、デスクトップのような参照表面を必要とせず、第２の多機能デバイスを操作してもよい。
【０２１４】
一部の実施形態では、第２の多機能デバイスは、多機能移動電話である（６２８）。
【０２１５】
また、ポップアップビューを表示した後、デバイスは、１つ以上の第２のタッチジェスチャをポップアップビューの中で検出する（６１０）。１つ以上の第２のタッチジェスチャをポップアップビューの中で検出するのに応じて、デバイスは、第１のアプリケーションの状態（例えば、図１Ｃのアプリケーション内部状態１９２）を更新する第１のアプリケーションにおける動作を実行する（６１２）。例えば、図５Ｊ乃至５Ｋでは、接触５１１−Ａが検出され、それに応じて、第２のポップアップビュー５３４−１が表示される。図５Ｋ乃至５Ｎでは、接触５１３−Ａまたは５１３−ＡＡが検出され、それに応じて、第３のポップアップビュー５３０−２が表示される。加えて、ユーザが入力した情報と、完了アイコン５３２−５（図５Ｎ）をユーザが選択することとに応じて、地図アプリケーションは、ユーザのアドレス帳または連絡先リストの中に新たな連絡先についてのエントリを作成し、それがメモリの中に（例えば、メモリ１０２またはメモリ３７０の中の連絡先モジュール１３７のアプリケーション内部状態１９２の中に）記憶される。
【０２１６】
一部の実施形態では、第１のアプリケーションにおける動作を実行すると、第１のアプリケーションのそれぞれのビューが更新される（６２０）。例えば、図５ＴＴ乃至５ＵＵでは、接触５３７−Ａがポップアップビュー５３０−６内で検出され、それに応じて、デバイス１００−１が、選択された電子メールメッセージを電子メールアプリケーションのそれぞれのビューの中に表示し、ポップアップビュー５３０−６の表示を中止する。また、この例では、電子メールアプリケーションは、選択された電子メールメッセージを表示用の電子メールメッセージとして表すために、（例えばメモリ１０２またはメモリ３７０の中の）そのアプリケーション内部状態１９２を更新する。
【０２１７】
一部の実施形態では、第１のアプリケーションにおける動作を実行すると、第１のアプリケーションのそれぞれのビューが更新され、ポップアップビューの表示が中止される（６２２）。例えば、図５ＴＴ乃至５ＵＵでは、デバイス１００−１が、上記のように、電子メールアプリケーションのそれぞれのビューを更新する。加えて、電子メールアプリケーションは、ポップアップビュー５３０−６の表示を中止する。
【０２１８】
上述のように、所定のユーザ動作に応じて、デバイスはポップアップビューの表示を中止する（６１４）。例えば、図５Ｘ乃至５Ｙでは、接触５２１−Ａを検出するのに応じて、デバイス１００−１は、ポップアップビュー５３０−３の表示を中止する。さらなる例は、図５ＩＩ乃至５ＪＪ、５ＯＯ乃至５ＰＰ、５ＡＡＡ乃至５ＢＢＢ、５ＥＥＥ乃至５ＦＦＦ、５ＧＧＧ乃至５ＨＨＨで見られる。
【０２１９】
一部の実施形態では、第２の多機能デバイス上の対応する第１のアプリケーションの中の対応する全画面幅ビューを実装する実行可能な命令と実質的に同じ、第１の多機能デバイスのための実行可能な命令によって、ポップアップビューが実装される（６１８）。例えば、図５Ａ乃至５ＬＬＬでは、第１の多機能デバイス１００−１上の地図アプリケーション（例えば図５Ａ）、ブラウザアプリケーション（例えば図５Ｕ），メモアプリケーション（例えば図５ＫＫ）、および／または電子メールアプリケーション（例えば図５ＲＲ）が、第２の多機能デバイス１００−２上の対応するアプリケーションにおける対応する全画面幅ビューを実装する命令と、実質的に同じ実行可能な命令を有してもよい。実質的に同じ実行可能な命令を有していると、開発者が第１の多機能デバイスについてのアプリケーションと第２の多機能デバイスについての対応するアプリケーションとを書くのがより迅速かつより容易になる。例えば、ポケットサイズの多機能デバイス（例えばスマートフォン）上で実行されることになるアプリケーションを書いた開発者なら、より大きい多機能デバイス（例えばタブレットコンピュータ）上で実行されることになる対応するアプリケーションを容易に書くことができる。加えて、第１および第２の多機能デバイス上のそれぞれのアプリケーションのユーザインタフェースは、同様に振る舞うであろうし、それによって、ユーザが第１および第２の多機能デバイス上でそれぞれのアプリケーションを用いる際に学習して熟練するのに必要な時間は減少するであろう。例えば、ポケットサイズの多機能デバイス（例えばスマートフォン）上のアプリケーションの使い方を知っているユーザは、より大きい多機能デバイス（例えばタブレットコンピュータ）上の対応するアプリケーションを、少しの訓練を追加するかまたはまったく訓練を追加せずに使用することができるであろう。
【０２２０】
一部の実施形態では、第１の多機能デバイスについての（以下にさらに定義するように）実行可能な命令と、第２の多機能デバイスについての実行可能な命令とは、実行可能な命令の少なくとも実質的な部分（例えば、実行可能な命令の５０、７５、もしくは９０％）が同一である場合、実質的に同じである。第１の多機能デバイスについての前述の実行可能な命令が、ポップアップビューを表示する必要があるアプリケーション内の第１の多機能デバイスについての命令の集合を参照し、ポップアップビューの中で１つ以上のジェスチャを検出し、そして、ジェスチャに応じて１つ以上の動作を行う。
【０２２１】
一部の実施形態では、ポップアップビューを表示している間に、デバイスは、第１の多機能デバイスの縦方向の向きから横方向の向きへの回転を検出し、そして、回転を検出した時点で、ポップアップビューを、それぞれのビューに沿ったサイドバーに変換する（６３０）。例えば、図５ＶＶ乃至５ＷＷでは、デバイス１００−１は、縦方向の向きから横方向の向きへの回転を検出し、回転を検出した時点で、ポップアップビュー５３０−６をそれぞれのビューに沿ったサイドバー５６０−２に変換する。
【０２２２】
図７Ａ乃至７Ｂは、一部の実施形態によるポップアップビューをサイドバーに変換する方法７００を示すフロー図である。方法７００は、ディスプレイとタッチセンシティブ表面と１つ以上の加速度計とを備えた第１の多機能デバイス（例えば図３のデバイス３００または図１の携帯用多機能デバイス１００）において行われる（７０２）。一部の実施形態では、ディスプレイはタッチスクリーンディスプレイであり、タッチセンシティブ表面は、ディスプレイ（例えば、図５Ａ乃至５ＬＬＬにおけるタッチスクリーンディスプレイ１１２）上にある。一部の実施形態では、ディスプレイは、タッチセンシティブ表面とは別である。方法７００の一部の操作は組み合わされてもよく、および／または、一部の操作の順序は変更されてもよい。
【０２２３】
また、留意すべきだが、上記の方法６００（例えば図６Ａ乃至６Ｂ）の詳細は、同様の要領で、以下に記す方法にも適用可能である。これらの詳細は、略して、以下では繰り返さない。
【０２２４】
以下に記すように、方法７００は、多機能デバイスの表示エリア全体を利用する改善策を提供する。デバイスが特定の向きをしている場合、デバイスは、アプリケーションをより効率的に使用させる関連情報も同時に表示することができる。この方法は、関連情報を検索する余分なステップをなくし、また、アプリケーションを使って作業する場合、関連情報を同時表示の中に見つけやすくし、それによって、より効率的なヒューマン・マシン・インタフェースを実現することによって、ユーザにかかる認知上の負担を軽減する。電池で動作するコンピューティングデバイスにとっては、ユーザがアプリケーションを使ってより迅速かつより効率よく作業できるようにすることは、電力を節約し、次回の電池充電までの時間を増加させる。
【０２２５】
デバイスは、縦方向の向きのタッチスクリーンディスプレイ上に第１のアプリケーションのそれぞれのビューを表示する（７０４）。デバイスは、それぞれのビューの中で第１のタッチジェスチャを検出する（７０６）。第１のタッチジェスチャの検出に応じて、デバイスは、第１のアプリケーションのそれぞれのビューを部分的に覆う第１のアプリケーションのポップアップビューを表示する（７０８）。ポップアップビューを表示した後、デバイスは、ポップアップビュー内の１つ以上の第２のタッチジェスチャを検出する（７１０）。ポップアップビュー内の１つ以上の第２のタッチジェスチャを検出するのに応じて、デバイスは、第１のアプリケーションの中で、第１のアプリケーションの状態（例えば、図１Ｃのアプリケーション内部状態１９２）を更新する動作を行う（７１２）。
【０２２６】
ポップアップビューを表示している間に、デバイスは、縦方向の向きから横方向の向きへの多機能デバイスの回転を１つ以上の加速度計を用いて検出する（７１４）。回転を検出するのに応じて、デバイスは、それぞれのビューを横方向の向きに変換し、ポップアップビューを横方向の向きにおけるそれぞれのビューに沿ったサイドバーに変換する（７１６）。例えば、図５ＶＶ乃至５ＷＷでは、デバイス１００−１は、縦方向の向きから横方向の向きへの回転を１つ以上の加速度計を用いて検出する。それに応じて、デバイス１００−１は、それぞれのビューを横方向の向きに変換し、ポップアップビュー５３０−６を横方向の向きのそれぞれのビューに沿ったサイドバー５６０−２に変換する。
【０２２７】
方法７００は、任意で、各種の実施形態における１つ以上のさらなる限定（７１８）を含んでいる。また、一部の実施形態では、デバイスは、それぞれのビューに沿ったサイドバーの表示を維持しながら、サイドバーの中のタッチジェスチャを検出してそれらに応答する（７２０）。例えば、図５ＷＷでは、デバイス１００−１は、それぞれの電子メールメッセージを選択する、サイドバー５６０−２の中の接触５４１−Ａを検出して、選択された電子メールメッセージをタッチスクリーン１１２−１に表示することによって応答する。
【０２２８】
また、一部の実施形態では、デバイスは、横方向の向きから縦方向の向きへの多機能デバイスの回転を１つ以上の加速度計を用いて検出する（７２２）。横方向の向きから縦方向の向きへの多機能デバイスの回転を検出するのに応じて、デバイスは、サイドバーの表示を中止し、それぞれのビューを縦方向の向きに変換する（７２２）。例えば、図５ＸＸおよび５ＺＺでは、デバイス１００−１は、横方向の向きから縦方向の向きへの回転を検出する。それに応じて、デバイス１００−１は、サイドバー５６０−２の表示を中止し、それぞれのビューを縦方向の向きに変換する。
【０２２９】
一部の実施形態では、サイドバーの表示を中止した後、デバイスは、それぞれのビューの中で第３のタッチジェスチャを検出する（７２４）。第３のタッチジェスチャを検出するのに応じて、デバイスは、それぞれのビューを部分的に覆うポップアップビューを表示する。例えば、図５ＺＺ乃至５ＡＡＡでは、デバイス１００−１は、接触５４３−Ａを検出して、ポップアップビュー５３０−６を表示する。
【０２３０】
一部の実施形態では、デバイスは、横方向の向きから縦方向の向きへの多機能デバイスの回転を１つ以上の加速度計を用いて検出する（７２６）。横方向の向きから縦方向の向きへの多機能デバイスの回転を検出するのに応じて、デバイスは、それぞれのビューを縦方向の向きに変換し、それぞれのサイドバーを、縦方向の向きにおけるそれぞれのビューの中の対応するポップアップビューに変換する。例えば、図５ＸＸ乃至５ＹＹでは、デバイス１００−１は、横方向の向きから縦方向の向きへの回転を検出する。それに応じて、デバイス１００−１は、それぞれのビューを縦方向の向きに変換し、サイドバー５６０−２をポップアップビュー５３０−６に変換する。別の例を、図ＩＩＩ乃至５ＪＪＪに描いている。
【０２３１】
一部の実施形態によると、図８は、上記の本発明の原理に従って構成された多機能デバイス８００の機能ブロック図である。デバイスの機能ブロックは、本発明の原理を実行するため、ハードウェア、ソフトウェア、あるいは、ハードウェアとソフトウェアとの組み合わせによって実装されてもよい。当業者であれば理解することだが、図８に述べる機能ブロックは、上記の本発明の原理を実装するため、組み合わされても、あるいはサブブロックに分けられてもよい。従って、本明細書の記述は、本明細書に述べられた機能ブロックのいずれかの起こりうる組み合わせ、分離、またはさらなる定義をサポートしうる。
【０２３２】
図８に示すように、第１の多機能デバイス８００は、第１のアプリケーション８０４のそれぞれのビューを表示するタッチスクリーンディスプレイユニット８０２を含んでいる。タッチスクリーンディスプレイユニット８０２には、処理ユニット８０８が接続される。一部の実施形態では、処理ユニット８０２は、ジェスチャ検出ユニット８１０と、表示可能化ユニット８１１と、実行ユニット８１２と、中止ユニット８１４と、回転検出ユニット８１６と、変換ユニット８１８とを含んでいる。
【０２３３】
処理ユニット８０２は、タッチスクリーンディスプレイユニット８０２上のそれぞれのビュー８０４の中で第１のタッチジェスチャを（例えば、ジェスチャ検出ユニット８１０を使って）検出し、第１のタッチジェスチャを検出するのに応じて、第１のアプリケーション８０４のそれぞれのビューを部分的に覆う第１のアプリケーション８０６のポップアップビューのタッチスクリーンディスプレイユニット８０２上の表示を（例えば表示可能化ユニット８１１を使って）可能にするように構成されており、ここで、ポップアップビュー８０６は、第１の多機能デバイスのタッチスクリーンディスプレイユニットより解像度の低いタッチスクリーンディスプレイを有する第２の多機能デバイス上の対応する第１のアプリケーションの全画面幅ビューに対応し、かつ、処理ユニット８０２は、タッチスクリーンディスプレイユニット８０２上のポップアップビュー８０６の中の１つ以上の第２のタッチジェスチャを（例えば、ジェスチャ検出ユニット８１０を使って）検出し、ポップアップビュー８０６の中の１つ以上の第２のタッチジェスチャを検出するのに応じて、第１のアプリケーションの状態を更新する第１のアプリケーションにおける動作を（例えば、実行ユニット８１２を使って）実行し、そして、タッチスクリーンディスプレイユニット８０２上にポップアップビュー８０６を表示するのを（例えば中止ユニット８１８を使って）中止するように構成されている。
【０２３４】
一部の実施形態では、ポップアップビュー８０６は、第２の多機能デバイス上の対応する第１のアプリケーションの中の全画面幅ビューを実装する実行可能な命令と実質的に同じ実行可能な命令によって実装される。
【０２３５】
一部の実施形態では、第１のアプリケーションにおける動作を実行すると、タッチスクリーンディスプレイユニット８０２上で第１のアプリケーション８０４のそれぞれのビューが更新される。
【０２３６】
一部の実施形態では、第１のアプリケーションにおける動作を実行すると、第１のアプリケーション８０４のそれぞれのビューが更新され、タッチスクリーンディスプレイユニット８０２上のポップアップビュー８０６の表示が中止される。
【０２３７】
一部の実施形態では、タッチスクリーンディスプレイユニット８０２上のポップアップビュー８０６は、第２の多機能デバイスの横方向解像度に等しい横方向解像度を有する。
【０２３８】
一部の実施形態では、タッチスクリーンディスプレイユニット８０２上のポップアップビュー８０６は、第２の多機能デバイスのスクリーン幅に等しい幅を有する。
【０２３９】
一部の実施形態では、第２の多機能デバイスは、多機能移動電話である。
【０２４０】
一部の実施形態では、処理ユニット８０２は、さらに、タッチスクリーンディスプレイユニット８０２上のポップアップビューを表示している間、縦方向の向きから横方向の向きへの第１の多機能デバイスの回転を（例えば回転検出ユニット８１６を使って）検出し、それから、回転の検出に応じて、図５ＶＶ乃至５ＷＷに示すように、ポップアップビュー８０６を、タッチスクリーンディスプレイユニット８０２上のそれぞれのビュー８０４に沿ったサイドバービューに（例えば変換ユニット８１８を使って）変換するように構成される。
【０２４１】
一部の実施形態に従って、図９は、上記の本発明の原理に従って構成された多機能デバイス９００の機能ブロック図を示す。デバイスの機能ブロックは、本発明の原理を実行するため、ハードウェア、ソフトウェア、あるいは、ハードウェアとソフトウェアとの組み合わせによって実装されてもよい。当業者であれば理解することだが、図９に述べる機能ブロックは、上記の本発明の原理を実装するため、組み合わされても、あるいはサブブロックに分けられてもよい。従って、本明細書の記述は、本明細書に述べられた機能ブロックのいずれかの起こりうる組み合わせ、分離、またはさらなる定義をサポートしうる。
【０２４２】
図９に示すように、多機能デバイスは、第１のアプリケーション９０４のそれぞれのビューを縦方向の向きに表示するタッチスクリーンディスプレイユニット９０２と、向きの検出のためのデータを提供するように構成された１つ以上の加速度計９０８と、タッチスクリーンディスプレイユニット９０２および１つ以上の加速度計９０８に接続された処理ユニット９１０とを含んでいる。一部の実施形態では、処理ユニット９１０は、ジェスチャ検出ユニット９１２と、表示可能化ユニット９１３と、実行ユニット９１４と、回転検出ユニット９１５と、変換ユニット９１６と、中止ユニット９１８とを含んでいる。
【０２４３】
処理ユニット９１０は、タッチスクリーンディスプレイユニット９０２上のそれぞれのビューの中で第１のタッチジェスチャを（例えば、ジェスチャ検出ユニット９１２を使って）検出し、第１のタッチジェスチャを検出するのに応じて、タッチスクリーンディスプレイユニット９０２上の第１のアプリケーション９０４のそれぞれのビューを部分的に覆う第１のアプリケーションのポップアップビュー９０６の表示を（例えば表示可能化ユニット９１３を使って）可能にし、タッチスクリーンディスプレイユニット９０２上のポップアップビュー９０６の中の１つ以上の第２のタッチジェスチャを（例えばジェスチャ検出ユニット９１２を使って）検出し、ポップアップビュー９０６の中の１つ以上の第２のタッチジェスチャを検出するのに応じて、第１のアプリケーションの状態を更新する第１のアプリケーションの中の動作を（例えば実行ユニット９１４を使って）実行し、タッチスクリーンディスプレイユニット９０２上にポップアップビュー９０６を表示している間に、１つ以上の加速度計９０８を用いて縦方向の向きから横方向の向きへの多機能デバイスの回転を（例えば回転検出ユニット９１５を使って）検出し、そして、回転を検出するのに応じて、タッチスクリーンディスプレイユニット９０２上のそれぞれのビューを（例えば変換ユニット９１６を使って）横方向の向きに変換し、ポップアップビュー９０６を、タッチスクリーンディスプレイユニット９０２上の横方向の向きにおけるそれぞれのビューに沿ったサイドバービューに（例えば変換ユニット９１６を使って）変換するように構成される。
【０２４４】
一部の実施形態では、処理ユニット９１０は、さらに、タッチスクリーンディスプレイユニット９０２上のそれぞれのビューに沿ったサイドバーの表示を維持しながら、サイドバーにおけるタッチジェスチャを（例えばジェスチャ検出ユニット９１２を使って）検出してそれに応じるように構成される。
【０２４５】
一部の実施形態では、処理ユニット９１０は、さらに、横方向の向きから縦方向の向きへの多機能デバイスの回転を１つ以上の加速度計を用いて（例えば回転検出ユニット９１５を使って）検出し、そして、横方向の向きから縦方向の向きへの多機能デバイスの回転を検出するのに応じて、サイドバーを表示するのを（例えば中止ユニット９１８を使って）中止し、タッチスクリーンディスプレイユニット９０２上のそれぞれのビューを縦方向の向きに（例えば変換ユニット９１６を使って）変換するように構成される。
【０２４６】
一部の実施形態では、処理ユニット９１０は、さらに、サイドバーの表示を中止した後に、タッチスクリーンディスプレイユニット上のそれぞれのビューの中で第３のタッチジェスチャを（例えばジェスチャ検出ユニット９１２を使って）検出し、そして、第３のタッチジェスチャを検出するのに応じて、タッチスクリーンディスプレイユニット９０２上のそれぞれのビューを部分的に覆うポップアップビュー９０６の表示を（例えば表示可能化ユニット９１３を使って）可能にするように構成される。
【０２４７】
一部の実施形態では、処理ユニットは、さらに、横方向の向きから縦方向の向きへの多機能デバイスの回転を１つ以上の加速度計を用いて（例えば回転検出ユニット９１５を使って）検出し、そして、横方向の向きから縦方向の向きへの多機能デバイスの回転を検出するのに応じて、それぞれのビューを縦方向の向きに（例えば変換ユニット９１６を使って）変換し、サイドバーを、タッチスクリーンディスプレイユニット９０２上の縦方向の向きにおけるそれぞれのビューの中のポップアップビューに（例えば変換ユニット９１６を使って）変換するように構成される。
【０２４８】
上記の情報処理方法における操作は、１つ以上の機能モジュールを、例えば汎用プロセッサまたは特定用途チップのような情報処理装置の中で実行することによって実装されてもよい。これらのモジュールと、これらのモジュールの組み合わせと、および／または（例えば、図１Ａ、１Ｂおよび３に関して上述したように）一般的ハードウェアとそれらの組み合わせとが、本発明の保護の範囲内にすべて含まれている。
【０２４９】
図６Ａ、６Ｂ、７Ａ、７Ｂに関して上述した操作は、図１Ａ乃至１Ｃに描いた構成要素によって実装されてもよい。例えば、検出動作６１０、動作実行操作６１２、および、回転検出および応答操作６３０は、イベントソータ１７０、イベントレコグナイザ１８０、およびイベントハンドラ１９０によって実装されてもよい。イベントソータ１７０の中のイベントモニタ１７１は、タッチセンシティブディスプレイ１１２上の接触を検出し、イベント発送モジュール１７４は、イベント情報をアプリケーション１３６−１に配信する。アプリケーション１３６−１のそれぞれのイベントレコグナイザ１８０は、イベント情報をそれぞれのイベント定義１８６と比較して、タッチセンシティブ表面上の第１の位置での第１の接触（または、デバイスの回転）が、例えばユーザインタフェース上のオブジェクトの選択、または、１つの向きから別の向きへのデバイスの回転のような、事前設定されたイベントもしくはサブイベントに対応するかどうかを判定する。それぞれの事前設定されたイベントもしくはサブイベントが検出された場合、イベントレコグナイザ１８０は、イベントもしくはサブイベントの検出に関連するイベントハンドラ１８０を起動する。イベントハンドラ１８０は、データ更新器１７６またはオブジェクト更新器１７７を利用するかまたは呼び出して、アプリケーション１３６−１データの内部状態を更新してもよい。一部の実施形態では、イベントハンドラ１８０は、アプリケーションによって表示されているものを更新するため、それぞれのＧＵＩ更新器１７８にアクセスする。同様に、その他のプロセスが、図１Ａ乃至１Ｃに描かれた構成要素に基づいてどのように実装されうるかは、当業者には明らかであろう。
【０２５０】
説明のための前述の記述は、特定の実施形態に関して記述してきた。しかし、上記の例示的議論は、網羅的であることも、開示されたのと違わぬ形態に本発明を限定することも、意図されていない。上記の教示内容に照らして、多くの修正形態および変形形態が可能である。実施形態は、本発明の原理を最も良く説明し、それによって当業者が本発明と、意図された個別の用途に適した各種の修正を伴う各種の実施形態とを最も良く利用できるようにすることを目的として選ばれ、記述されてきた。
【図１Ａ】
0005443620.tif 000002
【図１Ｂ】
0005443620.tif 000003
【図１Ｃ】
0005443620.tif 000004
【図２】
0005443620.tif 000005
【図３】
0005443620.tif 000006
【図４Ａ】
0005443620.tif 000007
【図４Ｂ】
0005443620.tif 000008
【図４Ｃ】
0005443620.tif 000009
【図５Ａ】
0005443620.tif 000010
【図５ＡＡ】
0005443620.tif 000011
【図５ＡＡＡ】
0005443620.tif 000012
【図５Ｂ】
0005443620.tif 000013
【図５ＢＢ】
0005443620.tif 000014
【図５ＢＢＢ】
0005443620.tif 000015
【図５Ｃ】
0005443620.tif 000016
【図５ＣＣ】
0005443620.tif 000017
【図５ＣＣＣ】
0005443620.tif 000018
【図５Ｄ】
0005443620.tif 000019
【図５ＤＤ】
0005443620.tif 000020
【図５ＤＤＤ】
0005443620.tif 000021
【図５Ｅ】
0005443620.tif 000022
【図５ＥＥ】
0005443620.tif 000023
【図５ＥＥＥ】
0005443620.tif 000024
【図５Ｆ】
0005443620.tif 000025
【図５ＦＦ】
0005443620.tif 000026
【図５ＦＦＦ】
0005443620.tif 000027
【図５Ｇ】
0005443620.tif 000028
【図５ＧＧ】
0005443620.tif 000029
【図５ＧＧＧ】
0005443620.tif 000030
【図５Ｈ】
0005443620.tif 000031
【図５ＨＨ】
0005443620.tif 000032
【図５ＨＨＨ】
0005443620.tif 000033
【図５Ｉ】
0005443620.tif 000034
【図５ＩＩ】
0005443620.tif 000035
【図５ＩＩＩ】
0005443620.tif 000036
【図５Ｊ】
0005443620.tif 000037
【図５ＪＪ】
0005443620.tif 000038
【図５ＪＪＪ】
0005443620.tif 000039
【図５Ｋ】
0005443620.tif 000040
【図５ＫＫ】
0005443620.tif 000041
【図５ＫＫＫ】
0005443620.tif 000042
【図５Ｌ】
0005443620.tif 000043
【図５ＬＬ】
0005443620.tif 000044
【図５ＬＬＬ】
0005443620.tif 000045
【図５Ｍ】
0005443620.tif 000046
【図５ＭＭ】
0005443620.tif 000047
【図５Ｎ】
0005443620.tif 000048
【図５ＮＮ】
0005443620.tif 000049
【図５Ｏ】
0005443620.tif 000050
【図５ＯＯ】
0005443620.tif 000051
【図５Ｐ】
0005443620.tif 000052
【図５ＰＰ】
0005443620.tif 000053
【図５Ｑ】
0005443620.tif 000054
【図５ＱＱ】
0005443620.tif 000055
【図５Ｒ】
0005443620.tif 000056
【図５ＲＲ】
0005443620.tif 000057
【図５Ｓ】
0005443620.tif 000058
【図５ＳＳ】
0005443620.tif 000059
【図５Ｔ】
0005443620.tif 000060
【図５ＴＴ】
0005443620.tif 000061
【図５Ｕ】
0005443620.tif 000062
【図５ＵＵ】
0005443620.tif 000063
【図５Ｖ】
0005443620.tif 000064
【図５ＶＶ】
0005443620.tif 000065
【図５Ｗ】
0005443620.tif 000066
【図５ＷＷ】
0005443620.tif 000067
【図５Ｘ】
0005443620.tif 000068
【図５ＸＸ】
0005443620.tif 000069
【図５Ｙ】
0005443620.tif 000070
【図５ＹＹ】
0005443620.tif 000071
【図５Ｚ】
0005443620.tif 000072
【図５ＺＺ】
0005443620.tif 000073
【図６Ａ】
0005443620.tif 000074
【図６Ｂ】
0005443620.tif 000075
【図７Ａ】
0005443620.tif 000076
【図７Ｂ】
0005443620.tif 000077
【図８】
0005443620.tif 000078
【図９】
0005443620.tif 000079